(57)【特許請求の範囲】
【請求項１】
（Ａ）第１原色を表示する第１副画素、第２原色を表示する第２副画素、第３原色を表示する第３副画素、及び、第４の色を表示する第４副画素から構成された画素が２次元マトリクス状に配列されて成る画像表示パネル、並びに、
（Ｂ）信号処理部、
を備え、
信号処理部において、
第１副画素・出力信号を、少なくとも第１副画素・入力信号、伸長係数α0及び第４副画素・出力信号に基づき求め、第１副画素へ出力し、
第２副画素・出力信号を、少なくとも第２副画素・入力信号、伸長係数α0及び第４副画素・出力信号に基づき求め、第２副画素へ出力し、
第３副画素・出力信号を、少なくとも第３副画素・入力信号、伸長係数α0及び第４副画素・出力信号に基づき求め、第３副画素へ出力する画像表示装置の駆動方法であって、
信号処理部において、
（ａ）第４の色を加えることで拡大されたＨＳＶ色空間における彩度Ｓを変数とした明度の最大値Ｖmax（Ｓ）を求め、
（ｂ）複数の画素における副画素・入力信号値に基づき、該複数の画素における彩度Ｓ及び明度Ｖ（Ｓ）を求め、
（ｃ）複数の画素において求められたＶmax（Ｓ）／Ｖ（Ｓ）の値の内、少なくとも１つの値に基づいて、伸長係数α0を求め、
（ｄ）各画素において、
第１補正信号値を、伸長係数α0、第１副画素・入力信号、並びに、第１定数に基づき求め、
第２補正信号値を、伸長係数α0、第２副画素・入力信号、並びに、第２定数に基づき求め、
第３補正信号値を、伸長係数α0、第３副画素・入力信号、並びに、第３定数に基づき求め、
第１補正信号値、第２補正信号値、及び、第３補正信号値の内の最も大きい値を有する補正信号値を第４補正信号値として求め、
第５補正信号値を、伸長係数α0、第１副画素・入力信号、第２副画素・入力信号、及び、第３副画素・入力信号に基づき求め、
（ｅ）各画素において、第４補正信号値及び第５補正信号値から、第４副画素・出力信号を求め、第４副画素へ出力する画像表示装置の駆動方法。
【請求項２】
第１定数を第１副画素・入力信号が取り得る最大値、第２定数を第２副画素・入力信号が取り得る最大値、第３定数を第３副画素・入力信号が取り得る最大値とし、
第１補正信号値を、伸長係数α0と第１副画素・入力信号の積から第１定数を減じることで求め、
第２補正信号値を、伸長係数α0と第２副画素・入力信号の積から第２定数を減じることで求め、
第３補正信号値を、伸長係数α0と第３副画素・入力信号の積から第３定数を減じることで求める請求項１に記載の画像表示装置の駆動方法。
【請求項３】
第４補正信号値と第５補正信号値の内の小さい値を有する補正信号値を第４副画素・出力信号として求める請求項１又は請求項２に記載の画像表示装置の駆動方法。
【請求項４】
第４補正信号値と第５補正信号値の平均値を第４副画素・出力信号として求める請求項１又は請求項２に記載の画像表示装置の駆動方法。
【請求項５】
（Ａ）画素が、第１の方向にＰ0個、第２の方向にＱ0個の合計、Ｐ0×Ｑ0個、２次元マトリクス状に配列されて成る画像表示パネル、並びに、
（Ｂ）信号処理部、
を備え、
各画素は、第１原色を表示する第１副画素、第２原色を表示する第２副画素、第３原色を表示する第３副画素、及び、第４の色を表示する第４副画素から成り、
信号処理部においては、
第１副画素・出力信号を、少なくとも第１副画素・入力信号、伸長係数α0及び第４副画素・出力信号に基づき求め、第１副画素へ出力し、
第２副画素・出力信号を、少なくとも第２副画素・入力信号、伸長係数α0及び第４副画素・出力信号に基づき求め、第２副画素へ出力し、
第３副画素・出力信号を、少なくとも第３副画素・入力信号、伸長係数α0及び第４副画素・出力信号に基づき求め、第３副画素へ出力する画像表示装置の駆動方法であって、
信号処理部において、
（ａ）第４の色を加えることで拡大されたＨＳＶ色空間における彩度Ｓを変数とした明度の最大値Ｖmax（Ｓ）を求め、
（ｂ）複数の画素における副画素・入力信号値に基づき、該複数の画素における彩度Ｓ及び明度Ｖ（Ｓ）を求め、
（ｃ）複数の画素において求められたＶmax（Ｓ）／Ｖ（Ｓ）の値の内、少なくとも１つの値に基づいて、伸長係数α0を求め、
（ｄ）第２の方向に沿って数えたときの第（ｐ，ｑ）番目［但し、ｐ＝１，２・・・Ｐ0であり、ｑ＝１，２・・・，Ｑ0である］の画素において、
第１補正信号値を、伸長係数α0、第（ｐ，ｑ）番目の画素における第１副画素・入力信号、第２の方向に沿って第（ｐ，ｑ）番目の画素に隣接する隣接画素における第１副画素・入力信号、並びに、第１定数に基づき求め、
第２補正信号値を、伸長係数α0、第（ｐ，ｑ）番目の画素における第２副画素・入力信号、該隣接画素における第２副画素・入力信号、並びに、第２定数に基づき求め、
第３補正信号値を、伸長係数α0、第（ｐ，ｑ）番目の画素における第３副画素・入力信号、該隣接画素における第３副画素・入力信号、並びに、第３定数に基づき求め、
第１補正信号値、第２補正信号値、及び、第３補正信号値の内の最も大きい値を有する補正信号値を第４補正信号値として求め、
第５補正信号値を、伸長係数α0、第（ｐ，ｑ）番目の画素における第１副画素・入力信号、第２副画素・入力信号及び第３副画素・入力信号、並びに、該隣接画素における第１副画素・入力信号、第２副画素・入力信号及び第３副画素・入力信号に基づき求め、
（ｅ）第（ｐ，ｑ）番目の画素において、第４補正信号値及び第５補正信号値から、第（ｐ，ｑ）番目の画素における第４副画素・出力信号を求め、第（ｐ，ｑ）番目の画素における第４副画素へ出力する画像表示装置の駆動方法。
【請求項６】
第１定数を第１副画素・入力信号が取り得る最大値、第２定数を第２副画素・入力信号が取り得る最大値、第３定数を第３副画素・入力信号が取り得る最大値とし、
第１補正信号値を、伸長係数α0と第（ｐ，ｑ）番目の画素における第１副画素・入力信号の積から第１定数を減じることで求めた値、及び、伸長係数α0と前記隣接画素における第１副画素・入力信号の積から第１定数を減じることで求めた値の内の大きい方の値とし、
第２補正信号値を、伸長係数α0と第（ｐ，ｑ）番目の画素における第２副画素・入力信号の積から第２定数を減じることで求めた値、及び、伸長係数α0と該隣接画素における第２副画素・入力信号の積から第２定数を減じることで求めた値の内の大きい方の値とし、
第３補正信号値を、伸長係数α0と第（ｐ，ｑ）番目の画素における第３副画素・入力信号の積から第３定数を減じることで求めた値、及び、伸長係数α0と該隣接画素における第３副画素・入力信号の積から第３定数を減じることで求めた値の内の大きい方の値とする請求項５に記載の画像表示装置の駆動方法。
【請求項７】
第４補正信号値と第５補正信号値の内の小さい値を有する補正信号値を第４副画素・出力信号として求める請求項５又は請求項６に記載の画像表示装置の駆動方法。
【請求項８】
第４補正信号値と第５補正信号値の平均値を第４副画素・出力信号として求める請求項５又は請求項６に記載の画像表示装置の駆動方法。
【請求項９】
（Ａ）第１原色を表示する第１副画素、第２原色を表示する第２副画素、及び、第３原色を表示する第３副画素から構成された画素が、第１の方向及び第２の方向に２次元マトリクス状に配列され、第１の方向に配列された少なくとも第１の画素及び第２の画素によって画素群が構成され、各画素群において、第１の画素と第２の画素との間に第４の色を表示する第４副画素が配置されている画像表示パネル、並びに、
（Ｂ）信号処理部、
を備え、
信号処理部において、
第１の画素に関して、
第１副画素・出力信号を、少なくとも第１副画素・入力信号、伸長係数α0及び第４副画素・出力信号に基づき求め、第１副画素へ出力し、
第２副画素・出力信号を、少なくとも第２副画素・入力信号、伸長係数α0及び第４副画素・出力信号に基づき求め、第２副画素へ出力し、
第３副画素・出力信号を、少なくとも第３副画素・入力信号、伸長係数α0及び第４副画素・出力信号に基づき求め、第３副画素へ出力し、
第２の画素に関して、
第１副画素・出力信号を、少なくとも第１副画素・入力信号、伸長係数α0及び第４副画素・出力信号に基づき求め、第１副画素へ出力し、
第２副画素・出力信号を、少なくとも第２副画素・入力信号、伸長係数α0及び第４副画素・出力信号に基づき求め、第２副画素へ出力し、
第３副画素・出力信号を、少なくとも第３副画素・入力信号、伸長係数α0及び第４副画素・出力信号に基づき求め、第３副画素へ出力する画像表示装置の駆動方法であって、
信号処理部において、
（ａ）第４の色を加えることで拡大されたＨＳＶ色空間における彩度Ｓを変数とした明度の最大値Ｖmax（Ｓ）を求め、
（ｂ）複数の第１の画素及び第２の画素における副画素・入力信号値に基づき、該複数の第１の画素及び第２の画素における彩度Ｓ及び明度Ｖ（Ｓ）を求め、
（ｃ）複数の第１の画素及び第２の画素において求められたＶmax（Ｓ）／Ｖ（Ｓ）の値の内、少なくとも１つの値に基づいて、伸長係数α0を求め、
（ｄ）各画素群において、
第１補正信号値を、伸長係数α0、第１の画素及び第２の画素における第１副画素・入力信号、並びに、第１定数に基づき求め、
第２補正信号値を、伸長係数α0、第１の画素及び第２の画素における第２副画素・入力信号、並びに、第２定数に基づき求め、
第３補正信号値を、伸長係数α0、第１の画素及び第２の画素における第３副画素・入力信号、並びに、第３定数に基づき求め、
第１補正信号値、第２補正信号値、及び、第３補正信号値の内の最も大きい値を有する補正信号値を第４補正信号値として求め、
第５補正信号値を、伸長係数α0、第１の画素における第１副画素・入力信号、第２副画素・入力信号及び第３副画素・入力信号、並びに、第２の画素における第１副画素・入力信号、第２副画素・入力信号及び第３副画素・入力信号に基づき求め、
（ｅ）各画素群において、第４補正信号値及び第５補正信号値から、第４副画素・出力信号を求め、第４副画素へ出力する画像表示装置の駆動方法。
【請求項１０】
第１定数を第１副画素・入力信号が取り得る最大値、第２定数を第２副画素・入力信号が取り得る最大値、第３定数を第３副画素・入力信号が取り得る最大値とし、
第１補正信号値を、伸長係数α0と第１の画素における第１副画素・入力信号の積から第１定数を減じることで求めた値、及び、伸長係数α0と第２の画素における第１副画素・入力信号の積から第１定数を減じることで求めた値の内の大きい方の値とし、
第２補正信号値を、伸長係数α0と第１の画素における第２副画素・入力信号の積から第２定数を減じることで求めた値、及び、伸長係数α0と第２の画素における第２副画素・入力信号の積から第２定数を減じることで求めた値の内の大きい方の値とし、
第３補正信号値を、伸長係数α0と第１の画素における第３副画素・入力信号の積から第３定数を減じることで求めた値、及び、伸長係数α0と第２の画素における第３副画素・入力信号の積から第３定数を減じることで求めた値の内の大きい方の値とする請求項９に記載の画像表示装置の駆動方法。
【請求項１１】
第４補正信号値と第５補正信号値の内の小さい値を有する補正信号値を第４副画素・出力信号として求める請求項９又は請求項１０に記載の画像表示装置の駆動方法。
【請求項１２】
第４補正信号値と第５補正信号値の平均値を第４副画素・出力信号として求める請求項９又は請求項１０に記載の画像表示装置の駆動方法。
【請求項１３】
（Ａ）画素群が、第１の方向にＰ個、第２の方向にＱ個の合計、Ｐ×Ｑ個、２次元マトリクス状に配列されて成る画像表示パネル、並びに、
（Ｂ）信号処理部、
を備え、
各画素群は、第１の方向に沿って、第１の画素及び第２の画素から構成され、
第１の画素は、第１原色を表示する第１副画素、第２原色を表示する第２副画素、及び、第３原色を表示する第３副画素から成り、
第２の画素は、第１原色を表示する第１副画素、第２原色を表示する第２副画素、及び、第４の色を表示する第４副画素から成り、
信号処理部において、
第１の画素に関して、
第１副画素・出力信号を、少なくとも第１副画素・入力信号、伸長係数α0及び第４副画素・出力信号に基づき求め、第１副画素へ出力し、
第２副画素・出力信号を、少なくとも第２副画素・入力信号、伸長係数α0及び第４副画素・出力信号に基づき求め、第２副画素へ出力し、
第１の方向に沿って数えたときの第（ｐ，ｑ）番目［但し、ｐ＝１，２・・・Ｐであり、ｑ＝１，２・・・，Ｑである］の第１の画素への第３副画素・出力信号を、少なくとも第（ｐ，ｑ）番目の第１の画素への第３副画素・入力信号、第（ｐ，ｑ）番目の第２の画素への第３副画素・入力信号及び第４副画素・出力信号に基づき求め、第３副画素へ出力し、
第２の画素に関して、
第１副画素・出力信号を、少なくとも第１副画素・入力信号、伸長係数α0及び第４副画素・出力信号に基づき求め、第１副画素へ出力し、
第２副画素・出力信号を、少なくとも第２副画素・入力信号、伸長係数α0及び第４副画素・出力信号に基づき求め、第２副画素へ出力する画像表示装置の駆動方法であって、
信号処理部において、
（ａ）第４の色を加えることで拡大されたＨＳＶ色空間における彩度Ｓを変数とした明度の最大値Ｖmax（Ｓ）を求め、
（ｂ）複数の第１の画素及び第２の画素における副画素・入力信号値に基づき、該複数の第１の画素及び第２の画素における彩度Ｓ及び明度Ｖ（Ｓ）を求め、
（ｃ）複数の第１の画素及び第２の画素において求められたＶmax（Ｓ）／Ｖ（Ｓ）の値の内、少なくとも１つの値に基づいて、伸長係数α0を求め、
（ｄ）第（ｐ，ｑ）番目の画素群において、
第１補正信号値を、伸長係数α0、第２の画素における第１副画素・入力信号、第１の方向に沿って該第２の画素に隣接する隣接画素における第１副画素・入力信号、並びに、第１定数に基づき求め、
第２補正信号値を、伸長係数α0、第２の画素における第２副画素・入力信号、該隣接画素における第２副画素・入力信号、並びに、第２定数に基づき求め、
第３補正信号値を、伸長係数α0、第２の画素における第３副画素・入力信号、該隣接画素における第３副画素・入力信号、並びに、第３定数に基づき求め、
第１補正信号値、第２補正信号値、及び、第３補正信号値の内の最も大きい値を有する補正信号値を第４補正信号値として求め、
第５補正信号値を、伸長係数α0、第２の画素における第１副画素・入力信号、第２副画素・入力信号及び第３副画素・入力信号、並びに、該隣接画素における第１副画素・入力信号、第２副画素・入力信号及び第３副画素・入力信号に基づき求め、
（ｅ）第（ｐ，ｑ）番目の画素群において、第４補正信号値及び第５補正信号値から、第４副画素・出力信号を求め、第４副画素へ出力する画像表示装置の駆動方法。
【請求項１４】
（Ａ）画素群が、第１の方向にＰ個、第２の方向にＱ個の合計、Ｐ×Ｑ個、２次元マトリクス状に配列されて成る画像表示パネル、並びに、
（Ｂ）信号処理部、
を備え、
各画素群は、第１の方向に沿って、第１の画素及び第２の画素から構成され、
第１の画素は、第１原色を表示する第１副画素、第２原色を表示する第２副画素、及び、第３原色を表示する第３副画素から成り、
第２の画素は、第１原色を表示する第１副画素、第２原色を表示する第２副画素、及び、第４の色を表示する第４副画素から成り、
信号処理部において、
第１の画素に関して、
第１副画素・出力信号を、少なくとも第１副画素・入力信号、伸長係数α0及び第４副画素・出力信号に基づき求め、第１副画素へ出力し、
第２副画素・出力信号を、少なくとも第２副画素・入力信号、伸長係数α0及び第４副画素・出力信号に基づき求め、第２副画素へ出力し、
第２の方向に沿って数えたときの第（ｐ，ｑ）番目［但し、ｐ＝１，２・・・Ｐであり、ｑ＝１，２・・・，Ｑである］の第１の画素への第３副画素・入力信号、第（ｐ，ｑ）番目の第２の画素への第３副画素・入力信号及び第４副画素・出力信号に基づき第３副画素・出力信号を求め、第３副画素へ出力し、
第２の画素に関して、
第１副画素・出力信号を、少なくとも第１副画素・入力信号、伸長係数α0及び第４副画素・出力信号に基づき求め、第１副画素へ出力し、
第２副画素・出力信号を、少なくとも第２副画素・入力信号、伸長係数α0及び第４副画素・出力信号に基づき求め、第２副画素へ出力する画像表示装置の駆動方法であって、
信号処理部において、
（ａ）第４の色を加えることで拡大されたＨＳＶ色空間における彩度Ｓを変数とした明度の最大値Ｖmax（Ｓ）を求め、
（ｂ）複数の第１の画素及び第２の画素における副画素・入力信号値に基づき、該複数の第１の画素及び第２の画素における彩度Ｓ及び明度Ｖ（Ｓ）を求め、
（ｃ）複数の第１の画素及び第２の画素において求められたＶmax（Ｓ）／Ｖ（Ｓ）の値の内、少なくとも１つの値に基づいて、伸長係数α0を求め、
（ｄ）第（ｐ，ｑ）番目の画素群において、
第１補正信号値を、伸長係数α0、第２の画素における第１副画素・入力信号、第２の方向に沿って該第２の画素に隣接する隣接画素における第１副画素・入力信号、並びに、第１定数に基づき求め、
第２補正信号値を、伸長係数α0、第２の画素における第２副画素・入力信号、該隣接画素における第２副画素・入力信号、並びに、第２定数に基づき求め、
第３補正信号値を、伸長係数α0、第２の画素における第３副画素・入力信号、該隣接画素における第３副画素・入力信号、並びに、第３定数に基づき求め、
第１補正信号値、第２補正信号値、及び、第３補正信号値の内の最も大きい値を有する補正信号値を第４補正信号値として求め、
第５補正信号値を、伸長係数α0、第１の画素における第１副画素・入力信号、第２副画素・入力信号及び第３副画素・入力信号、並びに、該隣接画素における第１副画素・入力信号、第２副画素・入力信号及び第３副画素・入力信号に基づき求め、
（ｅ）第（ｐ，ｑ）番目の画素群において、第４補正信号値及び第５補正信号値から、第４副画素・出力信号を求め、第４副画素へ出力する画像表示装置の駆動方法。 
【発明の詳細な説明】
【技術分野】
【０００１】
本発明は、画像表示装置の駆動方法に関する。
【背景技術】
【０００２】
近年、例えばカラー液晶表示装置等の画像表示装置では、その高性能化に伴い、消費電力の増大が課題となっている。特に、高精細化、色再現範囲の拡大や高輝度化に伴い、例えばカラー液晶表示装置の場合、バックライトの消費電力が増大してしまう。この問題を解決するために、表示画素を、赤色を表示する赤色表示副画素、緑色を表示する緑色表示副画素、青色を表示する青色表示副画素の３つの副画素に加え、例えば、白色を表示する白色表示副画素の４副画素構成とし、この白色表示副画素により輝度を向上させる技術が注目されている。そして、４副画素構成によって従来と同じ消費電力で高輝度が得られるが故に、輝度を従来と同じとする場合には、バックライトの消費電力を下げることが可能となるし、表示品位の向上を図ることができる。
【０００３】
ここで、例えば、特許第３１６７０２６号公報に開示されたカラー画像表示装置は、
入力信号より加色３原色法における３種類の色信号を生成する手段と、
これらの３色相の色信号より各々同比率にて加色して得られる補助信号を生成し、補助信号と、補助信号を３色相の信号から減算した３種類の色信号の計４種の表示信号を表示器に供給する手段、
を有する。尚、３種類の色信号によって赤色表示副画素、緑色表示副画素及び青色表示副画素が駆動され、補助信号によって白色表示副画素が駆動される。
【０００４】
また、特許第３８０５１５０号公報には、赤出力用副画素、緑出力用副画素、青出力用副画素及び輝度用副画素を１つの主画素単位とする液晶パネルを備えるカラー表示可能な液晶表示装置であって、
入力画像信号から得られた赤入力用副画素、緑入力用副画素及び青入力用副画素のデジタル値Ｒｉ、Ｇｉ及びＢｉを用いて、前記輝度用副画素を駆動するためのデジタル値Ｗと、前記赤出力用副画素、緑出力用副画素、青出力用副画素及び輝度用副画素を駆動するためのデジタル値Ｒｏ、Ｇｏ、及びＢｏとを求める演算手段を有し、
前記演算手段は、
Ｒｉ：Ｇｉ：Ｂｉ＝（Ｒｏ＋Ｗ）：（Ｇｏ＋Ｗ）：（Ｂｏ＋Ｗ）
の関係を満たしかつ前記輝度用副画素の追加により前記赤入力用副画素、緑入力用副画素及び青入力用副画素のみの構成よりも輝度の増強がなされるようなＲｏ、Ｇｏ及びＢｏ、並びにＷの各値を求めることを特徴とする液晶表示装置が開示されている。
【０００５】
更には、ＰＣＴ／ＫＲ２００４／０００６５９には、赤色表示副画素、緑色表示副画素及び青色表示副画素から構成された第１画素、並びに、赤色表示副画素、緑色表示副画素及び白色表示副画素から構成された第２画素から構成され、第１の方向には第１画素及び第２画素が交互に配列され、且つ、第２の方向にも第１画素及び第２画素が交互に配列された液晶表示装置、あるいは又、第１の方向には第１画素及び第２画素が交互に配列され、且つ、第２の方向には第１画素が隣接して配列され、しかも、第２画素が隣接して配列された液晶表示装置が開示されている。
【先行技術文献】
【特許文献】
【０００６】
【特許文献１】特許第３１６７０２６号公報
【特許文献２】特許第３８０５１５０号公報
【特許文献３】ＰＣＴ／ＫＲ２００４／０００６５９
【発明の概要】
【発明が解決しようとする課題】
【０００７】
ところで、特許第３１６７０２６号公報や特許第３８０５１５０号公報に開示された技術にあっては、白色表示副画素の輝度は増加するが、赤色表示副画素、緑色表示副画素あるいは青色表示副画素の輝度は増加しない。通常、白色表示副画素にはカラーフィルターが配置されていない。従って、白色表示副画素の発光色は、面状光源装置の発光色となる。それ故、面状光源装置の発光色の影響を強く受け、画像表示装置に色ズレが発生する虞がある。あるいは又、液晶表示装置にあっては、階調が低くなると色純度が低下する傾向にある。それ故、同じ輝度を保持できるのであれば、白色表示副画素の輝度を出来るだけ低くし、赤色表示副画素、緑色表示副画素あるいは青色表示副画素の輝度を増加させることが望ましい。
【０００８】
ＰＣＴ／ＫＲ２００４／０００６５９に開示された技術において、第２画素にあっては、青色表示副画素が白色表示副画素によって置き換えられている。そして、白色表示副画素への出力信号は、白色表示副画素によって置き換えられる前に存在したと仮定した青色表示副画素への出力信号である。それ故、第１画素を構成する青色表示副画素及び第２画素を構成する白色表示副画素への出力信号の最適化が図られていない。また、色の変化や輝度の変化が起こるため、画質が著しく低下するという問題もある。
【０００９】
従って、本発明の目的は、面状光源装置の発光色の影響を受け難く、あるいは又、色ズレが発生し難く、しかも、各副画素への出力信号の最適化が図られ、輝度の増加を確実に図ることができる画像表示装置の駆動方法を提供することにある。
【課題を解決するための手段】
【００１０】
上記の目的を達成するための本発明の第１の態様に係る画像表示装置の駆動方法（以下
、『本発明の第１の態様に係る駆動方法』と呼ぶ場合がある）は、
（Ａ）第１原色を表示する第１副画素、第２原色を表示する第２副画素、第３原色を表
示する第３副画素、及び、第４の色を表示する第４副画素から構成された画素が２次元マ
トリクス状に配列されて成る画像表示パネル、並びに、
（Ｂ）信号処理部、
を備え、
信号処理部において、
第１副画素・出力信号を、少なくとも第１副画素・入力信号及び伸長係数α0に基づき
求め、第１副画素へ出力し、
第２副画素・出力信号を、少なくとも第２副画素・入力信号及び伸長係数α0に基づき
求め、第２副画素へ出力し、
第３副画素・出力信号を、少なくとも第３副画素・入力信号及び伸長係数α0に基づき
求め、第３副画素へ出力する画像表示装置の駆動方法である。そして、
信号処理部において、
（ａ）第４の色を加えることで拡大されたＨＳＶ色空間における彩度Ｓを変数とした明
度の最大値Ｖmax（Ｓ）を求め、
（ｂ）複数の画素における副画素・入力信号値に基づき、該複数の画素における彩度Ｓ
及び明度Ｖ（Ｓ）を求め、
（ｃ）複数の画素において求められたＶmax（Ｓ）／Ｖ（Ｓ）の値の内、少なくとも１
つの値に基づいて、伸長係数α0を求め、
（ｄ）各画素において、
第１補正信号値を、伸長係数α0、第１副画素・入力信号、並びに、第１定数に基づき
求め、
第２補正信号値を、伸長係数α0、第２副画素・入力信号、並びに、第２定数に基づき
求め、
第３補正信号値を、伸長係数α0、第３副画素・入力信号、並びに、第３定数に基づき
求め、
第１補正信号値、第２補正信号値、及び、第３補正信号値の内の最も大きい値を有する
補正信号値を第４補正信号値として求め、
第５補正信号値を、伸長係数α0、第１副画素・入力信号、第２副画素・入力信号、及
び、第３副画素・入力信号に基づき求め、
（ｅ）各画素において、第４補正信号値及び第５補正信号値から、第４副画素・出力信
号を求め、第４副画素へ出力する。 
【００１１】
上記の目的を達成するための本発明の第２の態様に係る画像表示装置の駆動方法（以下
、『本発明の第２の態様に係る駆動方法』と呼ぶ場合がある）は、
（Ａ）画素が、第１の方向にＰ0個、第２の方向にＱ0個の合計、Ｐ0×Ｑ0個、２次元マ
トリクス状に配列されて成る画像表示パネル、並びに、
（Ｂ）信号処理部、
を備え、
各画素は、第１原色を表示する第１副画素、第２原色を表示する第２副画素、第３原色
を表示する第３副画素、及び、第４の色を表示する第４副画素から成り、
信号処理部においては、
第１副画素・出力信号を、少なくとも第１副画素・入力信号及び伸長係数α0に基づき
求め、第１副画素へ出力し、
第２副画素・出力信号を、少なくとも第２副画素・入力信号及び伸長係数α0に基づき
求め、第２副画素へ出力し、
第３副画素・出力信号を、少なくとも第３副画素・入力信号及び伸長係数α0に基づき
求め、第３副画素へ出力する画像表示装置の駆動方法である。そして、
信号処理部において、
（ａ）第４の色を加えることで拡大されたＨＳＶ色空間における彩度Ｓを変数とした明
度の最大値Ｖmax（Ｓ）を求め、
（ｂ）複数の画素における副画素・入力信号値に基づき、該複数の画素における彩度Ｓ
及び明度Ｖ（Ｓ）を求め、
（ｃ）複数の画素において求められたＶmax（Ｓ）／Ｖ（Ｓ）の値の内、少なくとも１
つの値に基づいて、伸長係数α0を求め、
（ｄ）第２の方向に沿って数えたときの第（ｐ，ｑ）番目［但し、ｐ＝１，２・・・Ｐ
0であり、ｑ＝１，２・・・，Ｑ0である］の画素において、
第１補正信号値を、伸長係数α0、第（ｐ，ｑ）番目の画素における第１副画素・入力
信号、第２の方向に沿って第（ｐ，ｑ）番目の画素に隣接する隣接画素における第１副画
素・入力信号、並びに、第１定数に基づき求め、
第２補正信号値を、伸長係数α0、第（ｐ，ｑ）番目の画素における第２副画素・入力
信号、該隣接画素における第２副画素・入力信号、並びに、第２定数に基づき求め、
第３補正信号値を、伸長係数α0、第（ｐ，ｑ）番目の画素における第３副画素・入力
信号、該隣接画素における第３副画素・入力信号、並びに、第３定数に基づき求め、
第１補正信号値、第２補正信号値、及び、第３補正信号値の内の最も大きい値を有する
補正信号値を第４補正信号値として求め、
第５補正信号値を、伸長係数α0、第（ｐ，ｑ）番目の画素における第１副画素・入力
信号、第２副画素・入力信号及び第３副画素・入力信号、並びに、該隣接画素における第１副画素・入力信号、第２副画素・入力信号及び第３副画素・入力信号に基づき求め、
（ｅ）第（ｐ，ｑ）番目の画素において、第４補正信号値及び第５補正信号値から、第
（ｐ，ｑ）番目の画素における第４副画素・出力信号を求め、第（ｐ，ｑ）番目の画素に
おける第４副画素へ出力する。 
【００１２】
上記の目的を達成するための本発明の第３の態様に係る画像表示装置の駆動方法（以下
、『本発明の第３の態様に係る駆動方法』と呼ぶ場合がある）は、
（Ａ）第１原色を表示する第１副画素、第２原色を表示する第２副画素、及び、第３原
色を表示する第３副画素から構成された画素が、第１の方向及び第２の方向に２次元マト
リクス状に配列され、第１の方向に配列された少なくとも第１の画素及び第２の画素によ
って画素群が構成され、各画素群において、第１の画素と第２の画素との間に第４の色を
表示する第４副画素が配置されている画像表示パネル、並びに、
（Ｂ）信号処理部、
を備え、
信号処理部において、
第１の画素に関して、
第１副画素・出力信号を、少なくとも第１副画素・入力信号及び伸長係数α0に基づき
求め、第１副画素へ出力し、
第２副画素・出力信号を、少なくとも第２副画素・入力信号及び伸長係数α0に基づき
求め、第２副画素へ出力し、
第３副画素・出力信号を、少なくとも第３副画素・入力信号及び伸長係数α0に基づき
求め、第３副画素へ出力し、
第２の画素に関して、
第１副画素・出力信号を、少なくとも第１副画素・入力信号及び伸長係数α0に基づき
求め、第１副画素へ出力し、
第２副画素・出力信号を、少なくとも第２副画素・入力信号及び伸長係数α0に基づき
求め、第２副画素へ出力し、
第３副画素・出力信号を、少なくとも第３副画素・入力信号及び伸長係数α0に基づき
求め、第３副画素へ出力する画像表示装置の駆動方法である。そして、
信号処理部において、
（ａ）第４の色を加えることで拡大されたＨＳＶ色空間における彩度Ｓを変数とした明
度の最大値Ｖmax（Ｓ）を求め、
（ｂ）複数の第１の画素及び第２の画素における副画素・入力信号値に基づき、該複数
の第１の画素及び第２の画素における彩度Ｓ及び明度Ｖ（Ｓ）を求め、
（ｃ）複数の第１の画素及び第２の画素において求められたＶmax（Ｓ）／Ｖ（Ｓ）の
値の内、少なくとも１つの値に基づいて、伸長係数α0を求め、
（ｄ）各画素群において、
第１補正信号値を、伸長係数α0、第１の画素及び第２の画素における第１副画素・入
力信号、並びに、第１定数に基づき求め、
第２補正信号値を、伸長係数α0、第１の画素及び第２の画素における第２副画素・入
力信号、並びに、第２定数に基づき求め、
第３補正信号値を、伸長係数α0、第１の画素及び第２の画素における第３副画素・入
力信号、並びに、第３定数に基づき求め、
第１補正信号値、第２補正信号値、及び、第３補正信号値の内の最も大きい値を有する
補正信号値を第４補正信号値として求め、
第５補正信号値を、伸長係数α0、第１の画素における第１副画素・入力信号、第２副
画素・入力信号及び第３副画素・入力信号、並びに、第２の画素における第１副画素・入力信号、第２副画素・入力信号及び第３副画素・入力信号に基づき求め、
（ｅ）各画素群において、第４補正信号値及び第５補正信号値から、第４副画素・出力
信号を求め、第４副画素へ出力する。 
【００１３】
上記の目的を達成するための本発明の第４の態様に係る画像表示装置の駆動方法（以下、『本発明の第４の態様に係る駆動方法』と呼ぶ場合がある）は、
（Ａ）画素群が、第１の方向にＰ個、第２の方向にＱ個の合計、Ｐ×Ｑ個、２次元マトリクス状に配列されて成る画像表示パネル、並びに、
（Ｂ）信号処理部、
を備え、
各画素群は、第１の方向に沿って、第１の画素及び第２の画素から構成され、
第１の画素は、第１原色を表示する第１副画素、第２原色を表示する第２副画素、及び、第３原色を表示する第３副画素から成り、
第２の画素は、第１原色を表示する第１副画素、第２原色を表示する第２副画素、及び、第４の色を表示する第４副画素から成り、
信号処理部において、
第１の画素に関して、
第１副画素・出力信号を、少なくとも第１副画素・入力信号及び伸長係数α0に基づき求め、第１副画素へ出力し、
第２副画素・出力信号を、少なくとも第２副画素・入力信号及び伸長係数α0に基づき求め、第２副画素へ出力し、
第１の方向に沿って数えたときの第（ｐ，ｑ）番目［但し、ｐ＝１，２・・・Ｐであり、ｑ＝１，２・・・，Ｑである］の第１の画素への第３副画素・出力信号を、少なくとも第（ｐ，ｑ）番目の第１の画素への第３副画素・入力信号、並びに、第（ｐ，ｑ）番目の第２の画素への第３副画素・入力信号に基づき求め、第３副画素へ出力し、
第２の画素に関して、
第１副画素・出力信号を、少なくとも第１副画素・入力信号及び伸長係数α0に基づき求め、第１副画素へ出力し、
第２副画素・出力信号を、少なくとも第２副画素・入力信号及び伸長係数α0に基づき求め、第２副画素へ出力する画像表示装置の駆動方法である。そして、
信号処理部において、
（ａ）第４の色を加えることで拡大されたＨＳＶ色空間における彩度Ｓを変数とした明度の最大値Ｖmax（Ｓ）を求め、
（ｂ）複数の第１の画素及び第２の画素における副画素・入力信号値に基づき、該複数の第１の画素及び第２の画素における彩度Ｓ及び明度Ｖ（Ｓ）を求め、
（ｃ）複数の第１の画素及び第２の画素において求められたＶmax（Ｓ）／Ｖ（Ｓ）の値の内、少なくとも１つの値に基づいて、伸長係数α0を求め、
（ｄ）第（ｐ，ｑ）番目の画素群において、
第１補正信号値を、伸長係数α0、第２の画素における第１副画素・入力信号、第１の方向に沿って該第２の画素に隣接する隣接画素における第１副画素・入力信号、並びに、第１定数に基づき求め、
第２補正信号値を、伸長係数α0、第２の画素における第２副画素・入力信号、該隣接画素における第２副画素・入力信号、並びに、第２定数に基づき求め、
第３補正信号値を、伸長係数α0、第２の画素における第３副画素・入力信号、該隣接画素における第３副画素・入力信号、並びに、第３定数に基づき求め、
第１補正信号値、第２補正信号値、及び、第３補正信号値の内の最も大きい値を有する補正信号値を第４補正信号値として求め、
第５補正信号値を、伸長係数α0、第２の画素における第１副画素・入力信号、第２副画素・入力信号及び第３副画素・入力信号、並びに、該隣接画素における第１副画素・入力信号、第２副画素・入力信号及び第３副画素・入力信号に基づき求め、
（ｅ）第（ｐ，ｑ）番目の画素群において、第４補正信号値及び第５補正信号値から、第４副画素・出力信号を求め、第４副画素へ出力する。
【００１４】
上記の目的を達成するための本発明の第５の態様に係る画像表示装置の駆動方法（以下、『本発明の第５の態様に係る駆動方法』と呼ぶ場合がある）は、
（Ａ）画素群が、第１の方向にＰ個、第２の方向にＱ個の合計、Ｐ×Ｑ個、２次元マトリクス状に配列されて成る画像表示パネル、並びに、
（Ｂ）信号処理部、
を備え、
各画素群は、第１の方向に沿って、第１の画素及び第２の画素から構成され、
第１の画素は、第１原色を表示する第１副画素、第２原色を表示する第２副画素、及び、第３原色を表示する第３副画素から成り、
第２の画素は、第１原色を表示する第１副画素、第２原色を表示する第２副画素、及び、第４の色を表示する第４副画素から成り、
信号処理部において、
第１の画素に関して、
第１副画素・出力信号を、少なくとも第１副画素・入力信号及び伸長係数α0に基づき求め、第１副画素へ出力し、
第２副画素・出力信号を、少なくとも第２副画素・入力信号及び伸長係数α0に基づき求め、第２副画素へ出力し、
第２の方向に沿って数えたときの第（ｐ，ｑ）番目［但し、ｐ＝１，２・・・Ｐであり、ｑ＝１，２・・・，Ｑである］の第１の画素への第３副画素・入力信号並びに第（ｐ，ｑ）番目の第２の画素への第３副画素・入力信号に基づき第３副画素・出力信号を求め、第３副画素へ出力し、
第２の画素に関して、
第１副画素・出力信号を、少なくとも第１副画素・入力信号及び伸長係数α0に基づき求め、第１副画素へ出力し、
第２副画素・出力信号を、少なくとも第２副画素・入力信号及び伸長係数α0に基づき求め、第２副画素へ出力する画像表示装置の駆動方法である。そして、
信号処理部において、
（ａ）第４の色を加えることで拡大されたＨＳＶ色空間における彩度Ｓを変数とした明度の最大値Ｖmax（Ｓ）を求め、
（ｂ）複数の第１の画素及び第２の画素における副画素・入力信号値に基づき、該複数の第１の画素及び第２の画素における彩度Ｓ及び明度Ｖ（Ｓ）を求め、
（ｃ）複数の第１の画素及び第２の画素において求められたＶmax（Ｓ）／Ｖ（Ｓ）の値の内、少なくとも１つの値に基づいて、伸長係数α0を求め、
（ｄ）第（ｐ，ｑ）番目の画素群において、
第１補正信号値を、伸長係数α0、第２の画素における第１副画素・入力信号、第２の方向に沿って該第２の画素に隣接する隣接画素における第１副画素・入力信号、並びに、第１定数に基づき求め、
第２補正信号値を、伸長係数α0、第２の画素における第２副画素・入力信号、該隣接画素における第２副画素・入力信号、並びに、第２定数に基づき求め、
第３補正信号値を、伸長係数α0、第２の画素における第３副画素・入力信号、該隣接画素における第３副画素・入力信号、並びに、第３定数に基づき求め、
第１補正信号値、第２補正信号値、及び、第３補正信号値の内の最も大きい値を有する補正信号値を第４補正信号値として求め、
第５補正信号値を、伸長係数α0、第１の画素における第１副画素・入力信号、第２副画素・入力信号及び第３副画素・入力信号、並びに、該隣接画素における第１副画素・入力信号、第２副画素・入力信号及び第３副画素・入力信号に基づき求め、
（ｅ）第（ｐ，ｑ）番目の画素群において、第４補正信号値及び第５補正信号値から、第４副画素・出力信号を求め、第４副画素へ出力する。
【発明の効果】
【００１５】
本発明の第１の態様〜第５の態様に係る駆動方法にあっては、第１補正信号値、第２補正信号値、及び、第３補正信号値の内の最も大きい値を有する補正信号値を第４補正信号値として求め、第４補正信号値及び第５補正信号値から第４副画素・出力信号を求める。それ故、第４副画素の輝度を出来るだけ低く抑え、第１副画素、第２副画素及び第３副画素の輝度を増加させることができる。その結果、画像表示装置は、面状光源装置の発光色の影響を受け難くなり、色ズレが発生し難くなる。あるいは又、階調が低くなると色純度が低下するといった問題の発生を抑えることが可能となる。
【００１６】
しかも、本発明の第１の態様〜第５の態様に係る駆動方法にあっては、第４の色を加えることで色空間（ＨＳＶ色空間）が拡大され、副画素・出力信号が、少なくとも副画素・入力信号及び伸長係数α0に基づき求められる。このように、伸長係数α0に基づき出力信号値を伸長するので、各副画素への出力信号の最適化を図ることができるだけでなく、例えば、赤色表示副画素、緑色表示副画素及び青色表示副画素の輝度を増加させるので、輝度の増加を確実に図ることができ、あるいは又、画像表示装置が組み込まれた画像表示装置組立体全体の消費電力の低減を図ることが可能となる。
【００１７】
また、本発明の第１の態様に係る駆動方法にあっては、表示画像の輝度の増加を図ることができ、例えば、静止画や広告媒体、携帯電話の待ち受け画面等の画像表示に最適である。一方、本発明の第１の態様に係る駆動方法を画像表示装置組立体の駆動方法に適用することで、面状光源装置の輝度を基準伸長係数α0に基づき減少させることができるが故に、面状光源装置の消費電力の低減を図ることができる。
【００１８】
また、本発明の第２の態様に係るの駆動方法にあっては、第（ｐ，ｑ）番目の画素への第４副画素・出力信号を、第（ｐ，ｑ）番目の画素への副画素・入力信号及びこの画素に第２の方向に沿って隣接する隣接画素への副画素・入力信号に基づき求める。即ち、或る画素への第４副画素・出力信号が、この或る画素と隣接する隣接画素への入力信号にも基づき求められるので、第４副画素への出力信号の最適化が図られている。また、第４副画素を備えているが故に、輝度の増加を確実に図ることができるし、表示品位の向上を図ることができる。
【００１９】
また、本発明の第３の態様、第４の態様の態様に係る駆動方法にあっては、信号処理部において、各画素群の第１の画素並びに第２の画素への第１副画素・入力信号、第２副画素・入力信号及び第３副画素・入力信号から第４副画素・出力信号を求め、出力する。即ち、第４副画素・出力信号が、隣接する第１の画素並びに第２の画素への入力信号に基づき求められるので、第４副画素への出力信号の最適化が図られている。しかも、本発明の第３の態様、第４の態様に係る駆動方法にあっては、少なくとも第１の画素及び第２の画素によって構成された画素群に対して１つの第４副画素が配置されているので、副画素における開口領域の面積の減少を抑制することができる。その結果、輝度の増加を確実に図ることができるし、表示品位の向上を図ることができる。また、バックライトの消費電力を下げることが可能となる。
【００２０】
また、本発明の第５の態様に係る駆動方法にあっては、第（ｐ，ｑ）番目の第２の画素への第４副画素・出力信号を、第（ｐ，ｑ）番目の第２の画素への副画素・入力信号及びこの第２の画素と第２の方向に沿って隣接する隣接画素への副画素・入力信号に基づき求める。即ち、或る画素群を構成する第２の画素への第４副画素・出力信号が、この或る画素群を構成する第２の画素への入力信号だけでなく、この第２の画素と隣接する隣接画素への入力信号にも基づき求められるので、第４副画素への出力信号の最適化が図られている。しかも、第１の画素及び第２の画素によって構成された画素群に対して１つの第４副画素が配置されているので、副画素における開口領域の面積の減少を抑制することができる。その結果、輝度の増加を確実に図ることができるし、表示品位の向上を図ることができる。
【図面の簡単な説明】
【００２１】
【図１】図１は、実施例１の画像表示装置の概念図である。
【図２】図２の（Ａ）及び（Ｂ）は、実施例１の画像表示装置における画像表示パネル及び画像表示パネル駆動回路の概念図である。
【図３】図３の（Ａ）及び（Ｂ）は、それぞれ、一般的な円柱のＨＳＶ色空間の概念図、及び、彩度Ｓと明度Ｖ（Ｓ）の関係を模式的に示す図であり、図３の（Ｃ）及び（Ｄ）は、それぞれ、実施例１における拡大された円柱のＨＳＶ色空間の概念図、及び、彩度Ｓと明度Ｖ（Ｓ）の関係を模式的に示す図である。
【図４】図４の（Ａ）及び（Ｂ）は、それぞれ、実施例１における第４の色（白色）を加えることで拡大された円柱のＨＳＶ色空間における彩度Ｓと明度Ｖ（Ｓ）の関係を模式的に示す図である。
【図５】図５は、実施例１における第４の色（白色）を加える前の従来のＨＳＶ色空間、第４の色（白色）を加えることで拡大されたＨＳＶ色空間、及び、入力信号の彩度Ｓと明度Ｖ（Ｓ）の関係を示す図である。
【図６】図６は、実施例１における第４の色（白色）を加える前の従来のＨＳＶ色空間、第４の色（白色）を加えることで拡大されたＨＳＶ色空間、及び、出力信号（伸長処理が施されている）の彩度Ｓと明度Ｖ（Ｓ）の関係を示す図である。
【図７】図７の（Ａ）及び（Ｂ）は、それぞれ、実施例１の画像表示装置の駆動方法、画像表示装置組立体の駆動方法における伸長処理と、特許第３８０５１５０号公報に開示された処理方法との違いを説明するための、入力信号値及び出力信号値を模式的に示す図である。
【図８】図８は、実施例２の画像表示装置組立体を構成する画像表示パネル及び面状光源装置の概念図である。
【図９】図９は、実施例２の画像表示装置組立体を構成する面状光源装置における面状光源装置制御回路の回路図である。
【図１０】図１０は、実施例２の画像表示装置組立体を構成する面状光源装置における面状光源ユニット等の配置、配列状態を模式的に示す図である。
【図１１】図１１の（Ａ）及び（Ｂ）は、表示領域ユニット内・信号最大値Ｘmax-(s,t)に相当する制御信号が副画素に供給されたと想定したときの表示輝度・第２規定値ｙ2が面状光源ユニットによって得られるように、面状光源ユニットの光源輝度Ｙ2を、面状光源装置駆動回路の制御下、増減する状態を説明するための概念図である。
【図１２】図１２は、実施例３の画像表示装置の等価回路図である。
【図１３】図１３は、実施例３の画像表示装置を構成する画像表示パネルの概念図である。
【図１４】図１４は、実施例４の画像表示装置における各画素の配置例を模式的に示す図である。
【図１５】図１５は、実施例５の画像表示パネルにおける各画素、画素群の配置を模式的に示す図である。
【図１６】図１６は、実施例６の画像表示パネルにおける各画素、画素群の配置を模式的に示す図である。
【図１７】図１７は、実施例７の画像表示パネルにおける各画素、画素群の配置を模式的に示す図である。
【図１８】図１８は、実施例５の画像表示装置における画像表示パネル及び画像表示パネル駆動回路の概念図である。
【図１９】図１９は、実施例５の画像表示装置の駆動方法、画像表示装置組立体の駆動方法における伸長処理での入力信号値及び出力信号値を模式的に示す図である。
【図２０】図２０は、実施例８、実施例９あるいは実施例１０の画像表示パネルにおける各画素、画素群の配置を模式的に示す図である。
【図２１】図２１は、実施例８、実施例９あるいは実施例１０の画像表示パネルにおける各画素、画素群の別の配置例を模式的に示す図である。
【図２２】図２２は、実施例９において、画素群を構成する第１の画素と第２の画素における第１副画素、第２副画素、第３副画素及び第４副画素の配列の変形例を説明するための概念図である。
【図２３】図２３は、実施例１０の画像表示装置における各画素、画素群の更に別の配置例を模式的に示す図である。
【図２４】図２４の（Ａ）及び（Ｂ）は、実施例１において、第４副画素・出力信号を求める関数を例示するグラフである。
【図２５】図２５は、エッジライト型（サイドライト型）の面状光源装置の概念図である。
【発明を実施するための形態】
【００２２】
以下、図面を参照して、実施例に基づき本発明を説明するが、本発明は実施例に限定されるものではなく、実施例における種々の数値や材料は例示である。尚、説明は、以下の順序で行う。
１．本発明の第１の態様〜第５の態様に係る画像表示装置の駆動方法、全般に関する説明、全般に関する説明
２．実施例１（本発明の第１の態様に係る画像表示装置の駆動方法）
３．実施例２（実施例１の変形）
４．実施例３（実施例１の別の変形）
５．実施例４（本発明の第２の態様に係る画像表示装置の駆動方法）
６．実施例５（本発明の第３の態様に係る画像表示装置の駆動方法）
７．実施例６（実施例５の変形）
８．実施例７（実施例５の別の変形）
９．実施例８（本発明の第４の態様に係る画像表示装置の駆動方法）
１０．実施例９（実施例８の変形）
１１．実施例１０（本発明の第５の態様に係る画像表示装置の駆動方法）、その他
【００２３】
［本発明の第１の態様〜第５の態様に係る画像表示装置の駆動方法、全般に関する説明］
上記の目的を達成するための第１の態様〜第５の態様に係る画像表示装置組立体の駆動方法における画像表示装置組立体は、上述した本発明の第１の態様〜第５の態様における画像表示装置、並びに、画像表示装置を背面から照明する面状光源装置を具備した画像表示装置組立体である。そして、第１の態様〜第５の態様に係る画像表示装置組立体の駆動方法に対して、本発明の第１の態様〜第５の態様に係る駆動方法を適用することができる。
【００２４】
本発明の第１の態様に係る駆動方法にあっては、限定するものではないが、
第１補正信号値を、伸長係数α0と第１副画素・入力信号の積から第１定数を減じることで求め、
第２補正信号値を、伸長係数α0と第２副画素・入力信号の積から第２定数を減じることで求め、
第３補正信号値を、伸長係数α0と第３副画素・入力信号の積から第３定数を減じることで求める形態とすることができる。ここで、このような形態にあっては、限定するものではないが、第１定数を第１副画素・入力信号が取り得る最大値、第２定数を第２副画素・入力信号が取り得る最大値、第３定数を第３副画素・入力信号が取り得る最大値とすることができる。
【００２５】
そして、このような好ましい形態を含む本発明の第１の態様に係る駆動方法にあっては、限定するものではないが、第４補正信号値と第５補正信号値の内の小さい値を有する補正信号値を第４副画素・出力信号として求める形態とすることができ、あるいは又、第４補正信号値と第５補正信号値の平均値を第４副画素・出力信号として求める形態とすることができる。
【００２６】
また、本発明の第２の態様に係る駆動方法にあっては、限定するものではないが、
第１補正信号値を、伸長係数α0と第（ｐ，ｑ）番目の画素における第１副画素・入力信号の積から第１定数を減じることで求めた値、及び、伸長係数α0と前記隣接画素における第１副画素・入力信号の積から第１定数を減じることで求めた値の内の大きい方の値とし、
第２補正信号値を、伸長係数α0と第（ｐ，ｑ）番目の画素における第２副画素・入力信号の積から第２定数を減じることで求めた値、及び、伸長係数α0と該隣接画素における第２副画素・入力信号の積から第２定数を減じることで求めた値の内の大きい方の値とし、
第３補正信号値を、伸長係数α0と第（ｐ，ｑ）番目の画素における第３副画素・入力信号の積から第３定数を減じることで求めた値、及び、伸長係数α0と該隣接画素における第３副画素・入力信号の積から第３定数を減じることで求めた値の内の大きい方の値とする形態とすることができる。ここで、このような形態にあっては、限定するものではないが、第１定数を第１副画素・入力信号が取り得る最大値、第２定数を第２副画素・入力信号が取り得る最大値、第３定数を第３副画素・入力信号が取り得る最大値とすることができる。
【００２７】
そして、このような好ましい形態を含む本発明の第２の態様に係る駆動方法にあっては、限定するものではないが、第４補正信号値と第５補正信号値の内の小さい値を有する補正信号値を第４副画素・出力信号として求める形態とすることができ、あるいは又、第４補正信号値と第５補正信号値の平均値を第４副画素・出力信号として求める形態とすることができる。
【００２８】
また、本発明の第３の態様、第４の態様あるいは第５の態様に係る駆動方法にあっては、限定するものではないが、
第１補正信号値を、伸長係数α0と第１の画素（あるいは隣接画素）における第１副画素・入力信号の積から第１定数を減じることで求めた値、及び、伸長係数α0と第２の画素における第１副画素・入力信号の積から第１定数を減じることで求めた値の内の大きい方の値とし、
第２補正信号値を、伸長係数α0と第１の画素（あるいは隣接画素）における第２副画素・入力信号の積から第２定数を減じることで求めた値、及び、伸長係数α0と第２の画素における第２副画素・入力信号の積から第２定数を減じることで求めた値の内の大きい方の値とし、
第３補正信号値を、伸長係数α0と第１の画素（あるいは隣接画素）における第３副画素・入力信号の積から第３定数を減じることで求めた値、及び、伸長係数α0と第２の画素における第３副画素・入力信号の積から第３定数を減じることで求めた値の内の大きい方の値とする形態とすることができる。ここで、このような形態にあっては、限定するものではないが、第１定数を第１副画素・入力信号が取り得る最大値、第２定数を第２副画素・入力信号が取り得る最大値とし、第３定数を、第３副画素・入力信号が取り得る最大値（本発明の第３の態様に係る駆動方法）あるいは第３副画素・入力信号が取り得る最大値の（１／２）（本発明の第４の態様、第５の態様に係る駆動方法）とすることができる。
【００２９】
そして、このような好ましい形態を含む本発明の第３の態様、第４の態様あるいは第５の態様に係る駆動方法にあっては、限定するものではないが、第４補正信号値と第５補正信号値の内の小さい値を有する補正信号値を第４副画素・出力信号として求める形態とすることができ、あるいは又、第４補正信号値と第５補正信号値の平均値を第４副画素・出力信号として求める形態とすることができる。
【００３０】
好ましい形態を含む本発明の第１の態様〜第５の態様に係る駆動方法において、彩度Ｓ及び明度Ｖ（Ｓ）は、
Ｓ＝（Ｍａｘ−Ｍｉｎ）／Ｍａｘ
Ｖ（Ｓ）＝Ｍａｘ
で表され、
Ｍａｘ：画素への第１副画素・入力信号値、第２副画素・入力信号値及び第３副画素・入力信号値の３つの副画素・入力信号値の最大値
Ｍｉｎ：画素への第１副画素・入力信号値、第２副画素・入力信号値及び第３副画素・入力信号値の３つの副画素・入力信号値の最小値
である。尚、彩度Ｓは０から１までの値をとることができ、明度Ｖ（Ｓ）は０から（２n−１）までの値をとることができ、ｎは表示階調ビット数であり、「ＨＳＶ色空間」の「Ｈ」は、色の種類を指す色相（Hue）を意味し、「Ｓ」は、色の鮮やかさを指す彩度（Saturation, Chroma）を意味し、「Ｖ」は、色の明るさを指す明度（Brightness Value, Lightness Value）を意味する。以下においても同様である。
【００３１】
また、複数の画素、あるいは、複数の第１の画素及び第２の画素において求められたＶmax（Ｓ）／Ｖ（Ｓ）［≡α（Ｓ）］の値の内、最も小さい値（αmin）を伸長係数α0とする形態とすることができる。あるいは又、表示すべき画像にも依るが、例えば、（１±０．４）・αmin内のいずれかの値を伸長係数α0としてもよい。あるいは又、複数の画素、あるいは、複数の第１の画素及び第２の画素において求められたＶmax（Ｓ）／Ｖ（Ｓ）［≡α（Ｓ）］の値の内、少なくとも１つの値に基づいて伸長係数α0が求められるが、１つの値（例えば、最も小さい値αmin）に基づいて伸長係数α0を求めてもよいし、最も小さい値から順に複数個の値α（Ｓ）を求め、これらの値の平均値（αave）を伸長係数α0としてもよいし、更には、（１±０．４）・αave内のいずれかの値を伸長係数α0としてもよい。あるいは又、最も小さい値から順に複数個の値α（Ｓ）を求めたときの画素の数が所定の数以下の場合、複数個の個数の数を変更して、最も小さい値から順に複数個の値α（Ｓ）を再び求めてもよい。
【００３２】
伸長係数α0は、１画像表示フレーム毎に決定される構成とすることができる。また、本発明の第１の態様〜第５の態様に係る駆動方法において、場合によっては、画像表示装置を照明する光源（例えば、面状光源装置）の輝度を、伸長係数α0に基づき減少させる構成とすることができる。
【００３３】
彩度Ｓ及び明度Ｖ（Ｓ）を求めるべき複数の画素あるいは画素群は、全画素あるいは画素群である形態とすることができるし、あるいは又、全画素あるいは画素群の（１／Ｎ）とすることもできる。尚、「Ｎ」は２以上の自然数である。Ｎの具体的な値として、２，４，８，１６・・・といった２の冪乗を例示することができる。前者の形態を採用することで、画質変化が無く、画質を最大限、良好に保持することができる。一方、後者の形態を採用することで、処理速度の向上、信号処理部の回路の簡素化を図ることができる。
【００３４】
上記の好ましい形態を含む本発明の第１の態様あるいは本発明の第２の態様に係る駆動方法にあっては、第（ｐ，ｑ）番目の画素（但し、１≦ｐ≦Ｐ0，１≦ｑ≦Ｑ0）に関して、
信号処理部には、
信号値がｘ1-(p,q)の第１副画素・入力信号、
信号値がｘ2-(p,q)の第２副画素・入力信号、及び、
信号値がｘ3-(p,q)の第３副画素・入力信号、
が入力され、
信号処理部は、
信号値がＸ1-(p,q)であり、第１副画素の表示階調を決定するための第１副画素・出力信号、
信号値がＸ2-(p,q)であり、第２副画素の表示階調を決定するための第２副画素・出力信号、
信号値がＸ3-(p,q)であり、第３副画素の表示階調を決定するための第３副画素・出力信号、及び、
信号値がＸ4-(p,q)であり、第４副画素の表示階調を決定するための第４副画素・出力信号、
を出力する構成とすることができる。
【００３５】
また、上記の好ましい形態を含む本発明の第３の態様、本発明の第４の態様あるいは本発明の第５の態様に係る駆動方法にあっては、
第（ｐ，ｑ）番目の画素群（但し、１≦ｐ≦Ｐ，１≦ｑ≦Ｑ）を構成する第１の画素に関して、
信号処理部には、
信号値がｘ1-(p,q)-1の第１副画素・入力信号、
信号値がｘ2-(p,q)-1の第２副画素・入力信号、及び、
信号値がｘ3-(p,q)-1の第３副画素・入力信号、
が入力され、
第（ｐ，ｑ）番目の画素群を構成する第２の画素に関して、
信号値がｘ1-(p,q)-2の第１副画素・入力信号、
信号値がｘ2-(p,q)-2の第２副画素・入力信号、及び、
信号値がｘ3-(p,q)-2の第３副画素・入力信号、
が入力され、
信号処理部は、
第（ｐ，ｑ）番目の画素群を構成する第１の画素に関して、
信号値がＸ1-(p,q)-1であり、第１副画素の表示階調を決定するための第１副画素・出力信号、
信号値がＸ2-(p,q)-1であり、第２副画素の表示階調を決定するための第２副画素・出力信号、及び、
信号値がＸ3-(p,q)-1であり、第３副画素の表示階調を決定するための第３副画素・出力信号、
を出力し、
第（ｐ，ｑ）番目の画素群を構成する第２の画素に関して、
信号値がＸ1-(p,q)-2であり、第１副画素の表示階調を決定するための第１副画素・出力信号、
信号値がＸ2-(p,q)-2であり、第２副画素の表示階調を決定するための第２副画素・出力信号、並びに、
信号値がＸ3-(p,q)-2であり、第３副画素の表示階調を決定するための第３副画素・出力信号（本発明の第３の態様に係る駆動方法）、
を出力し、及び、
第４副画素に関して、信号値がＸ4-(p,q)であり、第４副画素の表示階調を決定するための第４副画素・出力信号を出力する（本発明の第３の態様、第４の態様あるいは第５の態様に係る駆動方法）。
【００３６】
また、本発明の第２の態様及び第５の態様に係る駆動方法にあっては、第（ｐ，ｑ）番目の画素に隣接した隣接画素に関して、信号処理部には、
信号値がｘ1-(p,q')の第１副画素・入力信号、
信号値がｘ2-(p,q')の第２副画素・入力信号、及び、
信号値がｘ3-(p,q')の第３副画素・入力信号、
が入力される構成とすることができる。
【００３７】
また、本発明の第４の態様に係る駆動方法にあっては、第（ｐ，ｑ）番目の画素に隣接した隣接画素に関して、信号処理部には、
信号値がｘ1-(p',q)の第１副画素・入力信号、
信号値がｘ2-(p',q)の第２副画素・入力信号、及び、
信号値がｘ3-(p',q)の第３副画素・入力信号、
が入力される構成とすることができる。
【００３８】
更には、Ｍａｘ(p,q)、Ｍｉｎ(p,q)、Ｍａｘ(p,q)-1、Ｍｉｎ(p,q)-1、Ｍａｘ(p,q)-2、Ｍｉｎ(p,q)-2、Ｍａｘ(p',q)-1、Ｍｉｎ(p',q)-1、Ｍａｘ(p,q')、Ｍｉｎ(p,q')を以下のとおり、定義する。
【００３９】
●Ｍａｘ(p,q)   ：第（ｐ，ｑ）番目の画素への第１副画素・入力信号値ｘ1-(p,q)、第２副画素・入力信号値ｘ2-(p,q)、及び、第３副画素・入力信号値ｘ3-(p,q)の３つの副画素・入力信号値の最大値
●Ｍｉｎ(p,q)   ：第（ｐ，ｑ）番目の画素への第１副画素・入力信号値ｘ1-(p,q)、第２副画素・入力信号値ｘ2-(p,q)、及び、第３副画素・入力信号値ｘ3-(p,q)の３つの副画素・入力信号値の最小値
●Ｍａｘ(p,q)-1 ：第（ｐ，ｑ）番目の第１の画素への第１副画素・入力信号値ｘ1-(p,q)-1、第２副画素・入力信号値ｘ2-(p,q)-1、及び、第３副画素・入力信号値ｘ3-(p,q)-1の３つの副画素・入力信号値の最大値
●Ｍｉｎ(p,q)-1 ：第（ｐ，ｑ）番目の第１の画素への第１副画素・入力信号値ｘ1-(p,q)-1、第２副画素・入力信号値ｘ2-(p,q)-1、及び、第３副画素・入力信号値ｘ3-(p,q)-1の３つの副画素・入力信号値の最小値
●Ｍａｘ(p,q)-2 ：第（ｐ，ｑ）番目の第２の画素への第１副画素・入力信号値ｘ1-(p,q)-2、第２副画素・入力信号値ｘ2-(p,q)-2、及び、第３副画素・入力信号値ｘ3-(p,q)-2の３つの副画素・入力信号値の最大値
●Ｍｉｎ(p,q)-2 ：第（ｐ，ｑ）番目の第２の画素への第１副画素・入力信号値ｘ1-(p,q)-2、第２副画素・入力信号値ｘ2-(p,q)-2、及び、第３副画素・入力信号値ｘ3-(p,q)-2の３つの副画素・入力信号値の最小値
●Ｍａｘ(p',q)-1：第１の方向に沿って第（ｐ，ｑ）番目の第２の画素に隣接した隣接画素への第１副画素・入力信号値ｘ1-(p',q)、第２副画素・入力信号値ｘ2-(p',q)、及び、第３副画素・入力信号値ｘ3-(p',q)の３つの副画素・入力信号値の最大値
●Ｍｉｎ(p',q)-1：第１の方向に沿って第（ｐ，ｑ）番目の第２の画素に隣接した隣接画素への第１副画素・入力信号値ｘ1-(p',q)、第２副画素・入力信号値ｘ2-(p',q)、及び、第３副画素・入力信号値ｘ3-(p',q)の３つの副画素・入力信号値の最小値
●Ｍａｘ(p,q')  ：第２の方向に沿って第（ｐ，ｑ）番目の第２の画素に隣接した隣接画素への第１副画素・入力信号値ｘ1-(p,q')、第２副画素・入力信号値ｘ2-(p,q')、及び、第３副画素・入力信号値ｘ3-(p,q')の３つの副画素・入力信号値の最大値
●Ｍｉｎ(p,q')  ：第２の方向に沿って第（ｐ，ｑ）番目の第２の画素に隣接した隣接画素への第１副画素・入力信号値ｘ1-(p,q')、第２副画素・入力信号値ｘ2-(p,q')、及び、第３副画素・入力信号値ｘ3-(p,q')の３つの副画素・入力信号値の最小値
【００４０】
本発明の第１の態様に係る駆動方法にあっては、各画素において、第５補正信号値ＣＳ
5-(p,q)を、伸長係数α0、第１副画素・入力信号、第２副画素・入力信号、及び、第３副画素・入力信号に基づき求めるが、第５補正信号値ＣＳ5-(p,q)を、少なくともＭｉｎの値及び伸長係数α0に基づき求める構成とすることができるし、あるいは又、少なくともＭｉｎの関数及び伸長係数α0に基づき求める構成とすることができる。具体的には、第５補正信号値ＣＳ5-(p,q)を、例えば、以下の式から求めることができる。但し、ｃ11，ｃ12，ｃ13，ｃ14，ｃ15，ｃ16，ｃ17は定数である。尚、第５補正信号値ＣＳ5-(p,q)の値、式、関数としてどのような値、式、関数を用いるかは、画像表示装置や画像表示装置組立体を試作し、例えば、画像観察者によって画像の評価を行い、適宜決定すればよい。以下においても同様である。 
【００４１】
ＣＳ5-(p,q)＝ｃ11（Ｍｉｎ(p,q)）・α0                （１−１）
あるいは又、
ＣＳ5-(p,q)＝ｃ12（Ｍｉｎ(p,q)）2・α0               （１−２）
あるいは又、
ＣＳ5-(p,q)＝ｃ13（Ｍａｘ(p,q)）1/2・α0             （１−３）
あるいは又、
ＣＳ5-(p,q)＝ｃ14｛（Ｍｉｎ(p,q)／Ｍａｘ(p,q)）  あるいは  （２n−１） のいずれかとα0の積｝                                        （１−４）
あるいは又、
ＣＳ5-(p,q)＝ｃ15［｛（２n−１）×Ｍｉｎ(p,q)／（Ｍａｘ(p,q)−Ｍｉｎ(p,q)）｝  あるいは  （２n−１）  のいずれかとα0の積］         （１−５）
あるいは又、
ＣＳ5-(p,q)＝ｃ16｛（Ｍａｘ(p,q)）1/2  と  Ｍｉｎ(p,q)の値の内の小さい方の値とα0の積｝                                             （１−６）
【００４２】
そして、本発明の第１の態様に係る駆動方法にあっては、各画素において、例えば、
第１補正信号値ＣＳ1-(p,q)を、伸長係数α0、第１副画素・入力信号ｘ1-(p,q)、並びに、第１定数Ｋ1に基づき求め、
第２補正信号値ＣＳ2-(p,q)を、伸長係数α0、第２副画素・入力信号ｘ2-(p,q)、並びに、第２定数Ｋ2に基づき求め、
第３補正信号値ＣＳ3-(p,q)を、伸長係数α0、第３副画素・入力信号ｘ3-(p,q)、並びに、第３定数Ｋ3に基づき求めるが、具体的には、例えば、上述したとおり、
第１補正信号値ＣＳ1-(p,q)を、伸長係数α0と第１副画素・入力信号ｘ1-(p,q)の積から第１定数Ｋ1を減じることで求め、
第２補正信号値ＣＳ2-(p,q)を、伸長係数α0と第２副画素・入力信号ｘ2-(p,q)の積から第２定数Ｋ2を減じることで求め、
第３補正信号値ＣＳ3-(p,q)を、伸長係数α0と第３副画素・入力信号ｘ3-(p,q)の積から第３定数Ｋ3を減じることで求める形態とすることができる。尚、上述したとおり、限定するものではないが、例えば、第１定数Ｋ1を第１副画素・入力信号が取り得る最大値、第２定数Ｋ2を第２副画素・入力信号が取り得る最大値、第３定数Ｋ3を第３副画素・入力信号が取り得る最大値とすればよい。
【００４３】
ＣＳ1-(p,q)＝ｘ1-(p,q)・α0−Ｋ1    （１−ａ1）
ＣＳ2-(p,q)＝ｘ2-(p,q)・α0−Ｋ2    （１−ｂ1）
ＣＳ3-(p,q)＝ｘ3-(p,q)・α0−Ｋ3    （１−ｃ1）
【００４４】
更には、本発明の第１の態様に係る駆動方法にあっては、各画素において、第１補正信号値ＣＳ1-(p,q)、第２補正信号値ＣＳ2-(p,q)、及び、第３補正信号値ＣＳ3-(p,q)の内の最も大きい値を有する補正信号値を第４補正信号値ＣＳ4-(p,q)として求める。即ち、
ＣＳ4-(p,q)＝ｃ17・ｍａｘ（ＣＳ1-(p,q)，ＣＳ2-(p,q)，ＣＳ3-(p,q)）  （１−ｄ1）
である。そして、第４補正信号値ＣＳ4-(p,q)及び第５補正信号値ＣＳ5-(p,q)から、第４副画素・出力信号Ｘ4-(p,q)を求め、第４副画素へ出力するが、具体的には、上述したとおり、例えば、第４補正信号値ＣＳ4-(p,q)と第５補正信号値ＣＳ5-(p,q)の内の小さい値を有する補正信号値を第４副画素・出力信号Ｘ4-(p,q)として求め、即ち、
Ｘ4-(p,q)＝ｍｉｎ（ＣＳ4-(p,q)，ＣＳ5-(p,q)）                    （１−ｅ1）
として求め、あるいは又、第４補正信号値ＣＳ4-(p,q)と第５補正信号値ＣＳ5-(p,q)の平均値を第４副画素・出力信号Ｘ4-(p,q)として求めればよい。
Ｘ4-(p,q)＝（ＣＳ4-(p,q)＋ＣＳ5-(p,q)）／２                      （１−ｆ1）
あるいは又、式（１−ｆ1）を拡張して、
Ｘ4-(p,q)＝（ｋ4・ＣＳ4-(p,q)＋ｋ5・ＣＳ5-(p,q)）／（ｋ4＋ｋ5）  （１−ｇ1）
として求めてもよい。尚、ｋ4，ｋ5は定数である。平均値を、上記の相加平均から求める以外にも、相乗平均から求めることもできるし、あるいは又、
Ｘ4-(p,q)＝ｋ’4・ＣＳ4-(p,q)＋ｋ’5・ＣＳ5-(p,q)
にて求めることができるし、あるいは又、自乗平均平方根、
Ｘ4-(p,q)＝［（ＣＳ4-(p,q)2＋ＣＳ5-(p,q)2）／２］1/2
にて求めることもできる。以下に説明する本発明の第２の態様〜第５の態様に係る駆動方法においても同様である。尚、ｋ’4，ｋ’5は定数である。
【００４５】
尚、ｍａｘ（  ）は、（  ）内の値の最大値を選択することを意味し、ｍｉｎ（  ）は、（  ）内の値の最小値を選択することを意味する。ｍｉｎ（  ）の値が負の場合、ｍｉｎ（  ）の値を零とする。
【００４６】
本発明の第２の態様に係る駆動方法にあっては、第２の方向に沿った第（ｐ，ｑ）番目
の画素において、第５補正信号値ＣＳ5-(p,q)を、伸長係数α0、第（ｐ，ｑ）番目の画素
における第１副画素・入力信号、第２副画素・入力信号及び第３副画素・入力信号、並びに、この隣接画素における第１副画素・入力信号、第２副画素・入力信号及び第３副画素・入力信号に基づき求めるが、第５補正信号値ＣＳ5-(p,q)を、少なくとも、第（ｐ，ｑ）番目の画素のＭｉｎの値、隣接画素のＭｉｎの値及び伸長係数α0に基づき求める構成とすることができるし、あるいは又、少なくとも、第（ｐ，ｑ）番目の画素のＭｉｎの関数、隣接画素のＭｉｎの関数及び伸長係数α0に基づき求める構成とすることができる。具体的には、第５補正信号値ＣＳ5-(p,q)を、例えば、以下の式から求めることができる。但し、ｃ21，ｃ22，ｃ23，ｃ24，ｃ25，ｃ26は定数である。尚、便宜上、『ＳＧ2-(p,q)』を第４副画素・制御第２信号値と呼び、『ＳＧ1-(p,q)』を第４副画素・制御第１信号値ＳＧ1-(p,q)と呼び、『ＳＧ3-(p,q)』を第３副画素・制御信号値と呼び、以下のとおりに規定する。 
【００４７】
ＳＧ1-(p,q)＝ｃ21（Ｍｉｎ(p,q)-1）・α0                （２−１−１）
ＳＧ2-(p,q)＝ｃ21（Ｍｉｎ(p,q)-2）・α0                （２−１−２）
あるいは、
ＳＧ1-(p,q)＝ｃ22（Ｍｉｎ(p,q)-1）2・α0               （２−２−１）
ＳＧ2-(p,q)＝ｃ22（Ｍｉｎ(p,q)-2）2・α0               （２−２−２）
あるいは、
ＳＧ1-(p,q)＝ｃ23（Ｍａｘ(p,q)-1）1/2・α0             （２−３−１）
ＳＧ2-(p,q)＝ｃ23（Ｍａｘ(p,q)-2）1/2・α0             （２−３−２）
あるいは又、
ＳＧ1-(p,q)＝ｃ24｛（Ｍｉｎ(p,q)-1／Ｍａｘ(p,q)-1）  あるいは  （２n−１） のいずれかとα0の積｝                                      （２−４−１）
ＳＧ2-(p,q)＝ｃ24｛（Ｍｉｎ(p,q)-2／Ｍａｘ(p,q)-2）  あるいは  （２n−１） のいずれかとα0の積｝                                      （２−４−２）
あるいは又、
ＳＧ1-(p,q)＝ｃ25［｛（２n−１）・Ｍｉｎ(p,q)-1／（Ｍａｘ(p,q)-1−Ｍｉｎ(p,q)-1）｝  あるいは  （２n−１）  のいずれかとα0の積］     （２−５−１）
ＳＧ2-(p,q)＝ｃ25［｛（２n−１）・Ｍｉｎ(p,q)-2／（Ｍａｘ(p,q)-2−Ｍｉｎ(p,q)-2）｝  あるいは  （２n−１）  のいずれかとα0の積］     （２−５−２）
あるいは又、
ＳＧ1-(p,q)＝ｃ26｛（Ｍａｘ(p,q)-1）1/2  と  Ｍｉｎ(p,q)-1の値の内の小さい方の値とα0の積｝                                            （２−６−１）
ＳＧ2-(p,q)＝ｃ26｛（Ｍａｘ(p,q)-2）1/2  と  Ｍｉｎ(p,q)-2の値の内の小さい方の値とα0の積｝                                            （２−６−２）
【００４８】
ここで、本発明の第２の態様及び第５の態様に係る駆動方法にあっては、上述した式のＭａｘ(p,q)-1及びＭｉｎ(p,q)-1をＭａｘ(p,q')及びＭｉｎ(p,q')と読み替えればよい。また、本発明の第４の態様に係る駆動方法にあっては、上述した式のＭａｘ(p,q)-1及びＭｉｎ(p,q)-1をＭａｘ(p',q)-1及びＭｉｎ(p',q)-1と読み替えればよい。また、制御信号値（第３副画素・制御信号値）ＳＧ3-(p,q)は、式（２−１−１）、式（２−２−１）、式（２−３−１）、式（２−４−１）、式（２−５−１）、式（２−６−１）における左辺の「ＳＧ1-(p,q)」を『ＳＧ3-(p,q)』に置き換えることで得ることができる。
【００４９】
そして、本発明の第２の態様〜第５の態様に係る駆動方法にあっては、第（ｐ，ｑ）番目の画素において、第５補正信号値ＣＳ5-(p,q)を、
ＣＳ5-(p,q)＝ｍｉｎ（ＳＧ1-(p,q)，ＳＧ2-(p,q)）    （２−７）
から求めればよい。また、本発明の第２の態様、第４の態様あるいは第５の態様に係る駆動方法にあっては、
ＣＳ5-(p,q)＝ｍｉｎ（ＳＧ2-(p,q)，ＳＧ3-(p,q)）    （２−８）
から求めればよい。あるいは又、最小値以外にも、平均値あるいは最大値からＣＳ5-(p,q)を求めてもよい。
【００５０】
更には、本発明の第２の態様に係る駆動方法にあっては、第（ｐ，ｑ）番目の画素において、
第１補正信号値ＣＳ1-(p,q)を、伸長係数α0、第２の方向に沿って数えたときの第（ｐ，ｑ）番目の画素における第１副画素・入力信号ｘ1-(p,q)、第２の方向に沿って第（ｐ，ｑ）番目の画素に隣接する隣接画素における第１副画素・入力信号ｘ1-(p,q')、並びに、第１定数Ｋ1に基づき求め、
第２補正信号値ＣＳ2-(p,q)を、伸長係数α0、第（ｐ，ｑ）番目の画素における第２副画素・入力信号ｘ2-(p,q)、この隣接画素における第２副画素・入力信号ｘ2-(p,q')、並びに、第２定数Ｋ2に基づき求め、
第３補正信号値ＣＳ3-(p,q)を、伸長係数α0、第（ｐ，ｑ）番目の画素における第３副画素・入力信号ｘ3-(p,q)、この隣接画素における第３副画素・入力信号ｘ3-(p,q')、並びに、第３定数Ｋ3に基づき求めるが、具体的には、上述したとおり、
第１補正信号値ＣＳ1-(p,q)を、伸長係数α0と第（ｐ，ｑ）番目の画素における第１副画素・入力信号ｘ1-(p,q)の積から第１定数Ｋ1を減じることで求めた値、及び、伸長係数α0とこの隣接画素における第１副画素・入力信号ｘ1-(p,q')の積から第１定数Ｋ1を減じることで求めた値の内の大きい方の値とし、
第２補正信号値ＣＳ2-(p,q)を、伸長係数α0と第（ｐ，ｑ）番目の画素における第２副画素・入力信号ｘ2-(p,q)の積から第２定数Ｋ2を減じることで求めた値、及び、伸長係数α0とこの隣接画素における第２副画素・入力信号ｘ2-(p,q')の積から第２定数Ｋ2を減じることで求めた値の内の大きい方の値とし、
第３補正信号値ＣＳ3-(p,q)を、伸長係数α0と第（ｐ，ｑ）番目の画素における第３副画素・入力信号ｘ3-(p,q)の積から第３定数Ｋ3を減じることで求めた値、及び、伸長係数α0とこの隣接画素における第３副画素・入力信号ｘ3-(p,q')の積から第３定数Ｋ3を減じることで求めた値の内の大きい方の値とすればよい。尚、上述したとおり、限定するものではないが、例えば、第１定数Ｋ1を第１副画素・入力信号が取り得る最大値、第２定数Ｋ2を第２副画素・入力信号が取り得る最大値、第３定数Ｋ3を第３副画素・入力信号が取り得る最大値とすればよい。
【００５１】
ＣＳ1-(p,q)＝ｍａｘ（ｘ1-(p,q)・α0−Ｋ1，ｘ1-(p,q')・α0−Ｋ1）  （１−ａ2）
ＣＳ2-(p,q)＝ｍａｘ（ｘ2-(p,q)・α0−Ｋ2，ｘ2-(p,q')・α0−Ｋ2）  （１−ｂ2）
ＣＳ3-(p,q)＝ｍａｘ（ｘ3-(p,q)・α0−Ｋ3，ｘ3-(p,q')・α0−Ｋ3）  （１−ｃ2）
【００５２】
更には、本発明の第２の態様に係る駆動方法にあっても、第（ｐ，ｑ）番目の画素において、第１補正信号値ＣＳ1-(p,q)、第２補正信号値ＣＳ2-(p,q)、及び、第３補正信号値ＣＳ3-(p,q)の内の最も大きい値を有する補正信号値を第４補正信号値ＣＳ4-(p,q)として求める。即ち、
ＣＳ4-(p,q)＝ｃ17・ｍａｘ（ＣＳ1-(p,q)，ＣＳ2-(p,q)，ＣＳ3-(p,q)）  （１−ｄ2）
である。そして、第４補正信号値ＣＳ4-(p,q)及び第５補正信号値ＣＳ5-(p,q)から、第４副画素・出力信号Ｘ4-(p,q)を求め、第４副画素へ出力するが、具体的には、上述したとおり、例えば、第４補正信号値ＣＳ4-(p,q)と第５補正信号値ＣＳ5-(p,q)の内の小さい値を有する補正信号値を第４副画素・出力信号Ｘ4-(p,q)として求め、即ち、
Ｘ4-(p,q)＝ｍｉｎ（ＣＳ4-(p,q)，ＣＳ5-(p,q)）                    （１−ｅ2）
として求め、あるいは又、第４補正信号値ＣＳ4-(p,q)と第５補正信号値ＣＳ5-(p,q)の平均値を第４副画素・出力信号Ｘ4-(p,q)として求めればよい。
Ｘ4-(p,q)＝（ＣＳ4-(p,q)＋ＣＳ5-(p,q)）／２                      （１−ｆ2）
あるいは又、式（１−ｆ2）を拡張して、
Ｘ4-(p,q)＝（ｋ4・ＣＳ4-(p,q)＋ｋ5・ＣＳ5-(p,q)）／（ｋ4＋ｋ5）  （１−ｇ2）
として求めてもよい。
【００５３】
本発明の第１の態様あるいは第２の態様に係る駆動方法にあっては、
第１副画素・出力信号を、少なくとも、第１副画素・入力信号及び伸長係数α0に基づき求め、
第２副画素・出力信号を、少なくとも、第２副画素・入力信号及び伸長係数α0に基づき求め、
第３副画素・出力信号を、少なくとも、第３副画素・入力信号及び伸長係数α0に基づき求める構成とすることができる。
【００５４】
より具体的には、本発明の第１の態様あるいは第２の態様に係る駆動方法にあっては、χを画像表示装置に依存した定数としたとき、信号処理部において、第（ｐ，ｑ）番目の画素（あるいは、第１副画素、第２副画素及び第３副画素の組）への第１副画素・出力信号値Ｘ1-(p,q)、第２副画素・出力信号値Ｘ2-(p,q)及び第３副画素・出力信号値Ｘ3-(p,q)を、以下の式から求めることができる。
【００５５】
［本発明の第１の態様及び第２の態様］
Ｘ1-(p,q)＝α0・ｘ1-(p,q)−χ・Ｘ4-(p,q)                    （１−Ａ）
Ｘ2-(p,q)＝α0・ｘ2-(p,q)−χ・Ｘ4-(p,q)                    （１−Ｂ）
Ｘ3-(p,q)＝α0・ｘ3-(p,q)−χ・Ｘ4-(p,q)                    （１−Ｃ）
【００５６】
ここで、第１副画素に第１副画素・出力信号の最大信号値に相当する値を有する信号が入力され、第２副画素に第２副画素・出力信号の最大信号値に相当する値を有する信号が入力され、第３副画素に第３副画素・出力信号の最大信号値に相当する値を有する信号が入力されたときの、画素（本発明の第１の態様、本発明の第２の態様）あるいは画素群（本発明の第３の態様、本発明の第４の態様、本発明の第５の態様）を構成する第１副画素、第２副画素及び第３副画素の集合体の輝度をＢＮ1-3とし、画素（本発明の第１の態様、本発明の第２の態様）あるいは画素群（本発明の第３の態様、本発明の第４の態様、本発明の第５の態様）を構成する第４副画素に第４副画素・出力信号の最大信号値に相当する値を有する信号が入力されたときの第４副画素の輝度ＢＮ4としたとき、定数χは、
χ＝ＢＮ4／ＢＮ1-3
で表すことができる。尚、定数χは、画像表示装置や画像表示装置組立体に固有の値であり、画像表示装置や画像表示装置組立体によって一義的に決定される値である。
【００５７】
本発明の第３の態様に係る駆動方法にあっては、各画素群において、第５補正信号値ＣＳ5-(p,q)を、伸長係数α0、第１の画素における第１副画素・入力信号、第２副画素・入力信号及び第３副画素・入力信号、並びに、第２の画素における第１副画素・入力信号、第２副画素・入力信号及び第３副画素・入力信号に基づき求めるが、第５補正信号値ＣＳ5-(p,q)を、少なくとも、第１の画素のＭｉｎの値、第２の画素のＭｉｎの値及び伸長係数α0に基づき求める構成とすることができるし、少なくとも、第１の画素のＭｉｎの関数、第２の画素のＭｉｎの関数及び伸長係数α0に基づき求める構成とすることができる。具体的には、第５補正信号値ＣＳ5-(p,q)を、例えば、上述した各式［（２−１−１），（２−１−２）］、［（２−２−１），（２−２−２）］、［（２−３−１），（２−３−２）］、［（２−４−１），（２−４−２）］、［（２−５−１），（２−５−２）］、［（２−６−１），（２−６−２）］、及び、（２−７）、（２−８）に基づき得ることができる。
【００５８】
更には、本発明の第３の態様に係る駆動方法にあっては、各画素群において、
第１補正信号値ＣＳ1-(p,q)を、伸長係数α0、第１の画素における第１副画素・入力信号ｘ1-(p,q)-1、第２の画素における第１副画素・入力信号ｘ1-(p,q)-2、並びに、第１定数Ｋ1に基づき求め、
第２補正信号値ＣＳ2-(p,q)を、伸長係数α0、第１の画素における第２副画素・入力信号ｘ2-(p,q)-1、第２の画素における第２副画素・入力信号ｘ2-(p,q)-2、並びに、第２定数Ｋ2に基づき求め、
第３補正信号値ＣＳ3-(p,q)を、伸長係数α0、第１の画素における第３副画素・入力信号ｘ3-(p,q)-1、第２の画素における第３副画素・入力信号ｘ3-(p,q)-2、並びに、第３定数Ｋ3に基づき求めるが、具体的には、上述したとおり、
第１補正信号値ＣＳ1-(p,q)を、伸長係数α0と第１の画素における第１副画素・入力信号ｘ1-(p,q)-1の積から第１定数Ｋ1を減じることで求めた値、及び、伸長係数α0と第２の画素における第１副画素・入力信号ｘ1-(p,q)-2の積から第１定数Ｋ1を減じることで求めた値の内の大きい方の値とし、
第２補正信号値ＣＳ2-(p,q)を、伸長係数α0と第１の画素における第２副画素・入力信号ｘ2-(p,q)-1の積から第２定数Ｋ2を減じることで求めた値、及び、伸長係数α0と第２の画素における第２副画素・入力信号ｘ2-(p,q)-2の積から第２定数Ｋ2を減じることで求めた値の内の大きい方の値とし、
第３補正信号値ＣＳ3-(p,q)を、伸長係数α0と第１の画素における第３副画素・入力信号ｘ3-(p,q)-1の積から第３定数Ｋ3を減じることで求めた値、及び、伸長係数α0と第２の画素における第３副画素・入力信号ｘ3-(p,q)-2の積から第３定数Ｋ3を減じることで求めた値の内の大きい方の値とすればよい。尚、上述したとおり、限定するものではないが、例えば、第１定数Ｋ1を第１副画素・入力信号が取り得る最大値、第２定数Ｋ2を第２副画素・入力信号が取り得る最大値、第３定数Ｋ3を第３副画素・入力信号が取り得る最大値とすればよい。
【００５９】
ＣＳ1-(p,q)＝ｍａｘ（ｘ1-(p,q)-1・α0−Ｋ1，ｘ1-(p,q)-2・α0−Ｋ1）  （１−ａ3）
ＣＳ2-(p,q)＝ｍａｘ（ｘ2-(p,q)-1・α0−Ｋ2，ｘ2-(p,q)-2・α0−Ｋ2）  （１−ｂ3）
ＣＳ3-(p,q)＝ｍａｘ（ｘ3-(p,q)-1・α0−Ｋ3，ｘ3-(p,q)-2・α0−Ｋ3）  （１−ｃ3）
【００６０】
更には、本発明の第３の態様に係る駆動方法にあっても、各画素群において、第１補正信号値ＣＳ1-(p,q)、第２補正信号値ＣＳ2-(p,q)、及び、第３補正信号値ＣＳ3-(p,q)の内の最も大きい値を有する補正信号値を第４補正信号値ＣＳ4-(p,q)として求める。即ち、
ＣＳ4-(p,q)＝ｃ17・ｍａｘ（ＣＳ1-(p,q)，ＣＳ2-(p,q)，ＣＳ3-(p,q)）  （１−ｄ3）
である。そして、第４補正信号値ＣＳ4-(p,q)及び第５補正信号値ＣＳ5-(p,q)から、第４副画素・出力信号Ｘ4-(p,q)を求め、第４副画素へ出力するが、具体的には、上述したとおり、例えば、第４補正信号値ＣＳ4-(p,q)と第５補正信号値ＣＳ5-(p,q)の内の小さい値を有する補正信号値を第４副画素・出力信号Ｘ4-(p,q)として求め、即ち、
Ｘ4-(p,q)＝ｍｉｎ（ＣＳ4-(p,q)，ＣＳ5-(p,q)）                    （１−ｅ3）
として求め、あるいは又、第４補正信号値ＣＳ4-(p,q)と第５補正信号値ＣＳ5-(p,q)の平均値を第４副画素・出力信号Ｘ4-(p,q)として求めればよい。
Ｘ4-(p,q)＝（ＣＳ4-(p,q)＋ＣＳ5-(p,q)）／２                      （１−ｆ3）
あるいは又、式（１−ｆ3）を拡張して、
Ｘ4-(p,q)＝（ｋ4・ＣＳ4-(p,q)＋ｋ5・ＣＳ5-(p,q)）／（ｋ4＋ｋ5）  （１−ｇ3）
として求めてもよい。
【００６１】
本発明の第３の態様に係る駆動方法にあっては、
第１の画素に関して、
第１副画素・出力信号を、少なくとも、第１副画素・入力信号及び伸長係数α0に基づき求めるが、第１副画素・出力信号（信号値Ｘ1-(p,q)-1）を、少なくとも、第１副画素・入力信号（信号値ｘ1-(p,q)-1）及び伸長係数α0、並びに、第４副画素・出力信号Ｘ4-(p,q)に基づき求め、
第２副画素・出力信号を、少なくとも、第２副画素・入力信号及び伸長係数α0に基づき求めるが、第２副画素・出力信号（信号値Ｘ2-(p,q)-1）を、少なくとも、第２副画素・入力信号値ｘ2-(p,q)-1及び伸長係数α0、並びに、第４副画素・出力信号Ｘ4-(p,q)に基づき求め、
第３副画素・出力信号を、少なくとも、第３副画素・入力信号及び伸長係数α0に基づき求めるが、第３副画素・出力信号（信号値Ｘ3-(p,q)-1）を、少なくとも、第３副画素・入力信号値ｘ3-(p,q)-1及び伸長係数α0、並びに、第４副画素・出力信号Ｘ4-(p,q)に基づき求め、
第２の画素に関して、
第１副画素・出力信号を、少なくとも、第１副画素・入力信号及び伸長係数α0に基づき求めるが、第１副画素・出力信号（信号値Ｘ1-(p,q)-2）を、少なくとも、第１副画素・入力信号値ｘ1-(p,q)-2及び伸長係数α0、並びに、第４副画素・出力信号Ｘ4-(p,q)に基づき求め、
第２副画素・出力信号を、少なくとも、第２副画素・入力信号及び伸長係数α0に基づき求めるが、第２副画素・出力信号（信号値Ｘ2-(p,q)-2）を、少なくとも、第２副画素・入力信号値ｘ2-(p,q)-2及び伸長係数α0、並びに、第４副画素・出力信号Ｘ4-(p,q)に基づき求め、
第３副画素・出力信号を、少なくとも、第３副画素・入力信号及び伸長係数α0に基づき求めるが、第３副画素・出力信号（信号値Ｘ3-(p,q)-2）を、少なくとも、第３副画素・入力信号値ｘ3-(p,q)-2及び伸長係数α0、並びに、第４副画素・出力信号Ｘ4-(p,q)に基づき求める構成とすることができる。
【００６２】
本発明の第３の態様に係る駆動方法にあっては、上述したとおり、第１副画素・出力信号値Ｘ1-(p,q)-1を、少なくとも、第１副画素・入力信号値ｘ1-(p,q)-1及び伸長係数α0、並びに、第４副画素・出力信号Ｘ4-(p,q)に基づき求めるが、第１副画素・出力信号値Ｘ1-(p,q)-1を、
［ｘ1-(p,q)-1，α0，Ｘ4-(p,q)］
に基づき求めることもできるし、
［ｘ1-(p,q)-1，ｘ1-(p,q)-2，α0，Ｘ4-(p,q)］
に基づき求めることもできる。同様に、第２副画素・出力信号値Ｘ2-(p,q)-1を、少なくとも、第２副画素・入力信号値ｘ2-(p,q)-1及び伸長係数α0、並びに、第４副画素・出力信号Ｘ4-(p,q)に基づき求めるが、第２副画素・出力信号値Ｘ2-(p,q)-1を、
［ｘ2-(p,q)-1，α0，Ｘ4-(p,q)］
に基づき求めることもできるし、
［ｘ2-(p,q)-1，ｘ2-(p,q)-2，α0，Ｘ4-(p,q)］
に基づき求めることもできる。同様に、第３副画素・出力信号値Ｘ3-(p,q)-1を、少なくとも、第３副画素・入力信号値ｘ3-(p,q)-1及び伸長係数α0、並びに、第４副画素・出力信号Ｘ4-(p,q)に基づき求めるが、第３副画素・出力信号値Ｘ3-(p,q)-1を、
［ｘ3-(p,q)-1，α0，Ｘ4-(p,q)］
に基づき求めることもできるし、
［ｘ3-(p,q)-1，ｘ3-(p,q)-2，α0，Ｘ4-(p,q)］
に基づき求めることもできる。出力信号値Ｘ1-(p,q)-2，Ｘ2-(p,q)-2，Ｘ3-(p,q)-2についても同様とすることができる。
【００６３】
より具体的には、本発明の第３の態様に係る駆動方法にあっては、信号処理部において、出力信号値Ｘ1-(p,q)-1，Ｘ2-(p,q)-1，Ｘ3-(p,q)-1，Ｘ1-(p,q)-2，Ｘ2-(p,q)-2，Ｘ3-(p,q)-2を、以下の式から求めることができる。
【００６４】
Ｘ1-(p,q)-1＝α0・ｘ1-(p,q)-1−χ・Ｘ4-(p,q)    （２−Ａ）
Ｘ2-(p,q)-1＝α0・ｘ2-(p,q)-1−χ・Ｘ4-(p,q)    （２−Ｂ）
Ｘ3-(p,q)-1＝α0・ｘ3-(p,q)-1−χ・Ｘ4-(p,q)    （２−Ｃ）
Ｘ1-(p,q)-2＝α0・ｘ1-(p,q)-2−χ・Ｘ4-(p,q)    （２−Ｄ）
Ｘ2-(p,q)-2＝α0・ｘ2-(p,q)-2−χ・Ｘ4-(p,q)    （２−Ｅ）
Ｘ3-(p,q)-2＝α0・ｘ3-(p,q)-2−χ・Ｘ4-(p,q)    （２−Ｆ）
【００６５】
本発明の第４の態様に係る駆動方法にあっては、第（ｐ，ｑ）番目の画素群において、第５補正信号値ＣＳ5-(p,q)を、伸長係数α0、第２の画素における第１副画素・入力信号、第２副画素・入力信号及び第３副画素・入力信号、並びに、第１の方向に沿って第２の画素に隣接する隣接画素における第１副画素・入力信号、第２副画素・入力信号及び第３副画素・入力信号に基づき求めるが、第５補正信号値ＣＳ5-(p,q)を、少なくとも、第（ｐ，ｑ）番目の画素群における第２の画素のＭｉｎの値、隣接画素のＭｉｎの値及び伸長係数α0に基づき求める構成とすることができるし、少なくとも、第（ｐ，ｑ）番目の画素群における第２の画素のＭｉｎの関数、隣接画素のＭｉｎの関数及び伸長係数α0に基づき求める構成とすることができる。具体的には、第５補正信号値ＣＳ5-(p,q)を、例えば、上述した各式［（２−１−１），（２−１−２）］、［（２−２−１），（２−２−２）］、［（２−３−１），（２−３−２）］、［（２−４−１），（２−４−２）］、［（２−５−１），（２−５−２）］、［（２−６−１），（２−６−２）］、及び、（２−７）、（２−８）に基づき得ることができる。
【００６６】
更には、本発明の第４の態様に係る駆動方法にあっては、第（ｐ，ｑ）番目の画素群において、
第１補正信号値ＣＳ1-(p,q)を、伸長係数α0、第２の画素における第１副画素・入力信号ｘ1-(p,q)-2、第１の方向に沿ってこの第２の画素に隣接する隣接画素における第１副画素・入力信号ｘ1-(p',q)、並びに、第１定数Ｋ1に基づき求め、
第２補正信号値ＣＳ2-(p,q)を、伸長係数α0、第２の画素における第２副画素・入力信号ｘ2-(p,q)-2、隣接画素における第２副画素・入力信号ｘ2-(p',q)、並びに、第２定数Ｋ2に基づき求め、
第３補正信号値ＣＳ3-(p,q)を、伸長係数α0、第２の画素における第３副画素・入力信号ｘ3-(p,q)-2、隣接画素における第３副画素・入力信号ｘ3-(p',q)、並びに、第３定数Ｋ3に基づき求めるが、具体的には、上述したとおり、
第１補正信号値ＣＳ1-(p,q)を、伸長係数α0と第２の画素における第１副画素・入力信号ｘ1-(p,q)-2の積から第１定数Ｋ1を減じることで求めた値、及び、伸長係数α0と隣接画素における第１副画素・入力信号ｘ1-(p',q)の積から第１定数Ｋ1を減じることで求めた値の内の大きい方の値とし、
第２補正信号値ＣＳ2-(p,q)を、伸長係数α0と第２の画素における第２副画素・入力信号ｘ2-(p,q)-2の積から第２定数Ｋ2を減じることで求めた値、及び、伸長係数α0と隣接画素における第２副画素・入力信号ｘ2-(p',q)の積から第２定数Ｋ2を減じることで求めた値の内の大きい方の値とし、
第３補正信号値ＣＳ3-(p,q)を、伸長係数α0と第２の画素における第３副画素・入力信号ｘ3-(p,q)-2の積から第３定数Ｋ3を減じることで求めた値、及び、伸長係数α0と隣接画素における第３副画素・入力信号ｘ3-(p',q)の積から第３定数Ｋ3を減じることで求めた値の内の大きい方の値とすればよい。尚、上述したとおり、限定するものではないが、例えば、第１定数Ｋ1を第１副画素・入力信号が取り得る最大値、第２定数Ｋ2を第２副画素・入力信号が取り得る最大値、第３定数Ｋ3を第３副画素・入力信号が取り得る最大値の（１／２）とすればよい。
【００６７】
ＣＳ1-(p,q)＝ｍａｘ（ｘ1-(p,q)-2・α0−Ｋ1，ｘ1-(p',q)・α0−Ｋ1）  （１−ａ4）
ＣＳ2-(p,q)＝ｍａｘ（ｘ2-(p,q)-2・α0−Ｋ2，ｘ2-(p',q)・α0−Ｋ2）  （１−ｂ4）
ＣＳ3-(p,q)＝ｍａｘ（ｘ3-(p,q)-2・α0−Ｋ3，ｘ3-(p',q)・α0−Ｋ3）  （１−ｃ4）
【００６８】
更には、本発明の第４の態様に係る駆動方法にあっても、第（ｐ，ｑ）番目の画素群において、第１補正信号値ＣＳ1-(p,q)、第２補正信号値ＣＳ2-(p,q)、及び、第３補正信号値ＣＳ3-(p,q)の内の最も大きい値を有する補正信号値を第４補正信号値ＣＳ4-(p,q)として求める。即ち、
ＣＳ4-(p,q)＝ｃ17・ｍａｘ（ＣＳ1-(p,q)，ＣＳ2-(p,q)，ＣＳ3-(p,q)）  （１−ｄ4）
である。そして、第４補正信号値ＣＳ4-(p,q)及び第５補正信号値ＣＳ5-(p,q)から、第４副画素・出力信号Ｘ4-(p,q)を求め、第４副画素へ出力するが、具体的には、上述したとおり、例えば、第４補正信号値ＣＳ4-(p,q)と第５補正信号値ＣＳ5-(p,q)の内の小さい値を有する補正信号値を第４副画素・出力信号Ｘ4-(p,q)として求め、即ち、
Ｘ4-(p,q)＝ｍｉｎ（ＣＳ4-(p,q)，ＣＳ5-(p,q)）                    （１−ｅ4）
として求め、あるいは又、第４補正信号値ＣＳ4-(p,q)と第５補正信号値ＣＳ5-(p,q)の平均値を第４副画素・出力信号Ｘ4-(p,q)として求めればよい。
Ｘ4-(p,q)＝（ＣＳ4-(p,q)＋ＣＳ5-(p,q)）／２                      （１−ｆ4）
あるいは又、式（１−ｆ4）を拡張して、
Ｘ4-(p,q)＝（ｋ4・ＣＳ4-(p,q)＋ｋ5・ＣＳ5-(p,q)）／（ｋ4＋ｋ5）  （１−ｇ4）
として求めてもよい。
【００６９】
本発明の第５の態様に係る駆動方法にあっては、第（ｐ，ｑ）番目の画素群において、第５補正信号値ＣＳ5-(p,q)を、伸長係数α0、第２の画素における第１副画素・入力信号、第２副画素・入力信号及び第３副画素・入力信号、並びに、第２の方向に沿った第２の画素に隣接する隣接画素における第１副画素・入力信号、第２副画素・入力信号及び第３副画素・入力信号に基づき求めるが、第５補正信号値ＣＳ5-(p,q)を、少なくとも、第（ｐ，ｑ）番目の画素群における第２の画素のＭｉｎの値、隣接画素のＭｉｎの値及び伸長係数α0に基づき求める構成とすることができるし、少なくとも、第（ｐ，ｑ）番目の画素群における第２の画素のＭｉｎの関数、隣接画素のＭｉｎの関数及び伸長係数α0に基づき求める構成とすることができる。具体的には、第５補正信号値ＣＳ5-(p,q)を、例えば、上述した各式［（２−１−１），（２−１−２）］、［（２−２−１），（２−２−２）］、［（２−３−１），（２−３−２）］、［（２−４−１），（２−４−２）］、［（２−５−１），（２−５−２）］、［（２−６−１），（２−６−２）］、及び、（２−７）、（２−８）に基づき得ることができる。
【００７０】
更には、本発明の第５の態様に係る駆動方法にあっては、第（ｐ，ｑ）番目の画素群において、
第１補正信号値ＣＳ1-(p,q)を、伸長係数α0、第２の画素における第１副画素・入力信号ｘ1-(p,q)-2、第２の方向に沿ってこの第２の画素に隣接する隣接画素における第１副画素・入力信号ｘ1-(p,q')、並びに、第１定数Ｋ1に基づき求め、
第２補正信号値ＣＳ2-(p,q)を、伸長係数α0、第２の画素における第２副画素・入力信号ｘ2-(p,q)-2、隣接画素における第２副画素・入力信号ｘ2-(p,q')、並びに、第２定数Ｋ2に基づき求め、
第３補正信号値ＣＳ3-(p,q)を、伸長係数α0、第２の画素における第３副画素・入力信号ｘ3-(p,q)-2、隣接画素における第３副画素・入力信号ｘ3-(p,q')、並びに、第３定数Ｋ3に基づき求めるが、具体的には、上述したとおり、
第１補正信号値ＣＳ1-(p,q)を、伸長係数α0と第２の画素における第１副画素・入力信号ｘ1-(p,q)-2の積から第１定数Ｋ1を減じることで求めた値、及び、伸長係数α0と隣接画素における第１副画素・入力信号ｘ1-(p,q')の積から第１定数Ｋ1を減じることで求めた値の内の大きい方の値とし、
第２補正信号値ＣＳ2-(p,q)を、伸長係数α0と第２の画素における第２副画素・入力信号ｘ2-(p,q)-2の積から第２定数Ｋ2を減じることで求めた値、及び、伸長係数α0と隣接画素における第２副画素・入力信号ｘ2-(p,q')の積から第２定数Ｋ2を減じることで求めた値の内の大きい方の値とし、
第３補正信号値ＣＳ3-(p,q)を、伸長係数α0と第２の画素における第３副画素・入力信号ｘ3-(p,q)-2の積から第３定数Ｋ3を減じることで求めた値、及び、伸長係数α0と隣接画素における第３副画素・入力信号ｘ3-(p,q')の積から第３定数Ｋ3を減じることで求めた値の内の大きい方の値とすればよい。尚、上述したとおり、限定するものではないが、例えば、第１定数Ｋ1を第１副画素・入力信号が取り得る最大値、第２定数Ｋ2を第２副画素・入力信号が取り得る最大値、第３定数Ｋ3を第３副画素・入力信号が取り得る最大値の（１／２）とすればよい。
【００７１】
ＣＳ1-(p,q)＝ｍａｘ（ｘ1-(p,q)-2・α0−Ｋ1，ｘ1-(p,q')・α0−Ｋ1）  （１−ａ5）
ＣＳ2-(p,q)＝ｍａｘ（ｘ2-(p,q)-2・α0−Ｋ2，ｘ2-(p,q')・α0−Ｋ2）  （１−ｂ5）
ＣＳ3-(p,q)＝ｍａｘ（ｘ3-(p,q)-2・α0−Ｋ3，ｘ3-(p,q')・α0−Ｋ3）  （１−ｃ5）
【００７２】
更には、本発明の第５の態様に係る駆動方法にあっても、第（ｐ，ｑ）番目の画素群において、第１補正信号値ＣＳ1-(p,q)、第２補正信号値ＣＳ2-(p,q)、及び、第３補正信号値ＣＳ3-(p,q)の内の最も大きい値を有する補正信号値を第４補正信号値ＣＳ4-(p,q)として求める。即ち、
ＣＳ4-(p,q)＝ｃ17・ｍａｘ（ＣＳ1-(p,q)，ＣＳ2-(p,q)，ＣＳ3-(p,q)）  （１−ｄ5）
である。そして、第４補正信号値ＣＳ4-(p,q)及び第５補正信号値ＣＳ5-(p,q)から、第４副画素・出力信号Ｘ4-(p,q)を求め、第４副画素へ出力するが、具体的には、上述したとおり、例えば、第４補正信号値ＣＳ4-(p,q)と第５補正信号値ＣＳ5-(p,q)の内の小さい値を有する補正信号値を第４副画素・出力信号Ｘ4-(p,q)として求め、即ち、
Ｘ4-(p,q)＝ｍｉｎ（ＣＳ4-(p,q)，ＣＳ5-(p,q)）                    （１−ｅ5）
として求め、あるいは又、第４補正信号値ＣＳ4-(p,q)と第５補正信号値ＣＳ5-(p,q)の平均値を第４副画素・出力信号Ｘ4-(p,q)として求めればよい。
Ｘ4-(p,q)＝（ＣＳ4-(p,q)＋ＣＳ5-(p,q)）／２                      （１−ｆ5）
あるいは又、式（１−ｆ5）を拡張して、
Ｘ4-(p,q)＝（ｋ4・ＣＳ4-(p,q)＋ｋ5・ＣＳ5-(p,q)）／（ｋ4＋ｋ5）  （１−ｇ5）
として求めてもよい。
【００７３】
第２の画素に関して、本発明の本発明の第４の態様あるいは第５の態様に係る駆動方法にあっては、
第１副画素・出力信号を、少なくとも、第１副画素・入力信号及び伸長係数α0に基づき求めるが、第１副画素・出力信号（信号値Ｘ1-(p,q)-2）を、少なくとも、第１副画素・入力信号値ｘ1-(p,q)-2及び伸長係数α0、並びに、第４副画素・出力信号Ｘ4-(p,q)に基づき求め、
第２副画素・出力信号を、少なくとも、第２副画素・入力信号及び伸長係数α0に基づき求めるが、第２副画素・出力信号（信号値Ｘ2-(p,q)-2）を、少なくとも、第２副画素・入力信号値ｘ2-(p,q)-2及び伸長係数α0、並びに、第４副画素・出力信号Ｘ4-(p,q)に基づき求める構成とすることができる。
【００７４】
また、第１の画素に関して、本発明の本発明の第４の態様あるいは第５の態様に係る駆動方法にあっては、
第１副画素・出力信号を、少なくとも、第１副画素・入力信号及び伸長係数α0に基づき求めるが、第１副画素・出力信号（信号値Ｘ1-(p,q)-1）を、少なくとも、第１副画素・入力信号値ｘ1-(p,q)-1及び伸長係数α0、並びに、第４副画素・出力信号Ｘ4-(p,q)に基づき求め、あるいは又、少なくとも、第１副画素・入力信号値ｘ1-(p,q)-1及び伸長係数α0、並びに、第３副画素・制御信号値ＳＧ3-(p,q)に基づき求め、
第２副画素・出力信号を、少なくとも、第２副画素・入力信号及び伸長係数α0に基づき求めるが、第２副画素・出力信号（信号値Ｘ2-(p,q)-1）を、少なくとも、第２副画素・入力信号値ｘ2-(p,q)-1及び伸長係数α0、並びに、第４副画素・出力信号Ｘ4-(p,q)に基づき求め、あるいは又、少なくとも、第２副画素・入力信号値ｘ2-(p,q)-1及び伸長係数α0、並びに、第３副画素・制御信号値ＳＧ3-(p,q)に基づき求める構成とすることができる。
【００７５】
より具体的には、本発明の第４の態様あるいは本発明の第５の態様に係る駆動方法にあっては、信号処理部において、出力信号値Ｘ1-(p,q)-2，Ｘ2-(p,q)-2，Ｘ1-(p,q)-1，Ｘ2-(p,q)-1を、以下の式から求めることができる。
【００７６】
Ｘ1-(p,q)-2＝α0・ｘ1-(p,q)-2−χ・Ｘ4-(p,q)      （３−Ａ）
Ｘ2-(p,q)-2＝α0・ｘ2-(p,q)-2−χ・Ｘ4-(p,q)      （３−Ｂ）
Ｘ1-(p,q)-1＝α0・ｘ1-(p,q)-1−χ・Ｘ4-(p,q)      （３−Ｃ）
Ｘ2-(p,q)-1＝α0・ｘ2-(p,q)-1−χ・Ｘ4-(p,q)      （３−Ｄ）
あるいは、
Ｘ1-(p,q)-1＝α0・ｘ1-(p,q)-1−χ・ＳＧ3-(p,q)    （３−Ｅ）
Ｘ2-(p,q)-1＝α0・ｘ2-(p,q)-1−χ・ＳＧ3-(p,q)    （３−Ｆ）
【００７７】
更には、第１の画素における第３副画素・出力信号（第３副画素・出力信号値Ｘ3-(p,q)-1）を、Ｃ11及びＣ12を定数としたとき、例えば、以下の式から求めることができる。
Ｘ3-(p,q)-1＝（Ｃ11・Ｘ’3-(p,q)-1＋Ｃ12・Ｘ’3-(p,q)-2）／（Ｃ11＋Ｃ12）
（３−ａ）
又は、
Ｘ3-(p,q)-1＝Ｃ11・Ｘ’3-(p,q)-1＋Ｃ12・Ｘ’3-(p,q)-2       （３−ｂ）
又は、
Ｘ3-(p,q)-1＝Ｃ11・（Ｘ’3-(p,q)-1−Ｘ’3-(p,q)-2）＋Ｃ12・Ｘ’3-(p,q)-2
（３−ｃ）
但し、
Ｘ’3-(p,q)-1＝α0・ｘ3-(p,q)-1−χ・Ｘ4-(p,q)              （３−ｄ）
Ｘ’3-(p,q)-2＝α0・ｘ3-(p,q)-2−χ・Ｘ4-(p,q)              （３−ｅ）
あるいは、
Ｘ’3-(p,q)-1＝α0・ｘ3-(p,q)-1−χ・ＳＧ3-(p,q)            （３−ｆ）
Ｘ’3-(p,q)-2＝α0・ｘ3-(p,q)-2−χ・ＳＧ2-(p,q)            （３−ｇ）
である。
【００７８】
本発明の第３の態様に係る駆動方法あるいは本発明の第４の態様に係る駆動方法にあっては、各画素群を構成する画素の数をｐ0としたとき、ｐ0＝２である。但し、ｐ0＝２に限定するものではなく、ｐ0≧３とすることもできる。
【００７９】
本発明の第４の態様に係る駆動方法にあっては、隣接画素は第１の方向に沿って第（ｐ，ｑ）番目の第２の画素に隣接しているが、隣接画素が第（ｐ，ｑ）番目の第１の画素である構成とすることもできるし、あるいは又、隣接画素が第（ｐ＋１，ｑ）番目の第１の画素である構成とすることもできる。
【００８０】
本発明の第４の態様に係る駆動方法にあっては、第２の方向に沿って、第１の画素と第１の画素が隣接して配置され、第２の画素と第２の画素が隣接して配置されている構成とすることができるし、あるいは又、第２の方向に沿って、第１の画素と第２の画素が隣接して配置されている構成とすることができる。更には、
第１の画素は、第１の方向に沿って、第１原色を表示する第１副画素、第２原色を表示する第２副画素、及び、第３原色を表示する第３副画素が順次配列されて成り、
第２の画素は、第１の方向に沿って、第１原色を表示する第１副画素、第２原色を表示する第２副画素、及び、第４の色を表示する第４副画素が順次配列されて成る構成とすることが好ましい。即ち、第１の方向に沿った画素群の下流端部に第４副画素を配置することが好ましい。但し、これに限定するものではなく、例えば、
第１の画素は、第１の方向に沿って、第１原色を表示する第１副画素、第３原色を表示する第３副画素、及び、第２原色を表示する第２副画素が配列されて成り、
第２の画素は、第１の方向に沿って、第１原色を表示する第１副画素、第４の色を表示する、及び、第２原色を表示する第２副画素が配列されて成る構成等、総計、６×６＝３６通りの組合せのいずれかを選択すればよい。即ち、第１の画素における（第１副画素，第２副画素，第３副画素）の配列の組合せとして６通り、第２の画素における（第１副画素，第２副画素，第４副画素）の配列の組合せとして６通りを挙げることができる。尚、通常、副画素の形状は長方形であるが、この長方形の長辺が第２の方向と平行となり、短辺が第１の方向と平行となるように副画素を配置することが好ましい。
【００８１】
本発明の第２の態様あるいは第５の態様に係る駆動方法にあっては、第（ｐ，ｑ）番目の画素に隣接した隣接画素あるいは第（ｐ，ｑ）番目の第２の画素に隣接した隣接画素として、第（ｐ，ｑ−１）番目の画素を挙げることができるし、あるいは又、第（ｐ，ｑ＋１）番目の画素を挙げることができるし、あるいは又、第（ｐ，ｑ−１）番目の画素及び第（ｐ，ｑ＋１）番目の画素を挙げることができる。
【００８２】
通常、副画素の形状は長方形であるが、この長方形の長辺が第２の方向と平行となり、短辺が第１の方向と平行となるように副画素を配置することが好ましい。但し、これに限定するものではない。
【００８３】
更には、以上に説明した好ましい構成、形態を含む本発明にあっては、第４の色は白色である形態とすることができる。但し、これに限定するものではなく、第４の色は、その他、例えば、イエロー、シアンあるいはマゼンダとすることもできる。そして、これらの場合であって、画像表示装置をカラー液晶表示装置から構成する場合、
第１副画素と画像観察者との間に配置され、第１原色を通過させる第１カラーフィルター、
第２副画素と画像観察者との間に配置され、第２原色を通過させる第２カラーフィルター、及び、
第３副画素と画像観察者との間に配置され、第３原色を通過させる第３カラーフィルター、
を更に備えている構成とすることができる。
【００８４】
面状光源装置を構成する光源として、発光素子、具体的には、発光ダイオード（ＬＥＤ）を挙げることができる。発光ダイオードから成る発光素子は占有体積も小さく、複数の発光素子を配置するのに好適である。発光素子としての発光ダイオードとして、白色発光ダイオード（例えば、紫外又は青色発光ダイオードと発光粒子とを組み合わせて白色を発光する発光ダイオード）を挙げることができる。
【００８５】
ここで、発光粒子として、赤色発光蛍光体粒子、緑色発光蛍光体粒子、青色発光蛍光体粒子を挙げることができる。赤色発光蛍光体粒子を構成する材料として、Ｙ2Ｏ3：Ｅｕ、ＹＶＯ4：Ｅｕ、Ｙ（Ｐ，Ｖ）Ｏ4：Ｅｕ、３．５ＭｇＯ・０．５ＭｇＦ2・Ｇｅ2：Ｍｎ、ＣａＳｉＯ3：Ｐｂ，Ｍｎ、Ｍｇ6ＡｓＯ11：Ｍｎ、（Ｓｒ，Ｍｇ）3（ＰＯ4）3：Ｓｎ、Ｌａ2Ｏ2Ｓ：Ｅｕ、Ｙ2Ｏ2Ｓ：Ｅｕ、（ＭＥ：Ｅｕ）Ｓ［但し、「ＭＥ」は、Ｃａ、Ｓｒ及びＢａから成る群から選択された少なくとも１種類の原子を意味し、以下においても同様である］、（Ｍ：Ｓｍ）x（Ｓｉ，Ａｌ）12（Ｏ，Ｎ）16［但し、「Ｍ」は、Ｌｉ、Ｍｇ及びＣａから成る群から選択された少なくとも１種類の原子を意味し、以下においても同様である］、ＭＥ2Ｓｉ5Ｎ8：Ｅｕ、（Ｃａ：Ｅｕ）ＳｉＮ2、（Ｃａ：Ｅｕ）ＡｌＳｉＮ3を挙げることができる。また、緑色発光蛍光体粒子を構成する材料として、ＬａＰＯ4：Ｃｅ，Ｔｂ、ＢａＭｇＡｌ10Ｏ17：Ｅｕ，Ｍｎ、Ｚｎ2ＳｉＯ4：Ｍｎ、ＭｇＡｌ11Ｏ19：Ｃｅ，Ｔｂ、Ｙ2ＳｉＯ5：Ｃｅ，Ｔｂ、ＭｇＡｌ11Ｏ19：ＣＥ，Ｔｂ，Ｍｎを挙げることができ、更には、（ＭＥ：Ｅｕ）Ｇａ2Ｓ4、（Ｍ：ＲＥ）x（Ｓｉ，Ａｌ）12（Ｏ，Ｎ）16［但し、「ＲＥ」は、Ｔｂ及びＹｂを意味する］、（Ｍ：Ｔｂ）x（Ｓｉ，Ａｌ）12（Ｏ，Ｎ）16、（Ｍ：Ｙｂ）x（Ｓｉ，Ａｌ）12（Ｏ，Ｎ）16を挙げることができる。更には、青色発光蛍光体粒子を構成する材料として、ＢａＭｇＡｌ10Ｏ17：Ｅｕ、ＢａＭｇ2Ａｌ16Ｏ27：Ｅｕ、Ｓｒ2Ｐ2Ｏ7：Ｅｕ、Ｓｒ5（ＰＯ4）3Ｃｌ：Ｅｕ、（Ｓｒ，Ｃａ，Ｂａ，Ｍｇ）5（ＰＯ4）3Ｃｌ：Ｅｕ、ＣａＷＯ4、ＣａＷＯ4：Ｐｂを挙げることができる。但し、発光粒子は、蛍光体粒子に限定されず、例えば、間接遷移型のシリコン系材料において、直接遷移型のように、キャリアを効率良く光へ変換させるために、キャリアの波動関数を局所化し、量子効果を用いた、２次元量子井戸構造、１次元量子井戸構造（量子細線）、０次元量子井戸構造（量子ドット）等の量子井戸構造を適用した発光粒子を挙げることもできるし、半導体材料に添加された希土類原子は殻内遷移により鋭く発光することが知られており、このような技術を適用した発光粒子を挙げることもできる。
【００８６】
あるいは又、面状光源装置を構成する光源として、赤色（例えば、主発光波長６４０ｎｍ）を発光する赤色発光素子（例えば、発光ダイオード）、緑色（例えば、主発光波長５３０ｎｍ）を発光する緑色発光素子（例えば、ＧａＮ系発光ダイオード）、及び、青色（例えば、主発光波長４５０ｎｍ）を発光する青色発光素子（例えば、ＧａＮ系発光ダイオード）の組合せから構成することができる。赤色、緑色、青色以外の第４番目の色、第５番目の色・・・を発光する発光素子を更に備えていてもよい。
【００８７】
発光ダイオードは、所謂フェイスアップ構造を有していてもよいし、フリップチップ構造を有していてもよい。即ち、発光ダイオードは、基板、及び、基板上に形成された発光層から構成されており、発光層から光が外部に出射される構造としてもよいし、発光層からの光が基板を通過して外部に出射される構造としてもよい。より具体的には、発光ダイオード（ＬＥＤ）は、例えば、基板上に形成された第１導電型（例えばｎ型）を有する第１化合物半導体層、第１化合物半導体層上に形成された活性層、活性層上に形成された第２導電型（例えばｐ型）を有する第２化合物半導体層の積層構造を有し、第１化合物半導体層に電気的に接続された第１電極、及び、第２化合物半導体層に電気的に接続された第２電極を備えている。発光ダイオードを構成する層は、発光波長に依存して、周知の化合物半導体材料から構成すればよい。
【００８８】
面状光源装置は、２種類の面状光源装置（バックライト）、即ち、例えば実開昭６３−１８７１２０や特開２００２−２７７８７０に開示された直下型の面状光源装置、並びに、例えば特開２００２−１３１５５２に開示されたエッジライト型（サイドライト型とも呼ばれる）の面状光源装置とすることができる。
【００８９】
直下型の面状光源装置にあっては、光源としての上述した発光素子が、筐体内に配置、配列されている構成とすることができるが、これに限定するものではない。ここで、複数の赤色発光素子、複数の緑色発光素子、及び、複数の青色発光素子が、筐体内に配置、配列されている場合、これらの発光素子の配列状態として、赤色発光素子、緑色発光素子及び青色発光素子を１組とした発光素子群を画像表示パネル（具体的には、例えば、液晶表示装置）の画面水平方向に複数、連ねて発光素子群アレイを形成し、この発光素子群アレイを画像表示パネルの画面垂直方向に複数本、並べる配列を例示することができる。尚、発光素子群として、（１つの赤色発光素子，１つの緑色発光素子，１つの青色発光素子）、（１つの赤色発光素子，２つの緑色発光素子，１つの青色発光素子）、（２つの赤色発光素子，２つの緑色発光素子，１つの青色発光素子）等の複数個の組合せを挙げることができる。尚、発光素子には、例えば、日経エレクトロニクス  ２００４年１２月２０日第８８９号の第１２８ページに掲載されたような光取出しレンズが取り付けられていてもよい。
【００９０】
また、直下型の面状光源装置を複数の面状光源ユニットから構成する場合、１つの面状光源ユニットは、１つの発光素子群から構成されていてもよいし、２つ以上の複数の発光素子群から構成されていてもよい。あるいは又、１つの面状光源ユニットは、１つの白色発光ダイオードから構成されていてもよいし、２つ以上の複数の白色発光ダイオードから構成されていてもよい。
【００９１】
直下型の面状光源装置を複数の面状光源ユニットから構成する場合、面状光源ユニットと面状光源ユニットとの間に隔壁を配設してもよい。隔壁を構成する材料として、具体的には、アクリル系樹脂、ポリカーボネート樹脂、ＡＢＳ樹脂といった、面状光源ユニットに備えられた発光素子から出射された光に対して不透明な材料を挙げることができるし、面状光源ユニットに備えられた発光素子から出射された光に対して透明な材料として、ポリメタクリル酸メチル樹脂（ＰＭＭＡ）、ポリカーボネート樹脂（ＰＣ）、ポリアリレート樹脂（ＰＡＲ）、ポリエチレンテレフタレート樹脂（ＰＥＴ）、ガラスを例示することができる。隔壁表面に光拡散反射機能を付与してもよいし、鏡面反射機能を付与してもよい。隔壁表面に光拡散反射機能を付与するためには、サンドブラスト法に基づき隔壁表面に凹凸を形成したり、凹凸を有するフィルム（光拡散フィルム）を隔壁表面に貼り付ければよい。また、隔壁表面に鏡面反射機能を付与するためには、光反射フィルムを隔壁表面に貼り付けたり、例えばメッキによって隔壁表面に光反射層を形成すればよい。
【００９２】
直下型の面状光源装置は、光拡散板、光拡散シート、プリズムシート、偏光変換シートといった光学機能シート群や、光反射シートを備えている構成とすることができる。光拡散板、光拡散シート、プリズムシート、偏光変換シート、光反射シートとして、広く周知の材料を用いることができる。光学機能シート群は、離間配置された各種シートから構成されていてもよいし、積層され一体として構成されていてもよい。例えば、光拡散シート、プリズムシート、偏光変換シート等が積層され一体となっていてもよい。光拡散板や光学機能シート群は、面状光源装置と画像表示パネルとの間に配置される。
【００９３】
一方、エッジライト型の面状光源装置にあっては、画像表示パネル（具体的には、例えば、液晶表示装置）に対向して導光板が配置され、導光板の側面（次に述べる第１側面）に発光素子が配置される。導光板は、第１面（底面）、この第１面と対向した第２面（頂面）、第１側面、第２側面、第１側面と対向した第３側面、及び、第２側面と対向した第４側面を有する。導光板のより具体的な形状として、全体として、楔状の切頭四角錐形状を挙げることができ、この場合、切頭四角錐の２つの対向する側面が第１面及び第２面に相当し、切頭四角錐の底面が第１側面に相当する。そして、第１面（底面）の表面部には凸部及び／又は凹部が設けられていることが望ましい。導光板の第１側面から光が入射され、第２面（頂面）から画像表示パネルに向けて光が出射される。ここで、導光板の第２面は、平滑としてもよいし（即ち、鏡面としてもよいし）、光拡散効果のあるブラストシボを設けてもよい（即ち、微細な凹凸面とすることもできる）。
【００９４】
導光板の第１面（底面）には、凸部及び／又は凹部が設けられていることが望ましい。即ち、導光板の第１面には、凸部が設けられ、あるいは又、凹部が設けられ、あるいは又、凹凸部が設けられていることが望ましい。凹凸部が設けられている場合、凹部と凸部とが連続していてもよいし、不連続であってもよい。導光板の第１面に設けられた凸部及び／又は凹部は、導光板への光入射方向と所定の角度を成す方向に沿って延びる連続した凸部及び／又は凹部である構成とすることができる。このような構成にあっては、導光板への光入射方向であって第１面と垂直な仮想平面で導光板を切断したときの連続した凸形状あるいは凹形状の断面形状として、三角形；正方形、長方形、台形を含む任意の四角形；任意の多角形；円形、楕円形、放物線、双曲線、カテナリー等を含む任意の滑らかな曲線を例示することができる。尚、導光板への光入射方向と所定の角度を成す方向とは、導光板への光入射方向を０度としたとき、６０度〜１２０度の方向を意味する。以下においても同様である。あるいは又、導光板の第１面に設けられた凸部及び／又は凹部は、導光板への光入射方向と所定の角度を成す方向に沿って延びる不連続の凸部及び／又は凹部である構成とすることができる。このような構成にあっては、不連続の凸形状あるいは凹形状の形状として、角錐、円錐、円柱、三角柱や四角柱を含む多角柱、球の一部、回転楕円体の一部、回転放物線体の一部、回転双曲線体の一部といった各種の滑らかな曲面を例示することができる。尚、導光板において、場合によっては、第１面の周縁部には凸部や凹部が形成されていなくともよい。更には、光源から出射され、導光板に入射した光が導光板の第１面に形成された凸部あるいは凹部に衝突して散乱されるが、導光板の第１面に設けられた凸部あるいは凹部の高さや深さ、ピッチ、形状を、一定としてもよいし、光源から離れるに従い変化させてもよい。後者の場合、例えば凸部あるいは凹部のピッチを光源から離れるに従い細かくしてもよい。ここで、凸部のピッチ、あるいは、凹部のピッチとは、導光板への光入射方向に沿った凸部のピッチ、あるいは、凹部のピッチを意味する。
【００９５】
導光板を備えた面状光源装置にあっては、導光板の第１面に対向して光反射部材を配置することが望ましい。導光板の第２面に対向して画像表示パネル（具体的には、例えば、液晶表示装置）が配置されている。光源から出射された光は、導光板の第１側面（例えば、切頭四角錐の底面に相当する面）から導光板に入射し、第１面の凸部あるいは凹部に衝突して散乱され、第１面から出射し、光反射部材にて反射され、第１面に再び入射し、第２面から出射され、画像表示パネルを照射する。画像表示パネルと導光板の第２面との間に、例えば、光拡散シートやプリズムシートを配置してもよい。また、光源から出射された光を直接、導光板に導いてもよいし、間接的に導光板に導いてもよい。後者の場合、例えば、光ファイバーを用いればよい。
【００９６】
導光板は、光源が出射する光を余り吸収することの無い材料から導光板を作製することが好ましい。具体的には、導光板を構成する材料として、例えば、ガラスや、プラスチック材料（例えば、ＰＭＭＡ、ポリカーボネート樹脂、アクリル系樹脂、非晶性のポリプロピレン系樹脂、ＡＳ樹脂を含むスチレン系樹脂）を挙げることができる。
【００９７】
本発明において、面状光源装置の駆動方法、駆動条件は特に限定するものではなく、光源を一括して制御してもよい。即ち、例えば、複数の発光素子を同時に駆動してもよい。あるいは又、複数の発光素子を部分駆動（分割駆動）してもよい。即ち、面状光源装置を複数の面状光源ユニットから構成する場合、画像表示パネルの表示領域をＳ×Ｔ個の仮想の表示領域ユニットに分割したと想定したときのこれらのＳ×Ｔ個の表示領域ユニットに対応したＳ×Ｔ個の面状光源ユニットから面状光源装置を構成し、Ｓ×Ｔ個の面状光源ユニットの発光状態を個別に制御する構成としてもよい。
【００９８】
面状光源装置並びに画像表示パネルを駆動するための駆動回路は、例えば、発光ダイオード（ＬＥＤ）駆動回路、演算回路、記憶装置（メモリ）等から構成された面状光源装置制御回路、及び、周知の回路から構成された画像表示パネル駆動回路を備えている。尚、温度制御回路を、面状光源装置制御回路に含めることができる。表示領域の部分の輝度（表示輝度）及び面状光源ユニットの輝度（光源輝度）の制御は、１画像表示フレーム毎に行われる。尚、駆動回路に電気信号として１秒間に送られる画像情報の数（毎秒画像）がフレーム周波数（フレームレート）であり、フレーム周波数の逆数がフレーム時間（単位：秒）である。
【００９９】
透過型の液晶表示装置は、例えば、透明第１電極を備えたフロント・パネル、透明第２電極を備えたリア・パネル、及び、フロント・パネルとリア・パネルとの間に配された液晶材料から成る。
【０１００】
フロント・パネルは、より具体的には、例えば、ガラス基板やシリコン基板から成る第１の基板と、第１の基板の内面に設けられた透明第１電極（共通電極とも呼ばれ、例えば、ＩＴＯから成る）と、第１の基板の外面に設けられた偏光フィルムとから構成されている。更には、透過型のカラー液晶表示装置においては、第１の基板の内面に、アクリル樹脂やエポキシ樹脂から成るオーバーコート層によって被覆されたカラーフィルターが設けられている。そして、フロント・パネルは、更に、オーバーコート層上に透明第１電極が形成された構成を有している。尚、透明第１電極上には配向膜が形成されている。一方、リア・パネルは、より具体的には、例えば、ガラス基板やシリコン基板から成る第２の基板と、第２の基板の内面に形成されたスイッチング素子と、スイッチング素子によって導通／非導通が制御される透明第２電極（画素電極とも呼ばれ、例えば、ＩＴＯから成る）と、第２の基板の外面に設けられた偏光フィルムとから構成されている。透明第２電極を含む全面には配向膜が形成されている。これらの透過型のカラー液晶表示装置を含む液晶表示装置を構成する各種の部材や液晶材料は、周知の部材、材料から構成することができる。スイッチング素子として、単結晶シリコン半導体基板に形成されたＭＯＳ型ＦＥＴや薄膜トランジスタ（ＴＦＴ）といった３端子素子や、ＭＩＭ素子、バリスタ素子、ダイオード等の２端子素子を例示することができる。カラーフィルターの配置パターンとして、例えば、デルタ配列に類似した配列、ストライプ配列に類似した配列、ダイアゴナル配列に類似した配列、レクタングル配列に類似した配列を挙げることができる。
【０１０１】
２次元マトリクス状に配列された画素（ピクセル）の数Ｐ0×Ｑ0を（Ｐ0，Ｑ0）で表記したとき、（Ｐ0，Ｑ0）の値として、具体的には、ＶＧＡ（６４０，４８０）、Ｓ−ＶＧＡ（８００，６００）、ＸＧＡ（１０２４，７６８）、ＡＰＲＣ（１１５２，９００）、Ｓ−ＸＧＡ（１２８０，１０２４）、Ｕ−ＸＧＡ（１６００，１２００）、ＨＤ−ＴＶ（１９２０，１０８０）、Ｑ−ＸＧＡ（２０４８，１５３６）の他、（１９２０，１０３５）、（７２０，４８０）、（１２８０，９６０）等、画像表示用解像度の幾つかを例示することができるが、これらの値に限定するものではない。また、（Ｐ0，Ｑ0）の値と（Ｓ，Ｔ）の値との関係として、限定するものではないが、以下の表１に例示することができる。１つの表示領域ユニットを構成する画素の数として、２０×２０乃至３２０×２４０、好ましくは、５０×５０乃至２００×２００を例示することができる。表示領域ユニットにおける画素の数は、一定であってもよいし、異なっていてもよい。
【０１０２】
0005481323.tif 000002
【０１０３】
副画素の配列状態として、例えば、デルタ配列（トライアングル配列）に類似した配列、ストライプ配列に類似した配列、ダイアゴナル配列（モザイク配列）に類似した配列、レクタングル配列に類似した配列を挙げることができる。一般的には、ストライプ配列に類似した配列は、パーソナルコンピュータ等においてデータや文字列を表示するのに好適である。これに対して、モザイク配列に類似した配列は、ビデオカメラレコーダやデジタルスチルカメラ等において自然画を表示するのに好適である。
【０１０４】
本発明の駆動方法にあっては、画像表示装置として、直視型あるいはプロジェクション型のカラー表示の画像表示装置、フィールドシーケンシャル方式のカラー表示の画像表示装置（直視型あるいはプロジェクション型）を挙げることができる。尚、画像表示装置を構成する発光素子の数は、画像表示装置に要求される仕様に基づき、決定すればよい。また、画像表示装置に要求される仕様に基づき、ライト・バルブを更に備えている構成とすることができる。
【０１０５】
画像表示装置は、カラー液晶表示装置に限定するものではなく、その他、有機エレクトロルミネッセンス表示装置（有機ＥＬ表示装置）、無機エレクトロルミネッセンス表示装置（無機ＥＬ表示装置）、冷陰極電界電子放出表示装置（ＦＥＤ）、表面伝導型電子放出表示装置（ＳＥＤ）、プラズマ表示装置（ＰＤＰ）、回折格子−光変調素子（ＧＬＶ）を備えた回折格子−光変調装置、デジタルマイクロミラーデバイス（ＤＭＤ）、ＣＲＴ等を挙げることができる。また、カラー液晶表示装置も、透過型の液晶表示装置に限定するものではなく、反射型の液晶表示装置、半透過型の液晶表示装置とすることもできる。
【実施例１】
【０１０６】
実施例１は、本発明の第１の態様に係る駆動方法並びに第１の態様に係る画像表示装置組立体の駆動方法に関する。
【０１０７】
図１に概念図を示すように、実施例１の画像表示装置１０は、画像表示パネル３０と信号処理部２０とを備えている。また、実施例１の画像表示装置組立体は、画像表示装置１０と、画像表示装置（具体的には、画像表示パネル３０）を背面から照明する面状光源装置５０を具備している。ここで、図２の（Ａ）及び（Ｂ）に概念図を示すように、画像表示パネル３０は、第１原色（例えば、赤色であり、後述する種々の実施例においても同様である）を表示する第１副画素（「Ｒ」で示す）、第２原色（例えば、緑色であり、後述する種々の実施例においても同様である）を表示する第２副画素（「Ｇ」で示す）、第３原色（例えば、青色であり、後述する種々の実施例においても同様である）を表示する第３副画素（「Ｂ」で示す）、及び、第４の色（具体的には白色であり、後述する種々の実施例においても同様である）を表示する第４副画素（「Ｗ」で示す）から構成された画素が、Ｐ0×Ｑ0個（水平方向にＰ0個、垂直方向にＱ0個）、２次元マトリクス状に配列されて成る。
【０１０８】
実施例１の画像表示装置は、より具体的には、透過型のカラー液晶表示装置から成り、画像表示パネル３０はカラー液晶表示パネルから成り、第１副画素Ｒと画像観察者との間に配置され、第１原色を通過させる第１カラーフィルター、第２副画素Ｇと画像観察者との間に配置され、第２原色を通過させる第２カラーフィルター、及び、第３副画素Ｂと画像観察者との間に配置され、第３原色を通過させる第３カラーフィルターを更に備えている。尚、第４副画素Ｗにはカラーフィルターは備えられていない。ここで、第４副画素Ｗには、カラーフィルターの代わりに透明な樹脂層が備えられていてもよく、これによって、カラーフィルターを設けないことによって第４副画素Ｗに大きな段差が生じることを防止することができる。後述する種々の実施例においても同様とすることができる。
【０１０９】
そして、実施例１にあっては、図２の（Ａ）に示した例では、第１副画素Ｒ、第２副画素Ｇ、第３副画素Ｂ及び第４副画素Ｗは、ダイアゴナル配列（モザイク配列）に類似した配列にて配列されている。一方、図２の（Ｂ）に示した例では、第１副画素Ｒ、第２副画素Ｇ、第３副画素Ｂ及び第４副画素Ｗは、ストライプ配列に類似した配列にて配列されている。
【０１１０】
実施例１において、信号処理部２０は、画像表示パネル（より具体的には、カラー液晶表示パネル）を駆動するための画像表示パネル駆動回路４０、及び、面状光源装置５０を駆動するための面状光源装置制御回路６０を備えており、画像表示パネル駆動回路４０は、信号出力回路４１及び走査回路４２を備えている。尚、走査回路４２によって、画像表示パネル３０における副画素の動作（光透過率）を制御するためのスイッチング素子（例えば、ＴＦＴ）がオン／オフ制御される。一方、信号出力回路４１によって、映像信号が保持され、順次、画像表示パネル３０に出力される。信号出力回路４１と画像表示パネル３０とは、配線ＤＴＬによって電気的に接続されており、走査回路４２と画像表示パネル３０とは、配線ＳＣＬによって電気的に接続されている。後述する種々の実施例においても同様とすることができる。
【０１１１】
ここで、実施例１における信号処理部２０にあっては、第（ｐ，ｑ）番目の画素（但し、１≦ｐ≦Ｐ0，１≦ｑ≦Ｑ0）に関して、
信号値がｘ1-(p,q)の第１副画素・入力信号、
信号値がｘ2-(p,q)の第２副画素・入力信号、及び、
信号値がｘ3-(p,q)の第３副画素・入力信号、
が入力される。また、信号処理部２０は、画素Ｐｘ(p,q)に関して、
信号値がＸ1-(p,q)であり、第１副画素Ｒの表示階調を決定するための第１副画素・出力信号、
信号値がＸ2-(p,q)であり、第２副画素Ｇの表示階調を決定するための第２副画素・出力信号、
信号値がＸ3-(p,q)であり、第３副画素Ｂの表示階調を決定するための第３副画素・出力信号、及び、
信号値がＸ4-(p,q)であり、第４副画素Ｗの表示階調を決定するための第４副画素・出力信号、
を出力する。後述する実施例４においても同様である。
【０１１２】
そして、実施例１あるいは後述する種々の実施例にあっては、第４の色（白色）を加えることで拡大されたＨＳＶ色空間における彩度Ｓを変数とした明度の最大値Ｖmax（Ｓ）が、信号処理部２０に記憶されている。即ち、第４の色（白色）を加えることで、ＨＳＶ色空間における明度のダイナミック・レンジが広げられている。
【０１１３】
更には、実施例１における信号処理部２０にあっては、
第１副画素・出力信号（信号値Ｘ1-(p,q)）を、少なくとも、第１副画素・入力信号（信号値ｘ1-(p,q)）及び伸長係数α0に基づき求め、第１副画素Ｒへ出力し、
第２副画素・出力信号（信号値Ｘ2-(p,q)）を、少なくとも、第２副画素・入力信号（信号値ｘ2-(p,q)）及び伸長係数α0に基づき求め、第２副画素Ｇへ出力し、
第３副画素・出力信号（信号値Ｘ3-(p,q)）を、少なくとも、第３副画素・入力信号（信号値ｘ3-(p,q)）及び伸長係数α0に基づき求め、第３副画素Ｂへ出力する。後述する実施例４においても同様である。
【０１１４】
具体的には、実施例１、あるいは、後述する実施例４においては、
第１副画素・出力信号を、少なくとも、第１副画素・入力信号及び伸長係数α0、並びに、第４副画素・出力信号に基づき求め、
第２副画素・出力信号を、少なくとも、第２副画素・入力信号及び伸長係数α0、並びに、第４副画素・出力信号に基づき求め、
第３副画素・出力信号を、少なくとも、第３副画素・入力信号及び伸長係数α0、並びに、第４副画素・出力信号に基づき求める。
【０１１５】
即ち、実施例１、あるいは、後述する実施例４においては、χを画像表示装置に依存した定数としたとき、信号処理部２０において、第（ｐ，ｑ）番目の画素（あるいは、第１副画素Ｒ、第２副画素Ｇ及び第３副画素Ｂの組）への第１副画素・出力信号値Ｘ1-(p,q)、第２副画素・出力信号値Ｘ2-(p,q)及び第３副画素・出力信号値Ｘ3-(p,q)を、以下の式から求めることができる。
Ｘ1-(p,q)＝α0・ｘ1-(p,q)−χ・Ｘ4-(p,q)      （１−Ａ）
Ｘ2-(p,q)＝α0・ｘ2-(p,q)−χ・Ｘ4-(p,q)      （１−Ｂ）
Ｘ3-(p,q)＝α0・ｘ3-(p,q)−χ・Ｘ4-(p,q)      （１−Ｃ）
【０１１６】
実施例１、あるいは、後述する実施例２〜実施例１０にあっては、信号処理部２０において、更には、
（ａ）第４の色を加えることで拡大されたＨＳＶ色空間における彩度Ｓを変数とした明度の最大値Ｖmax（Ｓ）を求め、
（ｂ）複数の画素における副画素・入力信号値に基づき、これらの複数の画素における彩度Ｓ及び明度Ｖ（Ｓ）を求め、
（ｃ）複数の画素において求められたＶmax（Ｓ）／Ｖ（Ｓ）の値の内、少なくとも１つの値に基づいて、伸長係数α0を求める。
【０１１７】
ここで、彩度Ｓ及び明度Ｖ（Ｓ）は、
Ｓ＝（Ｍａｘ−Ｍｉｎ）／Ｍａｘ
Ｖ（Ｓ）＝Ｍａｘ
で表され、彩度Ｓは０から１までの値をとることができ、明度Ｖ（Ｓ）は０から（２n−１）までの値をとることができ、ｎは表示階調ビット数である。また、
Ｍａｘ：画素への第１副画素・入力信号値、第２副画素・入力信号値及び第３副画素・入力信号値の３つの副画素・入力信号値の最大値
Ｍｉｎ：画素への第１副画素・入力信号値、第２副画素・入力信号値及び第３副画素・入力信号値の３つの副画素・入力信号値の最小値
である。以下においても同様である。
【０１１８】
尚、実施例１にあっては、複数の画素において求められたＶmax（Ｓ）／Ｖ（Ｓ）［≡α（Ｓ）］の値の内、最も小さい値（αmin）を伸長係数α0としたが、これに限定するものではない。
【０１１９】
そして、実施例１にあっては、更に、各画素において、
第１補正信号値ＣＳ1-(p,q)を、伸長係数α0、第１副画素・入力信号ｘ1-(p,q)、並びに、第１定数Ｋ1に基づき求め、
第２補正信号値ＣＳ2-(p,q)を、伸長係数α0、第２副画素・入力信号ｘ2-(p,q)、並びに、第２定数Ｋ2に基づき求め、
第３補正信号値ＣＳ3-(p,q)を、伸長係数α0、第３副画素・入力信号ｘ3-(p,q)、並びに、第３定数Ｋ3に基づき求める。
【０１２０】
具体的には、
第１補正信号値ＣＳ1-(p,q)を、伸長係数α0と第１副画素・入力信号ｘ1-(p,q)の積から第１定数Ｋ1を減じることで求め、
第２補正信号値ＣＳ2-(p,q)を、伸長係数α0と第２副画素・入力信号ｘ2-(p,q)の積から第２定数Ｋ2を減じることで求め、
第３補正信号値ＣＳ3-(p,q)を、伸長係数α0と第３副画素・入力信号ｘ3-(p,q)の積から第３定数Ｋ3を減じることで求める形態とすることができる。尚、第１定数Ｋ1を第１副画素・入力信号が取り得る最大値、第２定数Ｋ2を第２副画素・入力信号が取り得る最大値、第３定数Ｋ3を第３副画素・入力信号が取り得る最大値としている。
【０１２１】
ＣＳ1-(p,q)＝ｘ1-(p,q)・α0−Ｋ1    （１−ａ1）
ＣＳ2-(p,q)＝ｘ2-(p,q)・α0−Ｋ2    （１−ｂ1）
ＣＳ3-(p,q)＝ｘ3-(p,q)・α0−Ｋ3    （１−ｃ1）
【０１２２】
そして、各画素において、第１補正信号値ＣＳ1-(p,q)、第２補正信号値ＣＳ2-(p,q)、及び、第３補正信号値ＣＳ3-(p,q)の内の最も大きい値を有する補正信号値を第４補正信号値ＣＳ4-(p,q)として求める。即ち、
ＣＳ4-(p,q)＝ｃ17・ｍａｘ（ＣＳ1-(p,q)，ＣＳ2-(p,q)，ＣＳ3-(p,q)）  （１−ｄ1）
である。
【０１２３】
更には、各画素において、第５補正信号値ＣＳ5-(p,q)を、伸長係数α0、第１副画素・入力信号、第２副画素・入力信号、及び、第３副画素・入力信号に基づき求める。具体的には、第５補正信号値ＣＳ5-(p,q)を、少なくともＭｉｎの値及び伸長係数α0に基づき求める。より具体的には、第５補正信号値ＣＳ5-(p,q)を、例えば、以下の式から求める。但し、ｃ11＝１とした。 
【０１２４】
ＣＳ5-(p,q)＝ｃ11（Ｍｉｎ(p,q)）・α0                （１−１）
【０１２５】
そして、各画素において、第４補正信号値ＣＳ4-(p,q)及び第５補正信号値ＣＳ5-(p,q)から、第４副画素・出力信号Ｘ4-(p,q)を求め、第４副画素Ｗへ出力する。具体的には、式（１１）に基づき、第４副画素・出力信号Ｘ4-(p,q)を求めることができる。尚、式（１１）においては、式（１−ｅ1）の右辺、［ｍｉｎ（ＣＳ4-(p,q)，ＣＳ5-(p,q)）］をχで除しているが、これに限定するものではない。また、伸長係数α0は、１画像表示フレーム毎に決定される。以下の各種の実施例においても同様である。
【０１２６】
Ｘ4-(p,q)＝［ｍｉｎ（ＣＳ4-(p,q)，ＣＳ5-(p,q)）］／χ    （１１）
【０１２７】
以下、これらの点についての説明を行う。
【０１２８】
一般に、第（ｐ，ｑ）番目の画素において、第１副画素・入力信号（信号値ｘ1-(p,q)）、第２副画素・入力信号（信号値ｘ2-(p,q)）、及び、第３副画素・入力信号（信号値ｘ3-(p,q)）に基づき、円柱のＨＳＶ色空間における彩度（Saturation）Ｓ(p,q)及び明度（Brightness）Ｖ（Ｓ）(p,q)は、以下の式（１２−１）及び式（１２−２）から求めることができる。尚、円柱のＨＳＶ色空間の概念図を図３の（Ａ）に示し、彩度Ｓと明度Ｖ（Ｓ）の関係を模式的に図３の（Ｂ）に示す。尚、図３の（Ｂ）、後述する図３の（Ｄ）、図４の（Ａ）、図４の（Ｂ）においては、明度（２n−１）の値を「MAX_1」で示し、明度（２n−１）×（χ＋１）の値を「MAX_2」で示す。
【０１２９】
Ｓ(p,q)＝（Ｍａｘ(p,q)−Ｍｉｎ(p,q)）／Ｍａｘ(p,q)    （１２−１）
Ｖ（Ｓ）(p,q)＝Ｍａｘ(p,q)                            （１２−２）
【０１３０】
ここで、Ｍａｘ(p,q)は、（ｘ1-(p,q)，ｘ2-(p,q)，ｘ3-(p,q)）の３つの副画素・入力信号値の最大値であり、Ｍｉｎ(p,q)は、（ｘ1-(p,q)，ｘ2-(p,q)，ｘ3-(p,q)）の３つの副画素・入力信号値の最小値である。実施例１にあっては、ｎ＝８とした。即ち、表示階調ビット数を８ビット（表示階調の値は、具体的には、０乃至２５５）とした。以下の実施例においても同様である。
【０１３１】
図３の（Ｃ）及び（Ｄ）に、実施例１における第４の色（白色）を加えることで拡大された円柱のＨＳＶ色空間の概念図、及び、彩度Ｓと明度Ｖ（Ｓ）の関係を模式的に示す。白色を表示する第４副画素Ｗには、カラーフィルターが配置されていない。ここで、第１副画素Ｒに第１副画素・出力信号の最大信号値に相当する値を有する信号が入力され、第２副画素Ｇに第２副画素・出力信号の最大信号値に相当する値を有する信号が入力され、第３副画素Ｂに第３副画素・出力信号の最大信号値に相当する値を有する信号が入力されたときの、画素（実施例１〜実施例４）あるいは画素群（実施例５〜実施例１０）を構成する第１副画素Ｒ、第２副画素Ｇ及び第３副画素Ｂの集合体の輝度をＢＮ1-3とし、画素（実施例１〜実施例４）あるいは画素群（実施例５〜実施例１０）を構成する第４副画素Ｗに第４副画素・出力信号の最大信号値に相当する値を有する信号が入力されたときの第４副画素Ｗの輝度ＢＮ4としたときを想定する。即ち、第１副画素Ｒ、第２副画素Ｇ及び第３副画素Ｂの集合体によって最大輝度の白色が表示され、係る白色の輝度がＢＮ1-3で表される。すると、χを画像表示装置に依存した定数としたとき、定数χは、
χ＝ＢＮ4／ＢＮ1-3
で表される。
【０１３２】
具体的には、第１副画素Ｒ、第２副画素Ｇ及び第３副画素Ｂの集合体に、以下の表示階調の値を有する入力信号
ｘ1-(p,q)＝２５５（＝Ｋ1）
ｘ2-(p,q)＝２５５（＝Ｋ2）
ｘ3-(p,q)＝２５５（＝Ｋ3）
が入力されたときの白色の輝度ＢＮ1-3に対して、第４副画素Ｗに表示階調の値２５５を有する入力信号が入力されたと仮定したときの輝度ＢＮ4は、例えば、１．５倍である。即ち、実施例１にあっては、
χ＝１．５
である。
【０１３３】
ところで、信号値Ｘ4-(p,q)が上述した式（１１）で与えられる場合、Ｖmax（Ｓ）は、以下の式で表すことができる。
【０１３４】
Ｓ≦Ｓ0の場合：
Ｖmax（Ｓ）＝（χ＋１）・（２n−１）    （１３−１）
Ｓ0＜Ｓ0≦１の場合：
Ｖmax（Ｓ）＝（２n−１）・（１／Ｓ）    （１３−２）
ここで、
Ｓ0＝１／（χ＋１）
である。
【０１３５】
このようにして得られた、第４の色を加えることで拡大されたＨＳＶ色空間における彩度Ｓを変数とした明度の最大値Ｖmax（Ｓ）が、例えば、信号処理部２０に一種のルック・アップ・テーブルとして記憶されており、あるいは、都度、信号処理部２０において求められる。
【０１３６】
以下、第（ｐ，ｑ）番目の画素における出力信号値Ｘ1-(p,q)，Ｘ2-(p,q)，Ｘ3-(p,q)，Ｘ4-(p,q)の求め方（伸長処理）を説明する。尚、以下の処理は、（第１副画素Ｒ＋第４副画素Ｗ）によって表示される第１原色の輝度、（第２副画素Ｇ＋第４副画素Ｗ）によって表示される第２原色の輝度、（第３副画素Ｂ＋第４副画素Ｗ）によって表示される第３原色の輝度の比を保つように行われる。しかも、色調を保持（維持）するように行われる。更には、階調−輝度特性（ガンマ特性，γ特性）を保持（維持）するように行われる。
【０１３７】
また、いずれかの画素あるは画素群において、入力信号値の全てが「０」である場合（若しくは小さい場合）、このような画素あるいは画素群を含めることなく、伸長係数α0を求めればよい。以下の実施例においても同様である。
【０１３８】
［工程−１００］
先ず、信号処理部２０において、複数の画素における副画素・入力信号値に基づき、これらの複数の画素における彩度Ｓ及び明度Ｖ（Ｓ）を求める。具体的には、第（ｐ，ｑ）番目の画素への第１副画素・入力信号値ｘ1-(p,q)、第２副画素・入力信号値ｘ2-(p,q)、第３副画素・入力信号値ｘ3-(p,q)に基づき、式（１２−１）及び式（１２−２）からＳ(p,q)，Ｖ（Ｓ）(p,q)を求める。この処理を、全ての画素に対して行う。
【０１３９】
［工程−１１０］
次いで、信号処理部２０にて、複数の画素において求められたＶmax（Ｓ）／Ｖ（Ｓ）に基づき伸長係数α（Ｓ）を求める。
【０１４０】
α（Ｓ）＝Ｖmax（Ｓ）／Ｖ（Ｓ）        （１４）
【０１４１】
そして、複数の画素（実施例１にあっては全てのＰ0×Ｑ0個の画素）において求められた伸長係数α（Ｓ）の最小値を伸長係数α0とする。但し、これに限定するものではなく、種々の試験を行い、最適な伸長係数α0を決定すればよい。
【０１４２】
実施例１における第４の色（白色）を加えることで拡大された円柱のＨＳＶ色空間における彩度Ｓと明度Ｖ（Ｓ）の関係を模式的に示す図４の（Ａ）及び（Ｂ）において、α0を与える彩度Ｓの値を「Ｓ’」で示し、彩度Ｓ’における明度Ｖ（Ｓ）を「Ｖ（Ｓ’）」で示し、Ｖmax（Ｓ）を「Ｖmax（Ｓ’）」で示している。また、図４の（Ｂ）において、Ｖ（Ｓ）を黒丸印で示し、Ｖ（Ｓ）×α0を白丸印で示し、彩度ＳにおけるＶmax（Ｓ）を白三角印で示している。
【０１４３】
尚、以上の［工程−１００］〜［工程−１１０］を、後述する実施例２〜実施例１０においても、同様に実行する。
【０１４４】
［工程−１２０］
次に、信号処理部２０において、第（ｐ，ｑ）番目の画素における信号値Ｘ4-(p,q)を求める。具体的には、式（１−ａ1），（１−ｂ1），（１−ｃ1），（１−ｄ1），（１−１），（１１）からＸ4-(p,q)を求める。尚、Ｘ4-(p,q)をＰ0×Ｑ0個の全画素において求める。併せて、第（ｐ，ｑ）番目の画素における信号値Ｘ1-(p,q)を、信号値ｘ1-(p,q)、伸長係数α0及び信号値Ｘ4-(p,q)に基づき求め、第（ｐ，ｑ）番目の画素における信号値Ｘ2-(p,q)を、信号値ｘ2-(p,q)、伸長係数α0及び信号値Ｘ4-(p,q)に基づき求め、第（ｐ，ｑ）番目の画素における信号値Ｘ3-(p,q)を、信号値ｘ3-(p,q)、伸長係数α0及び信号値Ｘ4-(p,q)に基づき求める。具体的には、第（ｐ，ｑ）番目の画素における信号値Ｘ1-(p,q)、信号値Ｘ2-(p,q)及び信号値Ｘ3-(p,q)を、以下の式に基づき求める。
【０１４５】
ＣＳ1-(p,q)＝ｘ1-(p,q)・α0−Ｋ1                                （１−ａ1）
ＣＳ2-(p,q)＝ｘ2-(p,q)・α0−Ｋ2                                （１−ｂ1）
ＣＳ3-(p,q)＝ｘ3-(p,q)・α0−Ｋ3                                （１−ｃ1）
ＣＳ4-(p,q)＝ｃ17・ｍａｘ（ＣＳ1-(p,q)，ＣＳ2-(p,q)，ＣＳ3-(p,q)）
（１−ｄ1）
ＣＳ5-(p,q)＝ｃ11（Ｍｉｎ(p,q)）・α0                           （１−１）
Ｘ4-(p,q)  ＝［ｍｉｎ（ＣＳ4-(p,q)，ＣＳ5-(p,q)）］／χ         （１１）
Ｘ1-(p,q)  ＝α0・ｘ1-(p,q)−χ・Ｘ4-(p,q)                      （１−Ａ）
Ｘ2-(p,q)  ＝α0・ｘ2-(p,q)−χ・Ｘ4-(p,q)                      （１−Ｂ）
Ｘ3-(p,q)  ＝α0・ｘ3-(p,q)−χ・Ｘ4-(p,q)                      （１−Ｃ）
【０１４６】
図２４の（Ａ）のグラフに、第４副画素・出力信号Ｘ4-(p,q)を、式（１１）にて求めるときの第１副画素、第２副画素及び第３副画素の内の最大輝度（図２４の（Ａ）では「Ａ」で示す）と、第４副画素の輝度（図２４の（Ａ）では「Ｂ」で示す）と、入力信号値との関係を示す。尚、図２４の（Ａ）及び（Ｂ）の縦軸は正規化した輝度の値を示し、横軸は入力信号値を示す。第１副画素、第２副画素あるいは第３副画素の入力信号値の最大値が或る値以下の場合、式（１１）の右辺が零であるが故に、第４副画素の輝度は零である。そして、第１副画素、第２副画素あるいは第３副画素の入力信号値の最大値が或る値を越えると、式（１１）の右辺が零を越える値となるが故に、第４副画素の輝度は零を越える値となる。
【０１４７】
Ｘ4-(p,q)＝（ＣＳ4-(p,q)＋ＣＳ5-(p,q)）／２    （１−ｆ1）
に基づく場合、図２４の（Ｂ）のグラフに、第４副画素・出力信号Ｘ4-(p,q)を、式（１−ｆ1）にて求めるときの第１副画素、第２副画素及び第３副画素の内の最大輝度（図２４の（Ｂ）では「Ａ」で示す）と、第４副画素の輝度（図２４の（Ｂ）では「Ｂ」で示す）と、入力信号値との関係を示す。図２４の（Ａ）に示したとは異なり、式（１１）の右辺は常に零ではないが故に、第４副画素の輝度は零を越える値となる。
【０１４８】
図５に、実施例１における第４の色（白色）を加える前の従来のＨＳＶ色空間、第４の色（白色）を加えることで拡大されたＨＳＶ色空間、及び、入力信号の彩度Ｓと明度Ｖ（Ｓ）の関係の一例を示す。また、図６に、実施例１における第４の色（白色）を加える前の従来のＨＳＶ色空間、第４の色（白色）を加えることで拡大されたＨＳＶ色空間、及び、出力信号（伸長処理が施されている）の彩度Ｓと明度Ｖ（Ｓ）の関係の一例を示す。尚、図５及び図６の横軸の彩度Ｓの値は、本来、０乃至１の間の値であるが、図５及び図６においては、２５５倍して表示している。
【０１４９】
ここで、重要な点は、先ず、式（１−ａ1），（１−ｂ1），（１−ｃ1）に示したとおり、右辺第１項の副画素・入力信号値の値がα0によって伸長されていることにある。即ち、副画素・入力信号の値が伸長されていない場合と比較して、副画素・入力信号の値がα0によって伸長されることで、輝度はα0倍となる。このように、副画素・入力信号値の値がα0によって伸長されることで、赤色表示副画素、緑色表示副画素及び青色表示副画素（第１副画素Ｒ、第２副画素Ｇ及び第３副画素Ｂ）の輝度が増加する。しかしながら、赤色表示副画素、緑色表示副画素及び青色表示副画素の値は、副画素・入力信号が取り得る最大値を超える値をとることはできない。従って、式（１−ａ1），（１−ｂ1），（１−ｃ1）に示したとおり、副画素・入力信号値の値と伸長係数α0の積から副画素・入力信号が取り得る最大値を減じている。もしも、式（１−ａ1），（１−ｂ1），（１−ｃ1）の右辺の値が正の値をとるならば、このような副画素は、最大輝度よりも高い値の輝度で表示を行う必要がある。しかしながら、副画素は最大輝度よりも高い値の輝度で表示を行うことができないので、第４副画素との協同によって、最大輝度よりも高い値の輝度で表示を行うことことが可能となる。
【０１５０】
そして、式（１−ａ1），（１−ｂ1），（１−ｃ1）から、式（１−ｄ1）に基づき、ＣＳ4-(p,q)を求める。また、第５補正信号値ＣＳ5-(p,q)を、例えば、式（１−１）から求める。
【０１５１】
即ち、第４補正信号値ＣＳ4-(p,q)は、副画素・入力信号が取り得る最大値を超える値を有する赤色表示副画素、緑色表示副画素及び青色表示副画素の値の内の最も大きい値である。このように、第４補正信号値ＣＳ4-(p,q)を最も大きい値とすることで、赤色表示副画素、緑色表示副画素及び青色表示副画素の内の最も明るい副画素の輝度を第４副画素の輝度で代替し得ることとなる。尚、赤色表示副画素、緑色表示副画素及び青色表示副画素の値の全てが副画素・入力信号が取り得る最大値を超えない場合、第４補正信号値ＣＳ4-(p,q)の値は負の値となる。一方、第５補正信号値ＣＳ5-(p,q)は、赤色表示副画素、緑色表示副画素及び青色表示副画素の内の最も暗い副画素の輝度の値をα0倍した値である。
【０１５２】
更には、第４副画素・出力信号値Ｘ4-(p,q)を、式（１１）から求める。
【０１５３】
即ち、赤色表示副画素、緑色表示副画素及び青色表示副画素の内の最も明るい副画素の輝度を代替すべき第４副画素の輝度の値と、赤色表示副画素、緑色表示副画素及び青色表示副画素の内の最も暗い副画素の輝度の値をα0倍した値との２つの値において、小さい方の値を第４副画素・出力信号値Ｘ4-(p,q)として採用する。従って、赤色表示副画素、緑色表示副画素及び青色表示副画素の内の最も暗い副画素の輝度の値をα0倍した値よりも第４副画素・出力信号値Ｘ4-(p,q)の値が低い場合が生じる。それ故、第４副画素の輝度を出来るだけ低く抑え、第１副画素、第２副画素及び第３副画素の輝度を増加させることが可能となる。
【０１５４】
χ＝１．５、（２n−１）＝２５５としたとき、（ｘ1-(p,q)，ｘ2-(p,q)，ｘ3-(p,q)）として、以下の表３、表５、表７に示す値が入力信号値として入力された場合に出力される出力信号値（Ｘ1-(p,q)，Ｘ2-(p,q)，Ｘ3-(p,q)，Ｘ4-(p,q)）を、以下に示す。また、α0、（ｘ1-(p,q)，ｘ1-(p,q)，ｘ1-(p,q)）の値を以下の表２、表４、表６とおりとしたときの、式（１−ａ1），（１−ｂ1），（１−ｃ1）の各項の値は以下の表３、表５、表７のとおりである。
【０１５５】
［表２］
α0＝１．５
（ｘ1-(p,q)，ｘ1-(p,q)，ｘ1-(p,q)）＝（２００，２００，２００）
【０１５６】
［表３］
ｘ(p,q)    ｘ(p,q)・α0    ＣＳ(p,q)
第１副画素    ２００     ３００          ４５
第２副画素    ２００     ３００          ４５
第３副画素    ２００     ３００          ４５
【０１５７】
従って、表２及び表３から、
ＣＳ4-(p,q)＝ｍａｘ（４５，４５，４５）＝４５
となる。但し、ｃ17＝１としている。一方、
ＣＳ5-(p,q)＝２００×１．５＝３００
である。それ故、
ｍｉｎ（ＣＳ4-(p,q)，ＣＳ5-(p,q)）＝ｍｉｎ（４５、３００）＝４５
となり、Ｘ4-(p,q)の値は、
Ｘ4-(p,q)＝４５／χ
となる。一方、
Ｘ1-(p,q)＝１．５・２００−４５＝２５５
Ｘ2-(p,q)＝１．５・２００−４５＝２５５
Ｘ3-(p,q)＝１．５・２００−４５＝２５５
となる。
【０１５８】
［表４］
α0＝１．５
（ｘ1-(p,q)，ｘ1-(p,q)，ｘ1-(p,q)）＝（２００，１６０，８０）
【０１５９】
［表５］
ｘ(p,q)    ｘ(p,q)・α0    ＣＳ(p,q)
第１副画素    ２００     ３００          ４５
第２副画素    １６０     ２４０        −１５
第３副画素      ８０     １２０      −１３５
【０１６０】
従って、表４及び表５から、
ＣＳ4-(p,q)＝ｍａｘ（４５，−１５，−１３５）＝４５
となる。一方、
ＣＳ5-(p,q)＝８０×１．５＝１２０
である。それ故、
ｍｉｎ（ＣＳ4-(p,q)，ＣＳ5-(p,q)）＝ｍｉｎ（４５，１２０）＝４５
となり、Ｘ4-(p,q)の値は、
Ｘ4-(p,q)＝４５／χ
となる。一方、
Ｘ1-(p,q)＝１．５・２００−４５＝２５５
Ｘ2-(p,q)＝１．５・１６０−４５＝１９５
Ｘ3-(p,q)＝１．５・８０  −４５＝  ７５
となる。
【０１６１】
［表６］
α0＝１．５
（ｘ1-(p,q)，ｘ1-(p,q)，ｘ1-(p,q)）＝（１００，８０，５０）
【０１６２】
［表７］
ｘ(p,q)    ｘ(p,q)・α0    ＣＳ(p,q)
第１副画素    １００     １５０          −１０５
第２副画素      ８０     １２０          −１３５
第３副画素      ６０       ９０          −１６５
【０１６３】
従って、表６及び表７から、ＣＳ4-(p,q)の最大値が負の値なので、
ＣＳ4-(p,q)＝ｍｉｎ（−１０５，−１３５，−１６５）＝０
となる。一方、
ＣＳ5-(p,q)＝６０×１．５＝９０
である。それ故、
ｍｉｎ（ＣＳ4-(p,q)，ＣＳ5-(p,q)）＝ｍｉｎ（０，９０）＝０
となり、Ｘ4-(p,q)の値は、
Ｘ4-(p,q)＝０
となる。一方、
Ｘ1-(p,q)＝１．５・１００−０＝１５０
Ｘ2-(p,q)＝１．５・８０  −０＝１２０
Ｘ3-(p,q)＝１．５・６０  −０＝  ９０
となる。
【０１６４】
このように、実施例１の画像表示装置組立体あるいはその駆動方法にあっては、第４副画素の輝度を出来るだけ低く抑え、第１副画素、第２副画素及び第３副画素の輝度を増加させることができるので、画像表示装置は、面状光源装置の発光色の影響を受け難くなり、色ズレが発生し難くなる。あるいは又、階調が低くなると色純度が低下するといった問題の発生を抑えることが可能となる。
【０１６５】
しかも、実施例１の画像表示装置組立体あるいはその駆動方法にあっては、第（ｐ，ｑ）番目の画素における信号値Ｘ1-(p,q)、信号値Ｘ2-(p,q)、信号値Ｘ3-(p,q)は、α0倍、伸長されており、しかも、信号値Ｘ4-(p,q)によって輝度の増加が図られている。それ故、伸長されていない状態の画像の輝度と同じ画像の輝度とするためには、面状光源装置５０の輝度を、伸長係数α0に基づき減少させればよい。具体的には、面状光源装置５０の輝度を、（１／α0）倍とすればよい。これによって、面状光源装置の消費電力の低減を図ることができる。
【０１６６】
ここで、実施例１の画像表示装置の駆動方法、画像表示装置組立体の駆動方法における伸長処理と、前述した特許第３８０５１５０号公報に開示された処理方法との違いを、図７の（Ａ）及び（Ｂ）に基づき説明する。ここで、図７の（Ａ）及び（Ｂ）は、それぞれ、実施例１の画像表示装置の駆動方法、画像表示装置組立体の駆動方法、及び、特許第３８０５１５０号公報に開示された処理方法における入力信号値及び出力信号値を模式的に示す図である。図７の（Ａ）に示す例において、第１副画素Ｒ、第２副画素Ｇ及び第３副画素Ｂの組の入力信号値を［１］に示す。また、伸長処理を行っている状態（入力信号値と伸長係数α0の積を求める操作）を［２］に示す。更には、伸長処理を行った後の状態（出力信号値Ｘ1-(p,q)，Ｘ2-(p,q)，Ｘ3-(p,q)，Ｘ4-(p,q)が得られた状態）を［３］に示す。一方、特許第３８０５１５０号公報に開示された処理方法における第１副画素Ｒ、第２副画素Ｇ及び第３副画素Ｂの組の入力信号値を［４］に示す。尚、これらの入力信号値は、図７の（Ａ）の［１］に示したと同じである。また、赤入力用副画素、緑入力用副画素及び青入力用副画素のデジタル値Ｒｉ，Ｇｉ，Ｂｉと、輝度用副画素を駆動するためのデジタル値Ｗを［５］に示す。更には、Ｒｏ、Ｇｏ，Ｂｏ並びにＷの各値を求めた結果を［６］に示す。図７の（Ａ）及び（Ｂ）から、実施例１の画像表示装置の駆動方法、画像表示装置組立体の駆動方法にあっては、第２副画素Ｇにおいて、実現できる最大輝度を得ている。一方、特許第３８０５１５０号公報に開示された処理方法にあっては、第２副画素Ｇにおいて、実現できる最大輝度には達していないことが判る。このように、特許第３８０５１５０号公報に開示された処理方法と比較して、実施例１の画像表示装置の駆動方法、画像表示装置組立体の駆動方法にあっては、より高い輝度での画像表示を実現することができる。
【０１６７】
尚、実施例１にて説明した本発明の第１の態様に係る駆動方法、それ自体は、基本的に、以下に説明する実施例にも適用することができる。従って、以下に説明する実施例にあっては、これらの説明は省略し、専ら、画素を構成する副画素に関する説明、及び、入力信号と副画素への出力信号との関係等、また、実施例１との相違点について、説明する。
【実施例２】
【０１６８】
実施例２は、実施例１の変形である。面状光源装置として、従来の直下型の面状光源装置を採用してもよいが、実施例２にあっては、以下に説明する分割駆動方式（部分駆動方式）の面状光源装置１５０を採用している。尚、伸長処理それ自体は、実施例１において説明した伸長処理と同様とすればよい。
【０１６９】
実施例２の画像表示装置組立体を構成する画像表示パネル及び面状光源装置の概念図を図８に示し、画像表示装置組立体を構成する面状光源装置における面状光源装置制御回路の回路図を図９に示し、画像表示装置組立体を構成する面状光源装置における面状光源ユニット等の配置、配列状態を模式的に図１０に示す。
【０１７０】
分割駆動方式の面状光源装置１５０は、カラー液晶表示装置を構成する画像表示パネル１３０の表示領域１３１をＳ×Ｔ個の仮想の表示領域ユニット１３２に分割したと想定したときのこれらのＳ×Ｔ個の表示領域ユニットに対応したＳ×Ｔ個の面状光源ユニット１５２から成り、Ｓ×Ｔ個の面状光源ユニット１５２の発光状態は、個別に制御される。
【０１７１】
図８に概念図を示すように、画像表示パネル（カラー液晶表示パネル）１３０は、第１の方向に沿ってＰ個、第２の方向に沿ってＱ個の、合計Ｐ×Ｑ個の画素が２次元マトリクス状に配列された表示領域１３１を備えている。ここで、表示領域１３１を、Ｓ×Ｔ個の仮想の表示領域ユニット１３２に分割したと想定する。各表示領域ユニット１３２は複数の画素から構成されている。具体的には、例えば、画像表示用解像度としてＨＤ−ＴＶ規格を満たすものであり、２次元マトリクス状に配列された画素（画素）の数Ｐ×Ｑを（Ｐ，Ｑ）で表記したとき、例えば、（１９２０，１０８０）である。また、２次元マトリクス状に配列された画素から構成された表示領域１３１（図８において、一点鎖線で示す）がＳ×Ｔ個の仮想の表示領域ユニット１３２（境界を点線で示す）に分割されている。（Ｓ，Ｔ）の値は、例えば、（１９，１２）である。但し、図面の簡素化のため、図８における表示領域ユニット１３２（及び、後述する面状光源ユニット１５２）の数は、この値と異なる。各表示領域ユニット１３２は複数の画素から構成されており、１つの表示領域ユニット１３２を構成する画素の数は、例えば、約１万である。一般に、画像表示パネル１３０は、線順次駆動される。より具体的には、画像表示パネル１３０は、マトリクス状に交差する走査電極（第１の方向に沿って延びている）とデータ電極（第２の方向に沿って延びている）とを有し、走査回路からの走査電極に走査信号を入力して走査電極を選択、走査し、信号出力回路からデータ電極に入力されたデータ信号（出力信号）に基づき画像を表示させ、１画面を構成する。
【０１７２】
直下型の面状光源装置（バックライト）１５０は、Ｓ×Ｔ個の仮想の表示領域ユニット１３２に対応したＳ×Ｔ個の面状光源ユニット１５２から成り、各面状光源ユニット１５２は、面状光源ユニット１５２に対応する表示領域ユニット１３２を背面から照明する。面状光源ユニット１５２に備えられた光源は、個別に制御される。尚、画像表示パネル１３０の下方に面状光源装置１５０が位置しているが、図８においては、画像表示パネル１３０と面状光源装置１５０とを別々に表示した。
【０１７３】
２次元マトリクス状に配列された画素から構成された表示領域１３１がＳ×Ｔ個の表示領域ユニット１３２に分割されているが、この状態を、「行」及び「列」で表現すると、Ｔ行×Ｓ列の表示領域ユニット１３２に分割されていると云える。また、表示領域ユニット１３２は複数（Ｍ0×Ｎ0）の画素から構成されているが、この状態を、「行」及び「列」で表現すると、Ｎ0行×Ｍ0列の画素から構成されていると云える。
【０１７４】
面状光源装置１５０における面状光源ユニット１５２等の配置、配列状態を図１０に示す。光源は、パルス幅変調（ＰＷＭ）制御方式に基づき駆動される発光ダイオード１５３から成る。面状光源ユニット１５２の輝度の増減は、面状光源ユニット１５２を構成する発光ダイオード１５３のパルス幅変調制御におけるデューティ比の増減制御によって行う。発光ダイオード１５３から出射された照明光は、面状光源ユニット１５２から光拡散板を介して出射され、光拡散シート、プリズムシート、偏光変換シートといった光学機能シート群（これらは図示せず）を通過し、画像表示パネル１３０を背面から照明する。１つの面状光源ユニット１５２に１つの光センサー（フォトダイオード６７）が配置されている。そして、フォトダイオード６７によって、発光ダイオード１５３の輝度及び色度が測定される。
【０１７５】
図８及び図９に示すように、信号処理部２０からの面状光源装置制御信号（駆動信号）に基づき面状光源ユニット１５２を駆動するための面状光源装置駆動回路１６０は、パルス幅変調制御方式に基づき、面状光源ユニット１５２を構成する発光ダイオード１５３のオン／オフ制御を行う。面状光源装置駆動回路１６０は、演算回路６１、記憶装置（メモリ）６２、ＬＥＤ駆動回路６３、フォトダイオード制御回路６４、ＦＥＴから成るスイッチング素子６５、発光ダイオード駆動電源（定電流源）６６から構成されている。面状光源装置制御回路１６０を構成するこれらの回路等は、周知の回路等とすることができる。
【０１７６】
そして、或る画像表示フレームにおける発光ダイオード１５３の発光状態は、フォトダイオード６７によって測定され、フォトダイオード６７からの出力はフォトダイオード制御回路６４に入力され、フォトダイオード制御回路６４、演算回路６１において、発光ダイオード１５３の例えば輝度及び色度としてのデータ（信号）とされ、係るデータがＬＥＤ駆動回路６３に送られ、次の画像表示フレームにおける発光ダイオード１５３の発光状態が制御されるといったフィードバック機構が形成される。
【０１７７】
発光ダイオード１５３の下流には電流検出用の抵抗体ｒが、発光ダイオード１５３と直列に挿入されており、抵抗体ｒを流れる電流が電圧に変換され、抵抗体ｒにおける電圧降下が所定の値となるように、ＬＥＤ駆動回路６３の制御下、発光ダイオード駆動電源６６の動作が制御される。ここで、図９には、発光ダイオード駆動電源（定電流源）６６を１つで描写しているが、実際には、発光ダイオード１５３のそれぞれを駆動するための発光ダイオード駆動電源６６が配されている。尚、図９には、３組の面状光源ユニット１５２を図示している。図９においては、１つの面状光源ユニット１５２には１つの発光ダイオード１５３が備えられている構成を示したが、１つの面状光源ユニット１５２を構成する発光ダイオード１５３の個数は１つに限定されない。
【０１７８】
各画素は、前述したように、第１副画素Ｒ、第２副画素Ｇ、第３副画素Ｂ及び第４副画素Ｗの４種の副画素を１組として構成されている。ここで、副画素のそれぞれの輝度の制御（階調制御）を８ビット制御とし、０〜２５５の２8段階にて行うとしている。また、各面状光源ユニット１５２を構成する発光ダイオード１５３のそれぞれの発光時間を制御するためのパルス幅変調出力信号の値ＰＳも、０〜２５５の２8段階の値をとる。但し、これに限定するものではなく、例えば、１０ビット制御とし、０〜１０２３の２10段階にて行うこともでき、この場合には、８ビットの数値での表現を、例えば４倍すればよい。
【０１７９】
ここで、副画素の光透過率（開口率とも呼ばれる）Ｌｔ、副画素に対応する表示領域の部分の輝度（表示輝度）ｙ、及び、面状光源ユニット１５２の輝度（光源輝度）Ｙを、以下のとおり、定義する。
【０１８０】
Ｙ1・・・・光源輝度の、例えば最高輝度であり、以下、光源輝度・第１規定値と呼ぶ場合がある。
Ｌｔ1・・・表示領域ユニット１３２における副画素の光透過率（開口率）の、例えば最大値であり、以下、光透過率・第１規定値と呼ぶ場合がある。
Ｌｔ2・・・表示領域ユニット１３２を構成する全ての副画素を駆動するために画像表示パネル駆動回路４０に入力される信号処理部２０からの出力信号の値の内の最大値である表示領域ユニット内・信号最大値Ｘmax-(s,t)に相当する制御信号が副画素に供給されたと想定したときの副画素の光透過率（開口率）であり、以下、光透過率・第２規定値と呼ぶ場合がある。尚、０≦Ｌｔ2≦Ｌｔ1
ｙ2・・・・光源輝度が光源輝度・第１規定値Ｙ1であり、副画素の光透過率（開口率）が光透過率・第２規定値Ｌｔ2であると仮定したときに得られる表示輝度であり、以下、表示輝度・第２規定値と呼ぶ場合がある。
Ｙ2・・・・表示領域ユニット内・信号最大値Ｘmax-(s,t)に相当する制御信号が副画素に供給されたと想定し、しかも、このときの副画素の光透過率（開口率）が光透過率・第１規定値Ｌｔ1に補正されたと仮定したとき、副画素の輝度を表示輝度・第２規定値（ｙ2）とするための面状光源ユニット１５２の光源輝度。但し、光源輝度Ｙ2には、各面状光源ユニット１５２の光源輝度が他の面状光源ユニット１５２の光源輝度に与える影響を考慮した補正が施される場合がある。
【０１８１】
面状光源装置の部分駆動（分割駆動）時、表示領域ユニット内・信号最大値Ｘmax-(s,t)に相当する制御信号が副画素に供給されたと想定したときの副画素の輝度（光透過率・第１規定値Ｌｔ1における表示輝度・第２規定値ｙ2）が得られるように、表示領域ユニット１３２に対応する面状光源ユニット１５２を構成する発光素子の輝度を面状光源装置制御回路１６０によって制御するが、具体的には、例えば、副画素の光透過率（開口率）を、例えば光透過率・第１規定値Ｌｔ1としたときに表示輝度ｙ2が得られるように、光源輝度Ｙ2を制御すればよい（例えば、減少させればよい）。即ち、例えば、以下の式（Ａ）を満足するように、画像表示フレーム毎に面状光源ユニッ１５２トの光源輝度Ｙ2を制御すればよい。尚、Ｙ2≦Ｙ1の関係にある。このような制御の概念図を、図１１の（Ａ）及び（Ｂ）に示す。
【０１８２】
Ｙ2・Ｌｔ1＝Ｙ1・Ｌｔ2    （Ａ）
【０１８３】
副画素のそれぞれを制御するために、信号処理部２０から画像表示パネル駆動回路４０に、副画素のそれぞれの光透過率Ｌｔを制御するための出力信号Ｘ1-(p,q)，Ｘ2-(p,q)，Ｘ3-(p,q)，Ｘ4-(p,q)が送出される。画像表示パネル駆動回路４０においては、出力信号から制御信号が生成され、これらの制御信号が副画素に供給（出力）される。そして、制御信号に基づき各副画素を構成するスイッチング素子が駆動され、液晶セルを構成する透明第１電極及び透明第２電極（これらは図示せず）に所望の電圧が印加されることで、各副画素の光透過率（開口率）Ｌｔが制御される。ここで、制御信号が大きいほど、副画素の光透過率（開口率）Ｌｔが高くなり、副画素に対応する表示領域の部分の輝度（表示輝度ｙ）の値が高くなる。即ち、副画素を通過する光によって構成される画像（通常、一種、点状である）は明るい。
【０１８４】
表示輝度ｙ及び光源輝度Ｙ2の制御は、画像表示パネル１３０の画像表示における１画像表示フレーム毎、表示領域ユニット毎、面状光源ユニット毎に行われる。また、１画像表示フレーム内における画像表示パネル１３０の動作と面状光源装置１５０の動作とは同期させられる。尚、駆動回路に電気信号として１秒間に送られる画像情報の数（毎秒画像）がフレーム周波数（フレームレート）であり、フレーム周波数の逆数がフレーム時間（単位：秒）である。
【０１８５】
実施例１にあっては、入力信号を伸長して出力信号を得る伸長処理を、全画素に対して１つの伸長係数α0に基づき行った。一方、実施例２にあっては、Ｓ×Ｔ個の表示領域ユニット１３２のそれぞれにおいて伸長係数α0を求め、表示領域ユニット１３２のそれぞれにおいて、伸長係数α0に基づく伸長処理を行う。
【０１８６】
そして、求められた伸長係数がα0-(s,t)である第（ｓ，ｔ）番目の表示領域ユニット１３２に対応する第（ｓ，ｔ）番目の面状光源ユニット１５２においては、光源の輝度を（１／α0-(s,t)）とする。
【０１８７】
あるいは又、各表示領域ユニット１３２を構成する全ての副画素を駆動するために入力される信号処理部２０からの出力信号値Ｘ1-(s,t)，Ｘ2-(s,t)，Ｘ3-(s,t)，Ｘ4-(s,t)の内の最大値である表示領域ユニット内・信号最大値Ｘmax-(s,t)に相当する制御信号が副画素に供給されたと想定したときの副画素の輝度（光透過率・第１規定値Ｌｔ1における表示輝度・第２規定値ｙ2）が得られるように、この表示領域ユニット１３２に対応する面状光源ユニット１５２を構成する光源の輝度を、面状光源装置制御回路１６０によって制御する。具体的には、副画素の光透過率（開口率）を、光透過率・第１規定値Ｌｔ1としたときに表示輝度ｙ2が得られるように、光源輝度Ｙ2を制御すればよい（例えば、減少させればよい）。即ち、具体的には、上述した式（Ａ）を満足するように、画像表示フレーム毎に面状光源ユニット１５２の光源輝度Ｙ2を制御すればよい。
【０１８８】
ところで、面状光源装置１５０にあっては、例えば、（ｓ，ｔ）＝（１，１）の面状光源ユニット１５２の輝度制御を想定した場合、他のＳ×Ｔ個の面状光源ユニット１５２からの影響を考慮する必要がある場合がある。このような面状光源ユニット１５２が他の面状光源ユニット１５２から受ける影響は、各面状光源ユニット１５２の発光プロファイルによって予め判明しているので、逆算によって差分を計算でき、その結果、補正が可能である。演算の基本形を以下に説明する。
【０１８９】
式（Ａ）の要請に基づくＳ×Ｔ個の面状光源ユニット１５２に要求される輝度（光源輝度Ｙ2）を行列［ＬPxQ］で表す。また、或る面状光源ユニットのみを駆動し、他の面状光源ユニットは駆動していないときに得られる或る面状光源ユニットの輝度を、Ｓ×Ｔ個の面状光源ユニット１５２に対して予め求めておく。係る輝度を行列［Ｌ’PxQ］で表す。更には、補正係数を行列［αPxQ］で表す。すると、これらの行列の関係は、以下の式（Ｂ−１）で表すことができる。補正係数の行列［αPxQ］は、予め求めておくことができる。
［ＬPxQ］＝［Ｌ’PxQ］・［αPxQ］      （Ｂ−１）
よって、式（Ｂ−１）から行列［Ｌ’PxQ］を求めればよい。行列［Ｌ’PxQ］は、逆行列の演算から求めることができる。即ち、
［Ｌ’PxQ］＝［ＬPxQ］・［αPxQ］-1    （Ｂ−２）
を計算すればよい。そして、行列［Ｌ’PxQ］で表された輝度が得られるように、各面状光源ユニット１５２に備えられた光源（発光ダイオード１５３）を制御すればよく、具体的には、係る操作、処理は、面状光源装置制御回路１６０に備えられた記憶装置（メモリ）６２に記憶された情報（データテーブル）を用いて行えばよい。尚、発光ダイオード１５３の制御にあっては、行列［Ｌ’PxQ］の値は負の値を取れないので、演算結果は正の領域にとどめる必要があることは云うまでもない。従って、式（Ｂ−２）の解は厳密解ではなく、近似解となる場合がある。
【０１９０】
このように、面状光源装置制御回路１６０において得られた式（Ａ）の値に基づき得られた行列［ＬPxQ］、補正係数の行列［αPxQ］に基づき、上述したとおり、面状光源ユニットを単独で駆動したと想定したときの輝度の行列［Ｌ’PxQ］を求め、更には、記憶装置６２に記憶された変換テーブルに基づき、０〜２５５の範囲内の対応する整数（パルス幅変調出力信号の値）に変換する。こうして、面状光源装置制御回路１６０を構成する演算回路６１において、面状光源ユニット１５２における発光ダイオード１５３の発光時間を制御するためのパルス幅変調出力信号の値を得ることができる。そして、このパルス幅変調出力信号の値に基づき、面状光源ユニット１５２を構成する発光ダイオード１５３のオン時間ｔON及びオフ時間ｔOFFを、面状光源装置制御回路１６０において決定すればよい。尚、
ｔON＋ｔOFF＝一定値ｔConst
である。また、発光ダイオードのパルス幅変調に基づく駆動におけるデューティ比は、
ｔON／（ｔON＋ｔOFF）＝ｔON／ｔConst
で表すことができる。
【０１９１】
そして、面状光源ユニット１５２を構成する発光ダイオード１５３のオン時間ｔONに相当する信号がＬＥＤ駆動回路６３に送られ、このＬＥＤ駆動回路６３からのオン時間ｔONに相当する信号の値に基づき、スイッチング素子６５がオン時間ｔONだけオン状態となり、発光ダイオード駆動電源６６からのＬＥＤ駆動電流が発光ダイオード１５３に流される。その結果、各発光ダイオード１５３は、１画像表示フレームにおいて、オン時間ｔONだけ発光する。こうして、各表示領域ユニット１３２を、所定の照度において照明する。
【０１９２】
尚、実施例２にて説明した分割駆動方式（部分駆動方式）の面状光源装置１５０を、他の実施例において採用することもできる。
【実施例３】
【０１９３】
実施例３も、実施例１の変形である。実施例３の画像表示装置の等価回路図を図１２に示し、画像表示装置を構成する画像表示パネルの概念図を図１３に示す。実施例３にあっては、以下に説明する画像表示装置を用いる。即ち、実施例３の画像表示装置は、青色を発光する第１発光素子（第１副画素Ｒに相当する）、緑色を発光する第２発光素子（第２副画素Ｇに相当する）、赤色を発光する第３発光素子（第３副画素Ｂに相当する）、白色を発光する第４発光素子（第４副画素Ｗに相当する）から構成された、カラー画像を表示するための発光素子ユニットＵＮが、２次元マトリクス状に配列されて成る画像表示パネルを備えている。ここで、実施例３の画像表示装置を構成する画像表示パネルとして、例えば、以下に説明する構成、構造の画像表示パネルを挙げることができる。尚、発光素子ユニットＵＮの数は、画像表示装置に要求される仕様に基づき、決定すればよい。
【０１９４】
即ち、実施例３の画像表示装置を構成する画像表示パネルは、第１発光素子、第２発光素子、第３発光素子及び第４発光素子のそれぞれの発光／非発光状態を制御することで、各発光素子の発光状態を直接的に視認させることで画像を表示する、パッシブマトリックスタイプあるいはアクティブマトリックスタイプの直視型のカラー表示の画像表示パネルである。あるいは又、第１発光素子、第２発光素子、第３発光素子及び第４発光素子のそれぞれの発光／非発光状態を制御し、スクリーンに投影することで画像を表示する、パッシブマトリックスタイプあるいはアクティブマトリックスタイプのプロジェクション型のカラー表示の画像表示パネルである。
【０１９５】
例えば、このようなアクティブマトリックスタイプの直視型のカラー表示の画像表示パネルを構成する発光素子パネルを含む回路図を図１２に示すが、各発光素子２１０（図１２においては、赤色を発光する発光素子（第１副画素）を「Ｒ」で示し、緑色を発光する発光素子（第２副画素）を「Ｇ」で示し、青色を発光する発光素子（第３副画素Ｂ）を「Ｂ」で示し、白色を発光する発光素子（第４副画素）を「Ｗ」で示す）の一方の電極（ｐ側電極あるいはｎ側電極）はドライバ２３３に接続され、ドライバ２３３は、コラム・ドライバ２３１及びロウ・ドライバ２３２に接続されている。また、各発光素子２１０の他方の電極（ｎ側電極あるいはｐ側電極）は接地線に接続されている。各発光素子２１０の発光／非発光状態の制御は、例えばロウ・ドライバ２３２によるドライバ２３３の選択によって行われ、コラム・ドライバ２３１から各発光素子２１０を駆動するための輝度信号がドライバ２３３に供給される。赤色を発光する発光素子Ｒ（第１発光素子，第１副画素Ｒ）、緑色を発光する発光素子Ｇ（第２発光素子，第２副画素Ｇ）、青色を発光する発光素子Ｂ（第３発光素子，第３副画素Ｂ）、白色を発光する発光素子Ｗ（第４発光素子，第４副画素Ｗ）の選択は、ドライバ２３３によって行われ、これらの赤色を発光する発光素子Ｒ、緑色を発光する発光素子Ｇ、青色を発光する発光素子Ｂ、白色を発光する発光素子Ｗのそれぞれの発光／非発光状態を、時分割制御させてもよく、あるいは又、同時に発光させてもよい。尚、直視型画像表示装置にあっては、直視され、あるいは又、プロジェクション型画像表示装置にあっては、投影レンズを経由して、スクリーンに投影される。
【０１９６】
尚、このような画像表示装置を構成する画像表示パネルの概念図を図１３に示す。直視型画像表示装置にあっては、直視され、あるいは又、プロジェクション型画像表示装置にあっては、投影レンズ２０３を経由して、スクリーンに投影される。
【０１９７】
あるいは又、実施例３の画像表示装置を構成する画像表示パネルを、２次元マトリクス状に配列された発光素子ユニットからの出射光の通過／非通過を制御するための光通過制御装置（ライト・バルブであり、具体的には、例えば、高温ポリシリコンタイプの薄膜トランジスタを備えた液晶表示装置。以下の実施例においても同様である。）を備えており、発光素子ユニットにおける第１発光素子、第２発光素子、第３発光素子及び第４発光素子のそれぞれの発光／非発光状態を時分割制御し、更に、光通過制御装置によって第１発光素子、第２発光素子、第３発光素子及び第４発光素子から出射された出射光の通過／非通過を制御することで画像を表示するカラー表示の直視型あるいはプロジェクション型の画像表示パネルとすることもできる。
【０１９８】
実施例３にあっては、第１発光素子（第１副画素Ｒ）、第２発光素子（第２副画素Ｇ）、第３発光素子（第３副画素Ｂ）及び第４発光素子（第４副画素Ｗ）のそれぞれの発光状態を制御する出力信号を、実施例１において説明した伸長処理に基づき得ればよい。そして、伸長処理によって得られた出力信号の値Ｘ1-(p,q)，Ｘ2-(p,q)，Ｘ3-(p,q)，Ｘ4-(p,q)に基づき画像表示装置を駆動すれば、画像表示装置全体として輝度をα0倍に増加させることができる。あるいは又、出力信号の値Ｘ1-(p,q)，Ｘ2-(p,q)，Ｘ3-(p,q)，Ｘ4-(p,q)に基づき、第１発光素子（第１副画素Ｒ）、第２発光素子（第２副画素Ｇ）、第３発光素子（第３副画素Ｂ）及び第４発光素子（第４副画素Ｗ）のそれぞれの発光輝度を（１／α0）倍とすれば、画像品質の劣化を伴うことなく、画像表示装置全体としての消費電力の低減を図ることができる。
【実施例４】
【０１９９】
実施例４は、本発明の第２の態様に係るの駆動方法、並びに、第２の態様に係る画像表示装置組立体の駆動方法に関する。
【０２００】
図１４に画素の配置を模式的に示すように、実施例４の画像表示パネル３０は、画素Ｐｘが、第１の方向にＰ0個、第２の方向にＱ0個の合計、Ｐ0×Ｑ0個、２次元マトリクス状に配列されて成る。尚、図１４において、第１副画素Ｒ、第２副画素Ｇ、第３副画素Ｂ及び第４副画素Ｗを実線で囲んでいる。そして、各画素Ｐｘは、第１原色（例えば、赤色）を表示する第１副画素Ｒ、第２原色（例えば、緑色）を表示する第２副画素Ｇ、第３原色（例えば、青色）を表示する第３副画素Ｂ、及び、第４の色（例えば、白色）を表示する第４副画素Ｗから成り、これらの副画素が第１の方向に配列されている。副画素の形状は長方形であり、この長方形の長辺が第２の方向と平行となり、短辺が第１の方向と平行となるように副画素を配置する。
【０２０１】
実施例４における画像表示装置、画像表示装置組立体は、実施例１〜実施例３にて説明した画像表示装置、画像表示装置組立体のいずれかと同様することができる。即ち、実施例４の画像表示装置１０も、例えば、画像表示パネルと信号処理部２０とを備えている。また、実施例４の画像表示装置組立体は、画像表示装置１０と、例えば、画像表示装置（具体的には、画像表示パネル）を背面から照明する面状光源装置５０を具備している。そして、実施例４における信号処理部２０、面状光源装置５０は、実施例１にて説明した信号処理部２０、面状光源装置５０と同様とすることができる。後述する種々の実施例においても同様である。
【０２０２】
更には、第（ｐ，ｑ）番目の画素に隣接した隣接画素に関して、信号処理部２０には、
信号値がｘ1-(p,q')の第１副画素・入力信号、
信号値がｘ2-(p,q')の第２副画素・入力信号、及び、
信号値がｘ3-(p,q')の第３副画素・入力信号、
が入力される。
【０２０３】
尚、実施例４にあっては、第（ｐ，ｑ）番目の画素に隣接した隣接画素を、第（ｐ，ｑ−１）番目の画素とする。但し、これに限定するものではなく、第（ｐ，ｑ＋１）番目の画素とすることもできるし、第（ｐ，ｑ−１）番目の画素及び第（ｐ，ｑ＋１）番目の画素とすることもできる。
【０２０４】
そして、信号処理部２０において、実施例１にて説明したと同様に、
（ａ）第４の色を加えることで拡大されたＨＳＶ色空間における彩度Ｓを変数とした明度の最大値Ｖmax（Ｓ）を求め、
（ｂ）複数の画素における副画素・入力信号値に基づき、この複数の画素における彩度Ｓ及び明度Ｖ（Ｓ）を求め、
（ｃ）複数の画素において求められたＶmax（Ｓ）／Ｖ（Ｓ）の値の内、少なくとも１つの値に基づいて、伸長係数α0を求める。
【０２０５】
更には、信号処理部２０にあっては、第２の方向に沿って数えたときの第（ｐ，ｑ）番目［但し、ｐ＝１，２・・・Ｐ0であり、ｑ＝１，２・・・，Ｑ0である］の画素において、
第１補正信号値を、伸長係数α0、第（ｐ，ｑ）番目の画素における第１副画素・入力
信号、第（ｐ，ｑ）番目の画素に隣接する隣接画素における第１副画素・入力信号、並び
に、第１定数Ｋ1に基づき求め、
第２補正信号値を、伸長係数α0、第（ｐ，ｑ）番目の画素における第２副画素・入力
信号、この隣接画素における第２副画素・入力信号、並びに、第２定数Ｋ2に基づき求め
、
第３補正信号値を、伸長係数α0、第（ｐ，ｑ）番目の画素における第３副画素・入力
信号、この隣接画素における第３副画素・入力信号、並びに、第３定数Ｋ3に基づき求め
、
第１補正信号値、第２補正信号値、及び、第３補正信号値の内の最も大きい値を有する
補正信号値を第４補正信号値として求め、
第５補正信号値を、伸長係数α0、第（ｐ，ｑ）番目の画素における第１副画素・入力
信号、第２副画素・入力信号及び第３副画素・入力信号、並びに、この隣接画素における第１副画素・入力信号、第２副画素・入力信号及び第３副画素・入力信号に基づき求める。 
【０２０６】
そして、第（ｐ，ｑ）番目の画素において、第４補正信号値及び第５補正信号値から、第（ｐ，ｑ）番目の画素における第４副画素・出力信号を求め、第（ｐ，ｑ）番目の画素における第４副画素へ出力する。
【０２０７】
具体的には、実施例４にあっては、第１定数Ｋ1を第１副画素・入力信号が取り得る最大値、第２定数Ｋ2を第２副画素・入力信号が取り得る最大値、第３定数Ｋ3を第３副画素・入力信号が取り得る最大値とし、
第１補正信号値ＣＳ1-(p,q)を、伸長係数α0、第２の方向に沿って数えたときの第（ｐ，ｑ）番目の画素における第１副画素・入力信号ｘ1-(p,q)、第（ｐ，ｑ）番目の画素に隣接する隣接画素における第１副画素・入力信号ｘ1-(p,q')、並びに、第１定数Ｋ1に基づき求め、
第２補正信号値ＣＳ2-(p,q)を、伸長係数α0、第（ｐ，ｑ）番目の画素における第２副画素・入力信号ｘ2-(p,q)、この隣接画素における第２副画素・入力信号ｘ2-(p,q')、並びに、第２定数Ｋ2に基づき求め、
第３補正信号値ＣＳ3-(p,q)を、伸長係数α0、第（ｐ，ｑ）番目の画素における第３副画素・入力信号ｘ3-(p,q)、この隣接画素における第３副画素・入力信号ｘ3-(p,q')、並びに、第３定数Ｋ3に基づき求める。
【０２０８】
より具体的には、
第１補正信号値ＣＳ1-(p,q)を、伸長係数α0と第（ｐ，ｑ）番目の画素における第１副画素・入力信号ｘ1-(p,q)の積から第１定数Ｋ1を減じることで求めた値、及び、伸長係数α0とこの隣接画素における第１副画素・入力信号ｘ1-(p,q')の積から第１定数Ｋ1を減じることで求めた値の内の大きい方の値とし、
第２補正信号値ＣＳ2-(p,q)を、伸長係数α0と第（ｐ，ｑ）番目の画素における第２副画素・入力信号ｘ2-(p,q)の積から第２定数Ｋ2を減じることで求めた値、及び、伸長係数α0とこの隣接画素における第２副画素・入力信号ｘ2-(p,q')の積から第２定数Ｋ2を減じることで求めた値の内の大きい方の値とし、
第３補正信号値ＣＳ3-(p,q)を、伸長係数α0と第（ｐ，ｑ）番目の画素における第３副画素・入力信号ｘ3-(p,q)の積から第３定数Ｋ3を減じることで求めた値、及び、伸長係数α0とこの隣接画素における第３副画素・入力信号ｘ3-(p,q')の積から第３定数Ｋ3を減じることで求めた値の内の大きい方の値とする。
【０２０９】
ＣＳ1-(p,q)＝ｍａｘ（ｘ1-(p,q)・α0−Ｋ1，ｘ1-(p,q')・α0−Ｋ1）  （１−ａ2）
ＣＳ2-(p,q)＝ｍａｘ（ｘ2-(p,q)・α0−Ｋ2，ｘ2-(p,q')・α0−Ｋ2）  （１−ｂ2）
ＣＳ3-(p,q)＝ｍａｘ（ｘ3-(p,q)・α0−Ｋ3，ｘ3-(p,q')・α0−Ｋ3）  （１−ｃ2）
【０２１０】
また、第２の方向に沿った第（ｐ，ｑ）番目の画素において、第５補正信号値ＣＳ5-(p
,q)を、伸長係数α0、第（ｐ，ｑ）番目の画素における第１副画素・入力信号ｘ1-(p,q)
、第２副画素・入力信号ｘ2-(p,q)及び第３副画素・入力信号ｘ3-(p,q)、並びに、この隣接画素における第１副画素・入力信号ｘ1-(p,q')、第２副画素・入力信号ｘ2-(p,q')及び第３副画素・入力信号ｘ3-(p,q')に基づき求める。具体的には、実施例４にあっては、第５補正信号値ＣＳ5-(p,q)を、少なくとも、第（ｐ，ｑ）番目の画素のＭｉｎの値、隣接画素のＭｉｎの値及び伸長係数α0に基づき求める。より具体的には、第５補正信号値ＣＳ5-(p,q)を、式（２−１−１）、（２−１−２）、（２−８）から求める。そして、第４補正信号値ＣＳ4-(p,q)と第５補正信号値ＣＳ5-(p,q)の内の小さい値を有する補正信号値を第４副画素・出力信号Ｘ4-(p,q)として求める。但し、ｃ21＝１とする。
【０２１１】
ＳＧ3-(p,q)＝ｃ21（Ｍｉｎ(p,q)）・α0                           （２−１−１）
ＳＧ2-(p,q)＝ｃ21（Ｍｉｎ(p,q')）・α0                          （２−１−２）
ＣＳ5-(p,q)＝ｍｉｎ（ＳＧ2-(p,q)，ＳＧ3-(p,q)）                 （２−８）
ＣＳ4-(p,q)＝ｃ17・ｍａｘ（ＣＳ1-(p,q)，ＣＳ2-(p,q)，ＣＳ3-(p,q)）
（１−ｄ2）
Ｘ4-(p,q)  ＝（ＣＳ4-(p,q)＋ＣＳ5-(p,q)）／２                   （１−ｆ2）
【０２１２】
また、第１副画素Ｒ、第２副画素Ｇ、第３副画素Ｂにおける出力信号値Ｘ1-(p,q)，Ｘ2-(p,q)，Ｘ3-(p,q)は、信号処理部２０において、伸長係数α0及び定数χに基づき求めることができ、より具体的には、式（１−Ａ）〜式（１−Ｃ）から求めることができる。
【０２１３】
Ｘ1-(p,q)＝α0・ｘ1-(p,q)−χ・Ｘ4-(p,q)            （１−Ａ）
Ｘ2-(p,q)＝α0・ｘ2-(p,q)−χ・Ｘ4-(p,q)            （１−Ｂ）
Ｘ3-(p,q)＝α0・ｘ3-(p,q)−χ・Ｘ4-(p,q)            （１−Ｃ）
【０２１４】
以下、第（ｐ，ｑ）番目の画素群ＰＧ(p,q)における出力信号値Ｘ1-(p,q)，Ｘ2-(p,q)，Ｘ3-(p,q)，Ｘ4-(p,q)の求め方（伸長処理）を説明する。尚、以下の処理は、第１の画素及び第２の画素の全体で、即ち、各画素群において、（第１副画素Ｒ＋第４副画素Ｗ）によって表示される第１原色の輝度、（第２副画素Ｇ＋第４副画素Ｗ）によって表示される第２原色の輝度、（第３副画素Ｂ＋第４副画素Ｗ）によって表示される第３原色の輝度の比を保つように行われる。しかも、色調を保持（維持）するように行われる。更には、階調−輝度特性（ガンマ特性，γ特性）を保持（維持）するように行われる。
【０２１５】
［工程−４００］
先ず、実施例１の［工程−１００］〜［工程−１１０］と同様の工程を実行する。
【０２１６】
［工程−４１０］
次いで、信号処理部２０において、第（ｐ，ｑ）番目の画素Ｐｘ(p,q)への第４副画素・出力信号値Ｘ4-(p,q)を、上述の式（１−ａ2）、（１−ｂ2）、（１−ｃ2）、（２−１−１）、（２−１−２）、（２−８）、（１−ｄ2）、（１−ｆ2）に基づき求める。そして、更に、式（１−Ａ）、（１−Ｂ）、（１−Ｃ）に基づき、第（ｐ，ｑ）番目の画素Ｐｘ(p,q)への第１副画素・出力信号値Ｘ1-(p,q)、第２副画素・出力信号値Ｘ2-(p,q)、第３副画素・出力信号値Ｘ3-(p,q)を求める。
【０２１７】
ここで、重要な点は、各式の値がα0によって伸長されていることにある。このように、各式の値がα0によって伸長されることで、白色表示副画素（第４副画素Ｗ）の輝度が増加するだけでなく、式（１−Ａ）〜式（１−Ｃ）に示すとおり、赤色表示副画素、緑色表示副画素及び青色表示副画素（第１副画素Ｒ、第２副画素Ｇ及び第３副画素Ｂ）の輝度も増加する。即ち、副画素・出力信号値の値が伸長されていない場合と比較して、副画素・出力信号値の値がα0によって伸長されることで、画像全体として輝度はα0倍となる。従って、例えば、静止画等の画像表示を高輝度にて行うことができ、最適である。あるいは又、伸長されていない状態の画像の輝度と同じ画像の輝度とするためには、面状光源装置５０の輝度を、伸長係数α0に基づき減少させればよい。具体的には、面状光源装置５０の輝度を、（１／α0）倍とすればよい。これによって、面状光源装置の消費電力の低減を図ることができる。
【０２１８】
しかも、第（ｐ，ｑ）番目の画素への第４副画素・出力信号を、第（ｐ，ｑ）番目の画素への副画素・入力信号及びこの画素に第２の方向に沿って隣接する隣接画素への副画素・入力信号に基づき求める。即ち、或る画素への第４副画素・出力信号が、この或る画素と隣接する隣接画素への入力信号にも基づき求められるので、第４副画素への出力信号の最適化が図られている。また、第４副画素を備えているが故に、輝度の増加を確実に図ることができるし、表示品位の向上を図ることができる。
【実施例５】
【０２１９】
実施例５は、本発明の第３の態様の駆動方法、並びに、第３の態様に係る画像表示装置組立体の駆動方法に関する。
【０２２０】
図１５に画素の配置を模式的に示すように、実施例５の画像表示パネル３０においては、第１原色（例えば、赤色）を表示する第１副画素Ｒ、第２原色（例えば、緑色）を表示する第２副画素Ｇ、及び、第３原色（例えば、青色）を表示する第３副画素Ｂから構成された画素Ｐｘが、第１の方向及び第２の方向に２次元マトリクス状に配列されている。そして、第１の方向に配列された少なくとも第１の画素Ｐｘ1及び第２の画素Ｐｘ2によって画素群ＰＧが構成されている。尚、実施例５にあっては、具体的には、画素群ＰＧは、第１の画素Ｐｘ1及び第２の画素Ｐｘ2から構成されており、画素群ＰＧを構成する画素の数をｐ0としたとき、ｐ0＝２である。更には、各画素群ＰＧにおいて、第１の画素Ｐｘ1と第２の画素Ｐｘ2との間に第４の色（実施例５にあっては、具体的には白色）を表示する第４副画素Ｗが配置されている。尚、画素の配置の概念図を、便宜上、図１８に示すが、図１８に示す配置は、後述する実施例７における画素の配置である。
【０２２１】
ここで、正数Ｐを第１の方向に沿った画素群ＰＧの数、正数Ｑを第２の方向に沿った画素群ＰＧの数とすると、画素Ｐｘは、より具体的には、Ｐ×Ｑ個［第１の方向である水平方向に（ｐ0×Ｐ）個、第２の方向である垂直方向にＱ個］、２次元マトリクス状に配列されて成る。また、実施例５にあっては、各画素群ＰＧは、上述したとおり、ｐ0＝２である。
【０２２２】
そして、実施例５にあっては、第１の方向を行方向、第２の方向を列方向としたとき、第ｑ’番目の列（但し、１≦ｑ’≦Ｑ−１）における第１の画素Ｐｘ1と第（ｑ’＋１）番目の列における第１の画素Ｐｘ1とは隣接しており、第ｑ’番目の列における第４副画素Ｗと第（ｑ’＋１）番目の列における第４副画素Ｗとは隣接していない。即ち、第２の方向に沿って、第２の画素Ｐｘ2と第４副画素Ｗとは、交互に配置されている。尚、図１５において、第１の画素Ｐｘ1を構成する第１副画素Ｒ、第２副画素Ｇ及び第３副画素Ｂを実線で囲み、第２の画素Ｐｘ2を構成する第１副画素Ｒ、第２副画素Ｇ及び第３副画素Ｂを点線で囲んでいる。後述する図１６、図１７、図２０、図２１、図２２においても同様である。第２の方向に沿って、第２の画素Ｐｘ2と第４副画素Ｗとが交互に配置されているが故に、画素ピッチにも依るが、第４副画素Ｗの存在に起因して画像に筋状のパターンが認められることを、確実に防ぐことができる。
【０２２３】
ここで、実施例５において、信号処理部２０には、
第（ｐ，ｑ）番目の画素群ＰＧ(p,q)（但し、１≦ｐ≦Ｐ，１≦ｑ≦Ｑ）を構成する第１の画素Ｐｘ(p,q)-1に関して、信号処理部２０には、
信号値がｘ1-(p,q)-1の第１副画素・入力信号、
信号値がｘ2-(p,q)-1の第２副画素・入力信号、及び、
信号値がｘ3-(p,q)-1の第３副画素・入力信号、
が入力され、
第（ｐ，ｑ）番目の画素群ＰＧ(p,q)を構成する第２の画素Ｐｘ(p,q)-2に関して、
信号値がｘ1-(p,q)-2の第１副画素・入力信号、
信号値がｘ2-(p,q)-2の第２副画素・入力信号、及び、
信号値がｘ3-(p,q)-2の第３副画素・入力信号、
が入力される。
【０２２４】
また、実施例５において、信号処理部２０は、
第（ｐ，ｑ）番目の画素群ＰＧ(p,q)を構成する第１の画素Ｐｘ(p,q)-1に関して、
信号値がＸ1-(p,q)-1であり、第１副画素Ｒの表示階調を決定するための第１副画素・出力信号、
信号値がＸ2-(p,q)-1であり、第２副画素Ｇの表示階調を決定するための第２副画素・出力信号、及び、
信号値がＸ3-(p,q)-1であり、第３副画素Ｂの表示階調を決定するための第３副画素・出力信号、
を出力し、
第（ｐ，ｑ）番目の画素群ＰＧ(p,q)を構成する第２の画素Ｐｘ(p,q)-2に関して、
信号値がＸ1-(p,q)-2であり、第１副画素Ｒの表示階調を決定するための第１副画素・出力信号、
信号値がＸ2-(p,q)-2であり、第２副画素Ｇの表示階調を決定するための第２副画素・出力信号、及び、
信号値がＸ3-(p,q)-2であり、第３副画素Ｂの表示階調を決定するための第３副画素・出力信号、
を出力し、更に、
第（ｐ，ｑ）番目の画素群ＰＧ(p,q)を構成する第４副画素Ｗに関して、信号値がＸ4-(p,q)であり、第４副画素Ｗの表示階調を決定するための第４副画素・出力信号、
を出力する。
【０２２５】
そして、実施例５にあっては、信号処理部２０において、
第１の画素Ｐｘ(p,q)-1に関して、
第１副画素・出力信号（信号値Ｘ1-(p,q)-1）を、少なくとも第１副画素・入力信号（信号値ｘ1-(p,q)-1）及び伸長係数α0に基づき求め、第１副画素Ｒへ出力し、
第２副画素・出力信号（信号値Ｘ2-(p,q)-1）を、少なくとも第２副画素・入力信号（信号値ｘ2-(p,q)-1）及び伸長係数α0に基づき求め、第２副画素Ｇへ出力し、
第３副画素・出力信号（信号値Ｘ3-(p,q)-1）を、少なくとも第３副画素・入力信号（信号値ｘ3-(p,q)-1）及び伸長係数α0に基づき求め、第３副画素Ｂへ出力し、
第２の画素Ｐｘ(p,q)-2に関して、
第１副画素・出力信号（信号値Ｘ1-(p,q)-2）を、少なくとも第１副画素・入力信号（信号値ｘ1-(p,q)-2）及び伸長係数α0に基づき求め、第１副画素Ｒへ出力し、
第２副画素・出力信号（信号値Ｘ2-(p,q)-2）を、少なくとも第２副画素・入力信号（信号値ｘ2-(p,q)-2）及び伸長係数α0に基づき求め、第２副画素Ｇへ出力し、
第３副画素・出力信号（信号値Ｘ3-(p,q)-2）を、少なくとも第３副画素・入力信号（信号値ｘ3-(p,q)-2）及び伸長係数α0に基づき求め、第３副画素Ｂへ出力する。
【０２２６】
そして、信号処理部２０において、実施例１にて説明したと同様に、
（ａ）第４の色を加えることで拡大されたＨＳＶ色空間における彩度Ｓを変数とした明度の最大値Ｖmax（Ｓ）を求め、
（ｂ）複数の画素における副画素・入力信号値に基づき、これらの複数の画素における彩度Ｓ及び明度Ｖ（Ｓ）を求め、
（ｃ）複数の画素において求められたＶmax（Ｓ）／Ｖ（Ｓ）の値の内、少なくとも１つの値に基づいて、伸長係数α0を求める。
【０２２７】
更には、各画素群において、
第１補正信号値を、伸長係数α0、第１の画素及び第２の画素における第１副画素・入
力信号、並びに、第１定数Ｋ1に基づき求め、
第２補正信号値を、伸長係数α0、第１の画素及び第２の画素における第２副画素・入
力信号、並びに、第２定数Ｋ2に基づき求め、
第３補正信号値を、伸長係数α0、第１の画素及び第２の画素における第３副画素・入
力信号、並びに、第３定数Ｋ3に基づき求め、
第１補正信号値、第２補正信号値、及び、第３補正信号値の内の最も大きい値を有する
補正信号値を第４補正信号値として求め、
第５補正信号値を、伸長係数α0、第１の画素における第１副画素・入力信号、第２副
画素・入力信号及び第３副画素・入力信号、並びに、第２の画素における第１副画素・入力信号、第２副画素・入力信号及び第３副画素・入力信号に基づき求める。
【０２２８】
そして、各画素群において、第４補正信号値及び第５補正信号値から、第４副画素・出力信号を求め、第４副画素へ出力する。
【０２２９】
具体的には、実施例５にあっては、各画素群において、
第１補正信号値ＣＳ1-(p,q)を、伸長係数α0、第１の画素Ｐｘ(p,q)-1における第１副画素・入力信号ｘ1-(p,q)-1、第２の画素Ｐｘ(p,q)-2における第１副画素・入力信号ｘ1-(p,q)-2、並びに、第１定数Ｋ1に基づき求め、
第２補正信号値ＣＳ2-(p,q)を、伸長係数α0、第１の画素Ｐｘ(p,q)-1における第２副画素・入力信号ｘ2-(p,q)-1、第２の画素Ｐｘ(p,q)-2における第２副画素・入力信号ｘ2-(p,q)-2、並びに、第２定数Ｋ2に基づき求め、
第３補正信号値ＣＳ3-(p,q)を、伸長係数α0、第１の画素Ｐｘ(p,q)-1における第３副画素・入力信号ｘ3-(p,q)-1、第２の画素Ｐｘ(p,q)-2における第３副画素・入力信号ｘ3-(p,q)-2、並びに、第３定数Ｋ3に基づき求める。
【０２３０】
より具体的には、実施例５にあっては、第１定数Ｋ1を第１副画素・入力信号が取り得る最大値、第２定数Ｋ2を第２副画素・入力信号が取り得る最大値、第３定数Ｋ3を第３副画素・入力信号が取り得る最大値とし、
第１補正信号値ＣＳ1-(p,q)を、伸長係数α0と第１の画素Ｐｘ(p,q)-1における第１副画素・入力信号ｘ1-(p,q)-1の積から第１定数Ｋ1を減じることで求めた値、及び、伸長係数α0と第２の画素Ｐｘ(p,q)-2における第１副画素・入力信号ｘ1-(p,q)-2の積から第１定数Ｋ1を減じることで求めた値の内の大きい方の値とし、
第２補正信号値ＣＳ2-(p,q)を、伸長係数α0と第１の画素Ｐｘ(p,q)-1における第２副画素・入力信号ｘ2-(p,q)-1の積から第２定数Ｋ2を減じることで求めた値、及び、伸長係数α0と第２の画素Ｐｘ(p,q)-2における第２副画素・入力信号ｘ2-(p,q)-2の積から第２定数Ｋ2を減じることで求めた値の内の大きい方の値とし、
第３補正信号値ＣＳ3-(p,q)を、伸長係数α0と第１の画素Ｐｘ(p,q)-1における第３副画素・入力信号ｘ3-(p,q)-1の積から第３定数Ｋ3を減じることで求めた値、及び、伸長係数α0と第２の画素Ｐｘ(p,q)-2における第３副画素・入力信号ｘ3-(p,q)-2の積から第３定数Ｋ3を減じることで求めた値の内の大きい方の値とする。
【０２３１】
ＣＳ1-(p,q)＝ｍａｘ（ｘ1-(p,q)-1・α0−Ｋ1，ｘ1-(p,q)-2・α0−Ｋ1）  （１−ａ3）
ＣＳ2-(p,q)＝ｍａｘ（ｘ2-(p,q)-1・α0−Ｋ2，ｘ2-(p,q)-2・α0−Ｋ2）  （１−ｂ3）
ＣＳ3-(p,q)＝ｍａｘ（ｘ3-(p,q)-1・α0−Ｋ3，ｘ3-(p,q)-2・α0−Ｋ3）  （１−ｃ3）
【０２３２】
そして、第１補正信号値ＣＳ1-(p,q)、第２補正信号値ＣＳ2-(p,q)、及び、第３補正信号値ＣＳ3-(p,q)の内の最も大きい値を有する補正信号値を第４補正信号値ＣＳ4-(p,q)として求める。更には、第４補正信号値ＣＳ4-(p,q)と第５補正信号値ＣＳ5-(p,q)の内の小さい値を有する補正信号値を第４副画素・出力信号Ｘ4-(p,q)として求める。
【０２３３】
ＳＧ1-(p,q)＝ｃ21（Ｍｉｎ(p,q)）・α0                           （２−１−１）
ＳＧ2-(p,q)＝ｃ21（Ｍｉｎ(p,q')）・α0                          （２−１−２）
ＣＳ5-(p,q)＝ｍｉｎ（ＳＧ1-(p,q)，ＳＧ2-(p,q)）                 （２−７）
ＣＳ4-(p,q)＝ｃ17・ｍａｘ（ＣＳ1-(p,q)，ＣＳ2-(p,q)，ＣＳ3-(p,q)）
（１−ｄ3）
Ｘ4-(p,q)  ＝ｍｉｎ（ＣＳ4-(p,q)，ＣＳ5-(p,q)）                 （１−ｅ3）
【０２３４】
また、第１の画素Ｐｘ(p,q)-1に関して、
第１副画素・出力信号Ｘ1-(p,q)-1を、少なくとも第１副画素・入力信号及び伸長係数α0に基づき求めるが、第１副画素・出力信号値Ｘ1-(p,q)-1を、第１副画素・入力信号値ｘ1-(p,q)-1、伸長係数α0、第４副画素・出力信号Ｘ4-(p,q)及び定数χ、即ち、
［ｘ1-(p,q)-1，α0，Ｘ4-(p,q)，χ］
に基づき求め、
第２副画素・出力信号Ｘ2-(p,q)-1を、少なくとも第２副画素・入力信号及び伸長係数α0に基づき求めるが、第２副画素・出力信号値Ｘ2-(p,q)-1を、第２副画素・入力信号値ｘ2-(p,q)-1、伸長係数α0、第４副画素・出力信号Ｘ4-(p,q)及び定数χ、即ち、
［ｘ2-(p,q)-1，α0，Ｘ4-(p,q)，χ］
に基づき求め、
第３副画素・出力信号Ｘ3-(p,q)-1を、少なくとも第３副画素・入力信号及び伸長係数α0に基づき求めるが、第３副画素・出力信号値Ｘ3-(p,q)-1を、第３副画素・入力信号値ｘ3-(p,q)-1、伸長係数α0、第４副画素・出力信号Ｘ4-(p,q)及び定数χ、即ち、
［ｘ3-(p,q)-1，α0，Ｘ4-(p,q)，χ］
に基づき求め、
第２の画素Ｐｘ(p,q)-2に関して、
第１副画素・出力信号Ｘ1-(p,q)-2を、少なくとも第１副画素・入力信号及び伸長係数α0に基づき求めるが、第１副画素・出力信号値Ｘ1-(p,q)-2を、第１副画素・入力信号値ｘ1-(p,q)-2、伸長係数α0、第４副画素・出力信号Ｘ4-(p,q)及び定数χ、即ち、
［ｘ1-(p,q)-2，α0，Ｘ4-(p,q)，χ］
に基づき求め、
第２副画素・出力信号Ｘ2-(p,q)-2を、少なくとも第２副画素・入力信号及び伸長係数α0に基づき求めるが、第２副画素・出力信号値Ｘ2-(p,q)-2を、第２副画素・入力信号値ｘ2-(p,q)-2、伸長係数α0、第４副画素・出力信号Ｘ4-(p,q)及び定数χ、即ち、
［ｘ2-(p,q)-2，α0，Ｘ4-(p,q)，χ］
に基づき求め、
第３副画素・出力信号Ｘ3-(p,q)-2を、少なくとも第３副画素・入力信号及び伸長係数α0に基づき求めるが、第３副画素・出力信号値Ｘ3-(p,q)-2を、第３副画素・入力信号値ｘ3-(p,q)-2、伸長係数α0、第４副画素・出力信号Ｘ4-(p,q)及び定数χ、即ち、
［ｘ3-(p,q)-2，α0，Ｘ4-(p,q)，χ］
に基づき求める。
【０２３５】
信号処理部２０において、出力信号値Ｘ1-(p,q)-1，Ｘ2-(p,q)-1，Ｘ3-(p,q)-1，Ｘ1-(p,q)-2，Ｘ2-(p,q)-2，Ｘ3-(p,q)-2は、上述したとおり、伸長係数α0及び定数χに基づき求めることができ、より具体的には、以下の式から求めることができる。
Ｘ1-(p,q)-1＝α0・ｘ1-(p,q)-1−χ・Ｘ4-(p,q)    （２−Ａ）
Ｘ2-(p,q)-1＝α0・ｘ2-(p,q)-1−χ・Ｘ4-(p,q)    （２−Ｂ）
Ｘ3-(p,q)-1＝α0・ｘ3-(p,q)-1−χ・Ｘ4-(p,q)    （２−Ｃ）
Ｘ1-(p,q)-2＝α0・ｘ1-(p,q)-2−χ・Ｘ4-(p,q)    （２−Ｄ）
Ｘ2-(p,q)-2＝α0・ｘ2-(p,q)-2−χ・Ｘ4-(p,q)    （２−Ｅ）
Ｘ3-(p,q)-2＝α0・ｘ3-(p,q)-2−χ・Ｘ4-(p,q)    （２−Ｆ）
【０２３６】
以下、第（ｐ，ｑ）番目の画素群ＰＧ(p,q)における出力信号値Ｘ1-(p,q)-1，Ｘ2-(p,q)-1，Ｘ3-(p,q)-1，Ｘ1-(p,q)-2，Ｘ2-(p,q)-2，Ｘ3-(p,q)-2，Ｘ4-(p,q)の求め方（伸長処理）を説明する。尚、以下の処理は、第１の画素及び第２の画素の全体で、即ち、各画素群において、（第１副画素Ｒ＋第４副画素Ｗ）によって表示される第１原色の輝度、（第２副画素Ｇ＋第４副画素Ｗ）によって表示される第２原色の輝度、（第３副画素Ｂ＋第４副画素Ｗ）によって表示される第３原色の輝度の比を保つように行われる。しかも、色調を保持（維持）するように行われる。更には、階調−輝度特性（ガンマ特性，γ特性）を保持（維持）するように行われる。
【０２３７】
［工程−５００］
先ず、実施例１の［工程−１００］〜［工程−１１０］と同様の工程を実行する。
【０２３８】
［工程−５１０］
次いで、信号処理部２０において、第（ｐ，ｑ）番目の画素Ｐｘ(p,q)への第４副画素・出力信号値Ｘ4-(p,q)を、上述の式（１−ａ3）、（１−ｂ3）、（１−ｃ3）、（２−１−１）、（２−１−２）、（２−７）、（１−ｄ3）、（１−ｆ3）に基づき求める。そして、更に、式（２−Ａ）、（２−Ｂ）、（２−Ｃ）、（２−Ｄ）、（２−Ｅ）、（２−Ｆ）に基づき、第（ｐ，ｑ）番目の画素群ＰＧ(p,q)への第１副画素・出力信号値Ｘ1-(p,q)-1，Ｘ1-(p,q)-2、第２副画素・出力信号値Ｘ2-(p,q)-1，Ｘ2-(p,q)-2、第３副画素・出力信号値Ｘ3-(p,q)-1，Ｘ3-(p,q)-2を求める。
【０２３９】
ここで、重要な点は、各式の値がα0によって伸長されていることにある。このように、各式の値がα0によって伸長されることで、白色表示副画素（第４副画素Ｗ）の輝度が増加するだけでなく、式（２−Ａ）〜式（２−Ｆ）に示すとおり、赤色表示副画素、緑色表示副画素及び青色表示副画素（第１副画素Ｒ、第２副画素Ｇ及び第３副画素Ｂ）の輝度も増加する。即ち、副画素・出力信号値の値が伸長されていない場合と比較して、副画素・出力信号値の値がα0によって伸長されることで、画像全体として輝度はα0倍となる。従って、例えば、静止画等の画像表示を高輝度にて行うことができ、最適である。あるいは又、伸長されていない状態の画像の輝度と同じ画像の輝度とするためには、面状光源装置５０の輝度を、伸長係数α0に基づき減少させればよい。具体的には、面状光源装置５０の輝度を、（１／α0）倍とすればよい。これによって、面状光源装置の消費電力の低減を図ることができる。
【０２４０】
実施例５の画像表示装置の駆動方法、画像表示装置組立体の駆動方法における伸長処理を、図１９に基づき説明する。ここで、図１９は、入力信号値及び出力信号値を模式的に示す図である。図１９において、第１副画素Ｒ、第２副画素Ｇ及び第３副画素Ｂの組の入力信号値を［１］に示す。また、伸長処理を行っている状態（入力信号値と伸長係数α0の積を求める操作）を［２］に示す。更には、伸長処理を行った後の状態（出力信号値Ｘ1-(p,q)-1，Ｘ2-(p,q)-1，Ｘ3-(p,q)-1，Ｘ4-(p,q)が得られた状態）を［３］に示す。図１９に示す例にあっては、第２副画素Ｇにおいて、実現できる最大輝度を得ている。
【０２４１】
実施例５の画像表示装置の駆動方法あるいは画像表示装置組立体の駆動方法にあっては、信号処理部２０において、各画素群ＰＧの第１の画素Ｐｘ1並びに第２の画素Ｐｘ2への第１副画素・入力信号、第２副画素・入力信号及び第３副画素・入力信号から求められた第４副画素・制御第１信号値ＳＧ1-(p,q)並びに第４副画素・制御第２信号値ＳＧ2-(p,q)に基づき第４副画素・出力信号が求められ、出力される。即ち、第４副画素・出力信号が、隣接する第１の画素Ｐｘ1並びに第２の画素Ｐｘ2への入力信号に基づき求められるので、第４副画素Ｗへの出力信号の最適化が図られている。しかも、少なくとも第１の画素Ｐｘ1及び第２の画素Ｐｘ2によって構成された画素群ＰＧに対して１つの第４副画素Ｗが配置されているので、副画素における開口領域の面積の減少を抑制することができる。その結果、輝度の増加を確実に図ることができるし、表示品位の向上を図ることができる。
【０２４２】
例えば、第１の方向に沿った画素の長さをＬ1とすると、特許第３１６７０２６号公報や特許第３８０５１５０号公報に開示された技術にあっては、１画素を４つの副画素に分割する必要があるので、第１の方向に沿った１副画素の長さは（Ｌ1／４＝０．２５Ｌ1）となる。一方、実施例５にあっては、第１の方向に沿った１副画素の長さは（２Ｌ1／７＝０．２８６Ｌ1）となる。従って、第１の方向に沿った１副画素の長さは、特許第３１６７０２６号公報や特許第３８０５１５０号公報に開示された技術と比較して、１４％増加する。
【０２４３】
尚、実施例５にあっては、信号値Ｘ1-(p,q)-1，Ｘ2-(p,q)-1，Ｘ3-(p,q)-1，Ｘ1-(p,q)-2，Ｘ2-(p,q)-2，Ｘ3-(p,q)-2を、それぞれ、
［ｘ1-(p,q)-1，ｘ1-(p,q)-2，α0，ＳＧ1-(p,q)，χ］
［ｘ2-(p,q)-1，ｘ2-(p,q)-2，α0，ＳＧ1-(p,q)，χ］
［ｘ3-(p,q)-1，ｘ3-(p,q)-2，α0，ＳＧ1-(p,q)，χ］
［ｘ1-(p,q)-1，ｘ1-(p,q)-2，α0，ＳＧ2-(p,q)，χ］
［ｘ2-(p,q)-1，ｘ2-(p,q)-2，α0，ＳＧ2-(p,q)，χ］
［ｘ3-(p,q)-1，ｘ3-(p,q)-2，α0，ＳＧ2-(p,q)，χ］
に基づき求めることもできる。
【実施例６】
【０２４４】
実施例６は、実施例５の変形である。実施例６にあっては、第１の画素、第２の画素、及び、第４副画素Ｗの配列状態を変えている。即ち、実施例６にあっては、図１６に画素の配置を模式的に示すように、第１の方向を行方向、第２の方向を列方向としたとき、第ｑ’番目の列（但し、１≦ｑ’≦Ｑ−１）における第１の画素Ｐｘ1と第（ｑ’＋１）番目の列における第２の画素Ｐｘ2とは隣接しており、第ｑ’番目の列における第４副画素Ｗと第（ｑ’＋１）番目の列における第４副画素Ｗとは隣接していない構成とすることができる。
【０２４５】
この点を除き、実施例６の画像表示パネル、画像表示装置の駆動方法、並びに、画像表示装置組立体及びその駆動方法は、実施例５の画像表示パネル、画像表示装置の駆動方法、並びに、画像表示装置組立体及びその駆動方法と同様とすることができるので、詳細な説明は省略する。
【実施例７】
【０２４６】
実施例７も、実施例５の変形である。実施例７にあっても、第１の画素、第２の画素、及び、第４副画素Ｗの配列状態を変えている。即ち、実施例７にあっては、図１７に画素の配置を模式的に示すように、第１の方向を行方向、第２の方向を列方向としたとき、第ｑ’番目の列（但し、１≦ｑ’≦Ｑ−１）における第１の画素Ｐｘ1と第（ｑ’＋１）番目の列における第１の画素Ｐｘ1とは隣接しており、第ｑ’番目の列における第４副画素Ｗと第（ｑ’＋１）番目の列における第４副画素Ｗとは隣接している。図１５及び図１７に示した例にあっては、第１副画素Ｒ、第２副画素Ｇ、第３副画素Ｂ及び第４副画素Ｗは、ストライプ配列に類似した配列にて配列されている。
【０２４７】
この点を除き、実施例７の画像表示パネル、画像表示装置の駆動方法、並びに、画像表示装置組立体及びその駆動方法は、実施例５の画像表示パネル、画像表示装置の駆動方法、並びに、画像表示装置組立体及びその駆動方法と同様とすることができるので、詳細な説明は省略する。
【実施例８】
【０２４８】
実施例８は、本発明の第４の態様の駆動方法、並びに、第４の態様に係る画像表示装置組立体の駆動方法に関する。実施例８の画像表示パネルにおける各画素、画素群の配置を模式的に図２０及び図２１に示す。
【０２４９】
実施例８にあっては、画素群ＰＧが、第１の方向にＰ個、第２の方向にＱ個の合計、Ｐ×Ｑ個、２次元マトリクス状に配列されて成る画像表示パネルを備えている。そして、各画素群ＰＧは、第１の方向に沿って、第１の画素及び第２の画素から構成されている。また、第１の画素Ｐｘ1は、第１原色（例えば、赤色）を表示する第１副画素Ｒ、第２原色（例えば、緑色）を表示する第２副画素Ｇ、及び、第３原色（例えば、青色）を表示する第３副画素Ｂから成り、第２の画素Ｐｘ2は、第１原色（例えば、赤色）を表示する第１副画素Ｒ、第２原色（例えば、緑色）を表示する第２副画素Ｇ、及び、第４の色（例えば、白色）を表示する第４副画素Ｗから成る。より具体的には、第１の画素Ｐｘ1は、第１の方向に沿って、第１原色を表示する第１副画素Ｒ、第２原色を表示する第２副画素Ｇ、及び、第３原色を表示する第３副画素Ｂが順次配列されて成り、第２の画素Ｐｘ2は、第１の方向に沿って、第１原色を表示する第１副画素Ｒ、第２原色を表示する第２副画素Ｇ、及び、第４の色を表示する第４副画素Ｗが順次配列されて成る。第１の画素Ｐｘ1を構成する第３副画素Ｂと第２の画素Ｐｘ2を構成する第１副画素Ｒとが隣接している。また、第２の画素Ｐｘ2を構成する第４副画素Ｗと、この画素群に隣接した画素群における第１の画素Ｐｘ1を構成する第１副画素Ｒとが隣接している。尚、副画素の形状は長方形であり、この長方形の長辺が第２の方向と平行となり、短辺が第１の方向と平行となるように副画素を配置する。
【０２５０】
尚、実施例８においては、第３副画素Ｂを青色を表示する副画素とした。これは、青色の視感度が緑色の視感度と比較して約１／６であり、画素群において青色を表示する副画素の数を半分としても大きな問題が生じないが故である。後述する実施例９、実施例１０においても同様である。
【０２５１】
実施例８において、信号処理部２０には、
第１の画素Ｐｘ(p,q)-1に関して、
信号値がｘ1-(p,q)-1の第１副画素・入力信号、
信号値がｘ2-(p,q)-1の第２副画素・入力信号、及び、
信号値がｘ3-(p,q)-1の第３副画素・入力信号、
が入力され、
第２の画素Ｐｘ(p,q)-2に関して、
信号値がｘ1-(p,q)-2の第１副画素・入力信号、
信号値がｘ2-(p,q)-2の第２副画素・入力信号、及び、
信号値がｘ3-(p,q)-2の第３副画素・入力信号、
が入力される。
【０２５２】
また、信号処理部２０は、
第１の画素Ｐｘ(p,q)-1に関して、
信号値がＸ1-(p,q)-1であり、第１副画素Ｒの表示階調を決定するための第１副画素・出力信号、
信号値がＸ2-(p,q)-1であり、第２副画素Ｇの表示階調を決定するための第２副画素・出力信号、及び、
信号値がＸ3-(p,q)-1であり、第３副画素Ｂの表示階調を決定するための第３副画素・出力信号、
を出力し、
第２の画素Ｐｘ(p,q)-2に関して、
信号値がＸ1-(p,q)-2であり、第１副画素Ｒの表示階調を決定するための第１副画素・出力信号、
信号値がＸ2-(p,q)-2であり、第２副画素Ｇの表示階調を決定するための第２副画素・出力信号、及び、
第４副画素Ｗに関して、信号値がＸ4-(p,q)であり、第４副画素Ｗの表示階調を決定するための第４副画素・出力信号を出力する。
【０２５３】
また、第（ｐ，ｑ）番目の画素に隣接した隣接画素に関して、信号処理部には、
信号値がｘ1-(p',q)の第１副画素・入力信号、
信号値がｘ2-(p',q)の第２副画素・入力信号、及び、
信号値がｘ3-(p',q)の第３副画素・入力信号、
が入力される。
【０２５４】
ここで、隣接画素は、第１の方向に沿って第（ｐ，ｑ）番目の第２の画素に隣接しているが、実施例８にあっては、具体的には、隣接画素は第（ｐ，ｑ）番目の第１の画素である。従って、第３副画素・制御信号値（信号値ＳＧ3-(p,q)）は、第１副画素・入力信号（信号値ｘ1-(p,q)-1）、第２副画素・入力信号（信号値ｘ2-(p,q)-1）及び第３副画素・入力信号（信号値ｘ3-(p,q)-1）に基づき求められ、実質的に、第４副画素・制御第１信号値ＳＧ1-(p,q)である。
【０２５５】
そして、第１の画素Ｐｘ(p,q)-1に関して、
第１副画素・出力信号Ｘ1-(p,q)-1を、少なくとも第１副画素・入力信号ｘ1-(p,q)-1及び伸長係数α0に基づき求め、第１副画素Ｒへ出力し、
第２副画素・出力信号Ｘ2-(p,q)-1を、少なくとも第２副画素・入力信号ｘ2-(p,q)-1及び伸長係数α0に基づき求め、第２副画素Ｇへ出力し、
第１の方向に沿って数えたときの第（ｐ，ｑ）番目［但し、ｐ＝１，２・・・Ｐであり、ｑ＝１，２・・・，Ｑである］の第１の画素への第３副画素・出力信号Ｘ3-(p,q)-1を、少なくとも第（ｐ，ｑ）番目の第１の画素への第３副画素・入力信号ｘ3-(p,q)-1、並びに、第（ｐ，ｑ）番目の第２の画素への第３副画素・入力信号ｘ2-(p,q)-3に基づき求め、第３副画素Ｂへ出力する。
【０２５６】
また、第２の画素Ｐｘ(p,q)-2に関して、
第１副画素・出力信号Ｘ1-(p,q)-2を、少なくとも第１副画素・入力信号ｘ1-(p,q)-2及び伸長係数α0に基づき求め、第１副画素Ｒへ出力し、
第２副画素・出力信号Ｘ2-(p,q)-2を、少なくとも第２副画素・入力信号ｘ2-(p,q)-2及び伸長係数α0に基づき求め、第２副画素Ｇへ出力する。
【０２５７】
そして、信号処理部２０において、実施例１にて説明したと実質的に同様に、
（ａ）第４の色を加えることで拡大されたＨＳＶ色空間における彩度Ｓを変数とした明度の最大値Ｖmax（Ｓ）を求め、
（ｂ）複数の第１の画素及び第２の画素における副画素・入力信号値に基づき、この複数の第１の画素及び第２の画素における彩度Ｓ及び明度Ｖ（Ｓ）を求め、
（ｃ）複数の第１の画素及び第２の画素において求められたＶmax（Ｓ）／Ｖ（Ｓ）の値の内、少なくとも１つの値に基づいて、伸長係数α0を求める。
【０２５８】
更に、信号処理部２０にあっては、第（ｐ，ｑ）番目の画素群において、
第１補正信号値ＣＳ1-(p,q)を、伸長係数α0、第２の画素における第１副画素・入力信号ｘ1-(p,q)-2、第１の方向に沿ってこの第２の画素に隣接する隣接画素における第１副画素・入力信号ｘ1-(p',q)、並びに、第１定数Ｋ1に基づき求め、
第２補正信号値ＣＳ2-(p,q)を、伸長係数α0、第２の画素における第２副画素・入力信号ｘ2-(p,q)-2、隣接画素における第２副画素・入力信号ｘ2-(p',q)、並びに、第２定数Ｋ2に基づき求め、
第３補正信号値ＣＳ3-(p,q)を、伸長係数α0、第２の画素における第３副画素・入力信号ｘ3-(p,q)-2、隣接画素における第３副画素・入力信号ｘ3-(p',q)、並びに、第３定数Ｋ3に基づき求める。
【０２５９】
より具体的には、実施例８、あるいは、後述する実施例９〜実施例１０にあっては、第１定数Ｋ1を第１副画素・入力信号が取り得る最大値、第２定数Ｋ2を第２副画素・入力信号が取り得る最大値、第３定数Ｋ3を第３副画素・入力信号が取り得る最大値の（１／２）とする。
【０２６０】
そして、実施例８にあっては、より具体的には、
第１補正信号値ＣＳ1-(p,q)を、伸長係数α0と隣接画素における第１副画素・入力信号ｘ1-(p',q)の積から第１定数Ｋ1を減じることで求めた値、及び、伸長係数α0と第２の画素における第１副画素・入力信号ｘ1-(p,q)-2の積から第１定数Ｋ1を減じることで求めた値の内の大きい方の値とし、
第２補正信号値ＣＳ2-(p,q)を、伸長係数α0と隣接画素における第２副画素・入力信号ｘ2-(p',q)の積から第２定数Ｋ2を減じることで求めた値、及び、伸長係数α0と第２の画素における第２副画素・入力信号ｘ2-(p,q)-2の積から第２定数Ｋ2を減じることで求めた値の内の大きい方の値とし、
第３補正信号値ＣＳ3-(p,q)を、伸長係数α0と隣接画素における第３副画素・入力信号ｘ3-(p',q)の積から第３定数Ｋ3を減じることで求めた値、及び、伸長係数α0と第２の画素における第３副画素・入力信号ｘ3-(p,q)-2の積から第３定数Ｋ3を減じることで求めた値の内の大きい方の値とする。
【０２６１】
ＣＳ1-(p,q)＝ｍａｘ（ｘ1-(p,q)-2・α0−Ｋ1，ｘ1-(p',q)・α0−Ｋ1）  （１−ａ4）
ＣＳ2-(p,q)＝ｍａｘ（ｘ2-(p,q)-2・α0−Ｋ2，ｘ2-(p',q)・α0−Ｋ2）  （１−ｂ4）
ＣＳ3-(p,q)＝ｍａｘ（ｘ3-(p,q)-2・α0−Ｋ3，ｘ3-(p',q)・α0−Ｋ3）  （１−ｃ4）
【０２６２】
そして、第（ｐ，ｑ）番目の画素群において、第１補正信号値ＣＳ1-(p,q)、第２補正信号値ＣＳ2-(p,q)、及び、第３補正信号値ＣＳ3-(p,q)の内の最も大きい値を有する補正信号値を第４補正信号値ＣＳ4-(p,q)として求め、第５補正信号値を、伸長係数α0、第２の画素における第１副画素・入力信号ｘ1-(p,q)-2、第２副画素・入力信号ｘ2-(p,q)-2及び第３副画素・入力信号ｘ2-(p,q)-3、並びに、この隣接画素における第１副画素・入力信号ｘ1-(p',q)、第２副画素・入力信号ｘ2-(p',q)及び第３副画素・入力信号ｘ3-(p',q)に基づき求め、更には、第（ｐ，ｑ）番目の画素群において、第４補正信号値ＣＳ4-(p,q)及び第５補正信号値ＣＳ5-(p,q)から、第４副画素・出力信号Ｘ4-(p,q)を求め、第４副画素へ出力する。
【０２６３】
ＳＧ3-(p,q)＝ｃ21（Ｍｉｎ(p',q)）・α0                          （２−１−１）
ＳＧ2-(p,q)＝ｃ21（Ｍｉｎ(p,q)-2）・α0                         （２−１−２）
ＣＳ5-(p,q)＝ｍｉｎ（ＳＧ2-(p,q)，ＳＧ3-(p,q)）                 （２−８）
ＣＳ4-(p,q)＝ｃ17・ｍａｘ（ＣＳ1-(p,q)，ＣＳ2-(p,q)，ＣＳ3-(p,q)）
（１−ｄ4）
Ｘ4-(p,q)  ＝ｍｉｎ（ＣＳ4-(p,q)，ＣＳ5-(p,q)）                 （１−ｅ4）
【０２６４】
更には、信号処理部２０において、第１の方向に沿って数えたときの第（ｐ，ｑ）番目［但し、ｐ＝１，２・・・Ｐであり、ｑ＝１，２・・・，Ｑである］の第１の画素への第３副画素・出力信号（信号値Ｘ3-(p,q)-1）を、少なくとも、第（ｐ，ｑ）番目の第１の画素への第３副画素・入力信号（信号値ｘ3-(p,q)-1）、並びに、第（ｐ，ｑ）番目の第２の画素への第３副画素・入力信号（信号値ｘ3-(p,q)-2）に基づき求め、第（ｐ，ｑ）番目の第１の画素の第３副画素Ｂへ出力する。
【０２６５】
尚、第１の画素及び第２の画素の配列に関して、画素群ＰＧは、第１の方向のＰ個、第２の方向にＱ個の合計Ｐ×Ｑ個、２次元マトリクス状に配列されており、図２０に示すように、第１の画素Ｐｘ1と第２の画素Ｐｘ2が第２の方向に沿って隣接して配置されている構成を採用してもよいし、図２１に示すように、第１の画素Ｐｘ1と第１の画素Ｐｘ1が第２の方向に沿って隣接して配置され、且つ、第２の画素Ｐｘ2と第２の画素Ｐｘ2が第２の方向に沿って隣接して配置されている構成を採用してもよい。
【０２６６】
また、第２の画素Ｐｘ(p,q)-2に関して、
第１副画素・出力信号を、少なくとも第１副画素・入力信号及び伸長係数α0に基づき求めるが、第１副画素・出力信号値Ｘ1-(p,q)-2を、第１副画素・入力信号値ｘ1-(p,q)-2、伸長係数α0、第４副画素・出力信号Ｘ4-(p,q)及び定数χ、即ち、
［ｘ1-(p,q)-2，α0，Ｘ4-(p,q)，χ］
に基づき求め、
第２副画素・出力信号を、少なくとも第２副画素・入力信号及び伸長係数α0に基づき求めるが、第２副画素・出力信号値Ｘ2-(p,q)-2を、第２副画素・入力信号値ｘ2-(p,q)-2、伸長係数α0、第４副画素・出力信号Ｘ4-(p,q)及び定数χ、即ち、
［ｘ2-(p,q)-2，α0，第４副画素・出力信号Ｘ4-(p,q)，χ］
に基づき求める。
【０２６７】
更には、第１の画素Ｐｘ(p,q)-1に関して、
第１副画素・出力信号を、少なくとも第１副画素・入力信号及び伸長係数α0に基づき求めるが、第１副画素・出力信号値Ｘ1-(p,q)-1を、第１副画素・入力信号値ｘ1-(p,q)-1、伸長係数α0、第４副画素・出力信号Ｘ4-(p,q)及び定数χ、即ち、
［ｘ1-(p,q)-1，α0，Ｘ4-(p,q)，χ］
に基づき求め、
第２副画素・出力信号を、少なくとも第２副画素・入力信号及び伸長係数α0に基づき求めるが、第２副画素・出力信号値Ｘ2-(p,q)-1を、第２副画素・入力信号値ｘ2-(p,q)-1、伸長係数α0、第４副画素・出力信号Ｘ4-(p,q)及び定数χ、即ち、
［ｘ2-(p,q)-1，α0，Ｘ4-(p,q)，χ］
に基づき求め、
第３副画素・出力信号を、少なくとも第３副画素・入力信号及び伸長係数α0に基づき求めるが、第３副画素・出力信号値Ｘ3-(p,q)-1を、第３副画素・入力信号値ｘ3-(p,q)-1，ｘ3-(p,q)-2、伸長係数α0、第４副画素・出力信号Ｘ4-(p,q)及び定数χ、即ち、
［ｘ3-(p,q)-1，ｘ3-(p,q)-2，α0，Ｘ4-(p,q)，χ］
に基づき求める。
【０２６８】
具体的には、信号処理部２０において、出力信号値Ｘ1-(p,q)-2，Ｘ2-(p,q)-2，Ｘ1-(p,q)-1，Ｘ2-(p,q)-1，Ｘ3-(p,q)-1は、伸長係数α0及び定数χに基づき求めることができ、より具体的には、式（３−Ａ）〜式（３−Ｄ）及び式（３−ａ’）、式（３−ｄ）、式（３−ｅ）から求めることができる。
【０２６９】
Ｘ1-(p,q)-2＝α0・ｘ1-(p,q)-2−χ・Ｘ4-(p,q)        （３−Ａ）
Ｘ2-(p,q)-2＝α0・ｘ2-(p,q)-2−χ・Ｘ4-(p,q)        （３−Ｂ）
Ｘ1-(p,q)-1＝α0・ｘ1-(p,q)-1−χ・Ｘ4-(p,q)        （３−Ｃ）
Ｘ2-(p,q)-1＝α0・ｘ2-(p,q)-1−χ・Ｘ4-(p,q)        （３−Ｄ）
Ｘ3-(p,q)-1＝（Ｘ’3-(p,q)-1＋Ｘ’3-(p,q)-2）／２   （３−ａ’）
但し、
Ｘ’3-(p,q)-1＝α0・ｘ3-(p,q)-1−χ・Ｘ4-(p,q)      （３−ｄ）
Ｘ’3-(p,q)-2＝α0・ｘ3-(p,q)-2−χ・Ｘ4-(p,q)      （３−ｅ）
【０２７０】
以下、第（ｐ，ｑ）番目の画素群ＰＧ(p,q)における出力信号値Ｘ1-(p,q)-2，Ｘ2-(p,q)-2，Ｘ4-(p,q)，Ｘ1-(p,q)-1，Ｘ2-(p,q)-1，Ｘ3-(p,q)-1の求め方（伸長処理）を説明する。尚、以下の処理は、実施例５と同様に、第１の画素及び第２の画素の全体で、即ち、各画素群において、輝度の比を出来る限り保つように行われる。しかも、色調を保持（維持）するように行われる。更には、階調−輝度特性（ガンマ特性，γ特性）を保持（維持）するように行われる。
【０２７１】
［工程−８００］
先ず、実施例１の［工程−１００］〜［工程−１１０］と同様の工程を実行する。
【０２７２】
［工程−８１０］
次いで、信号処理部２０において、第（ｐ，ｑ）番目の画素群ＰＧ(p,q)への第４副画素・出力信号値Ｘ4-(p,q)を、上述の式（１−ａ4）、（１−ｂ4）、（１−ｃ4）、（２−１−１）、（２−１−２）、（２−８）、（１−ｄ4）、（１−ｆ4）に基づき求める。そして、更に、式（３−Ａ）、（３−Ｂ）、（３−Ｃ）、（３−Ｄ）、（３−ａ’）、（３−ｄ）、（３−ｅ）に基づき、第（ｐ，ｑ）番目の画素群ＰＧ(p,q)への第１副画素・出力信号値Ｘ1-(p,q)-1，Ｘ1-(p,q)-2、第２副画素・出力信号値Ｘ2-(p,q)-1，Ｘ2-(p,q)-2、第３副画素・出力信号値Ｘ3-(p,q)-1を求める。
【０２７３】
尚、各画素群において、第１の画素及び第２の画素における出力信号値の比
Ｘ1-(p,q)-1：Ｘ2-(p,q)-1：Ｘ3-(p,q)-1
Ｘ1-(p,q)-2：Ｘ2-(p,q)-2
は、入力信号値の比
ｘ1-(p,q)-1：ｘ2-(p,q)-1：ｘ3-(p,q)-1
ｘ1-(p,q)-2：ｘ2-(p,q)-2
と若干異なっているので、各画素を単独で眺めた場合、入力信号に対して各画素の色調に若干の差異が生じるが、画素群として眺めた場合、各画素群の色調に何らの問題は生じない。以下の説明においても同様である。
【０２７４】
実施例８においても、重要な点は、各式の値がα0によって伸長されていることにある。このように、各式の値がα0によって伸長されることで、白色表示副画素（第４副画素Ｗ）の輝度が増加するだけでなく、各式（３−Ａ）〜（３−Ｄ）、（３−ａ’）、（３−ｄ）、（３−ｅ）に示すとおり、赤色表示副画素、緑色表示副画素及び青色表示副画素（第１副画素Ｒ、第２副画素Ｇ及び第３副画素Ｂ）の輝度も増加する。即ち、副画素・出力信号値の値が伸長されていない場合と比較して、副画素・出力信号値の値がα0によって伸長されることで、画像全体として輝度はα0倍となる。従って、例えば、静止画等の画像表示を高輝度にて行うことができ、最適である。あるいは又、伸長されていない状態の画像の輝度と同じ画像の輝度とするためには、面状光源装置５０の輝度を、伸長係数α0に基づき減少させればよい。具体的には、面状光源装置５０の輝度を、（１／α0）倍とすればよい。これによって、面状光源装置の消費電力の低減を図ることができる。後述する実施例９、実施例１０においても同様である。
【０２７５】
また、実施例８の画像表示装置の駆動方法あるいは画像表示装置組立体の駆動方法にあっては、信号処理部２０において、各画素群ＰＧの第１の画素Ｐｘ1並びに第２の画素Ｐｘ2への第１副画素・入力信号、第２副画素・入力信号及び第３副画素・入力信号から求められた第４副画素・制御第１信号値ＳＧ1-(p,q)並びに第３副画素・制御信号値ＳＧ3-(p,q)に基づき第４副画素・出力信号が求められ、出力される。即ち、第４副画素・出力信号が、隣接する第１の画素Ｐｘ1並びに第２の画素Ｐｘ2への入力信号に基づき求められるので、第４副画素Ｗへの出力信号の最適化が図られている。しかも、少なくとも第１の画素Ｐｘ1及び第２の画素Ｐｘ2によって構成された画素群ＰＧに対して１つの第３副画素Ｂ及び１つの第４副画素Ｗが配置されているので、副画素における開口領域の面積の減少をより一層抑制することができる。その結果、輝度の増加を確実に図ることができる。また、表示品位の向上を図ることができる。
【実施例９】
【０２７６】
実施例９は、実施例８の変形である。実施例８にあっては、隣接画素を、第１の方向に沿って第（ｐ，ｑ）番目の第２の画素に隣接しているとした。一方、実施例９にあっては、隣接画素を、第（ｐ＋１，ｑ）番目の第１の画素とする。実施例９における画素の配置は、実施例８と同様であり、模式的に図２０あるいは図２１に示したと同じである。
【０２７７】
尚、図２０に示した例においては、第２の方向に沿って、第１の画素と第２の画素とが隣接して配置されている。この場合、第２の方向に沿って、第１の画素を構成する第１副画素Ｒと第２の画素を構成する第１副画素Ｒとは隣接して配置されていてもよいし、隣接して配置されていなくともよい。同様に、第２の方向に沿って、第１の画素を構成する第２副画素Ｇと第２の画素を構成する第２副画素Ｇとは隣接して配置されていてもよいし、隣接して配置されていなくともよい。同様に、第２の方向に沿って、第１の画素を構成する第３副画素Ｂと第２の画素を構成する第４副画素Ｗとは隣接して配置されていてもよいし、隣接して配置されていなくともよい。一方、図２１に示した例においては、第２の方向に沿って、第１の画素と第１の画素とが隣接して配置されており、第２の画素と第２の画素とが隣接して配置されている。この場合にあっても、第２の方向に沿って、第１の画素を構成する第１副画素Ｒと第２の画素を構成する第１副画素Ｒとは隣接して配置されていてもよいし、隣接して配置されていなくともよい。同様に、第２の方向に沿って、第１の画素を構成する第２副画素Ｇと第２の画素を構成する第２副画素Ｇとは隣接して配置されていてもよいし、隣接して配置されていなくともよい。同様に、第２の方向に沿って、第１の画素を構成する第３副画素Ｂと第２の画素を構成する第４副画素Ｗとは隣接して配置されていてもよいし、隣接して配置されていなくともよい。実施例８あるいは後述する実施例１０においても同様とすることができる。
【０２７８】
実施例９にあっては、実施例８と同様に、少なくとも第（ｐ，ｑ）番目の第１の画素Ｐｘ(p,q)-1への第３副画素・入力信号値ｘ3-(p,q)-1及び第（ｐ，ｑ）番目の第２の画素Ｐｘ(p,q)-2への第３副画素・入力信号値ｘ3-(p,q)-2に基づき、第（ｐ，ｑ）番目の第１の画素Ｐｘ(p,q)-1への第３副画素・出力信号値Ｘ3-(p,q)-1を求め、第３副画素Ｂへ出力する。
【０２７９】
一方、実施例８と異なり、第（ｐ，ｑ）番目の第２の画素Ｐｘ(p,q)-2への第１副画素・入力信号値ｘ1-(p,q)-2、第２副画素・入力信号値ｘ2-(p,q)-2及び第３副画素・入力信号値ｘ3-(p,q)-2から得られた第４副画素・制御第２信号値ＳＧ2-(p,q)、並びに、第（ｐ＋１，ｑ）番目の第１の画素Ｐｘ(p+1,q)-1への第１副画素・入力信号値ｘ1-(p',q)、第２副画素・入力信号値ｘ2-(p',q)及び第３副画素・入力信号値ｘ3-(p',q)から得られた第３副画素・制御信号値ＳＧ3-(p,q)に基づき、第（ｐ，ｑ）番目の第２の画素Ｐｘ2への第４副画素・出力信号値Ｘ4-(p,q)を求め、第４副画素Ｗへ出力する。
【０２８０】
このように、第（ｐ，ｑ）番目の第２の画素への第４副画素・出力信号を、第（ｐ，ｑ）番目の第１の画素への第３副画素・入力信号及び第（ｐ，ｑ）番目の第２の画素への第３副画素・入力信号に基づき求めるのではなく、少なくとも、第（ｐ，ｑ）番目の第２の画素への第３副画素・入力信号及び第（ｐ＋１，ｑ）番目の第１の画素への第３副画素・入力信号に基づき求める。即ち、或る画素群を構成する第２の画素への第４副画素・出力信号が、この或る画素群を構成する第２の画素への入力信号だけでなく、この第２の画素と隣接する画素群を構成する第１の画素への入力信号にも基づき求められるので、第４副画素への出力信号のより一層の最適化が図られている。
【０２８１】
以下、第（ｐ，ｑ）番目の画素群ＰＧ(p,q)における出力信号値Ｘ1-(p,q)-2，Ｘ2-(p,q)-2，Ｘ4-(p,q)，Ｘ1-(p,q)-1，Ｘ2-(p,q)-1，Ｘ3-(p,q)-1の求め方（伸長処理）を説明する。尚、以下の処理では、階調−輝度特性（ガンマ特性，γ特性）を保持（維持）するように行われる。また、以下の処理では、第１の画素及び第２の画素の全体で、即ち、各画素群において、輝度の比を出来る限り保つように行われ、しかも、色調を出来る限り保持（維持）するように行われる。
【０２８２】
［工程−９００］
先ず、実施例１の［工程−１００］〜［工程−１１０］と同様の工程を実行する。
【０２８３】
［工程−９１０］
次いで、実施例８と同様にして、信号処理部２０において、第（ｐ，ｑ）番目の画素群ＰＧ(p,q)への第４副画素・出力信号値Ｘ4-(p,q)を、上述の式（１−ａ4）、（１−ｂ4）、（１−ｃ4）、（２−１−１）、（２−１−２）、（２−８）、（１−ｄ4）、（１−ｆ4）に基づき求める。そして、更に、式（３−Ａ）、（３−Ｂ）、（３−Ｃ）、（３−Ｄ）、（３−ａ’）、（３−ｄ）、（３−ｅ）に基づき、第（ｐ，ｑ）番目の画素群ＰＧ(p,q)への第１副画素・出力信号値Ｘ1-(p,q)-1，Ｘ1-(p,q)-2、第２副画素・出力信号値Ｘ2-(p,q)-1，Ｘ2-(p,q)-2、第３副画素・出力信号値Ｘ3-(p,q)-1を求める。
【０２８４】
第４副画素・制御第１信号値ＳＧ1-(p,q)と第４副画素・制御第２信号値ＳＧ2-(p,q)との関係が或る条件を満たす場合には、例えば、実施例８を実行し、この或る条件から逸脱した場合には、例えば、実施例９を実行するといった構成を採用してもよい。例えば、
ＣＳ5-(p,q)＝ｍｉｎ（ＳＧ2-(p,q)，ＳＧ3-(p,q)）    （２−８）
に基づく処理を行う場合、｜ＳＧ1-(p,q)−ＳＧ2-(p,q)｜の値が所定の値ΔＸ1以上（あるいは、以下）となった場合には、実施例８を実行し、そうでない場合には、実施例９を実行すればよい。あるいは又、例えば、｜ＳＧ1-(p,q)−ＳＧ2-(p,q)｜の値が所定の値ΔＸ1以上（あるいは、以下）となった場合には、Ｘ4-(p,q)の値として、ＳＧ1-(p,q)にのみ基づいた値を採用し、あるいは又、ＳＧ2-(p,q)にのみ基づいた値を採用し、実施例８や実施例９を適用することができる。あるいは又、（ＳＧ1-(p,q)−ＳＧ2-(p,q)）の値が所定の値ΔＸ2以上となった場合、（ＳＧ1-(p,q)−ＳＧ2-(p,q)）の値が所定の値ΔＸ3以下となった場合のそれぞれにおいては、実施例８（あるいは実施例９）を実行し、そうでない場合には実施例９（あるいは実施例８）を実行してよい。
【０２８５】
実施例８あるいは実施例９にあっては、第１の画素及び第２の画素を構成する各副画素の配列順を、［（第１の画素）（第２の画素）］と表記したとき、
［（第１副画素Ｒ、第２副画素Ｇ、第３副画素Ｂ）（第１副画素Ｒ、第２副画素Ｇ、第４副画素Ｗ）］
の順とし、あるいは又、［（第２の画素），（第１の画素）］と表記したとき、
［（第４副画素Ｗ、第２副画素Ｇ、第１副画素Ｒ）（第３副画素Ｂ、第２副画素Ｇ、第１副画素Ｒ）］
の順としたが、このような配列順に限定するものではない。例えば、［（第１の画素）（第２の画素）］の配列順として、
［（第１副画素Ｒ、第３副画素Ｂ、第２副画素Ｇ）（第１副画素Ｒ、第４副画素Ｗ、第２副画素Ｇ）］
とすることができる。
【０２８６】
実施例９におけるこのような状態を図２２の上段に示すが、この配列順は、見方を変えれば、図２２の下段に仮想の画素区分を示すように、第（ｐ，ｑ）番目の画素群の第１の画素における第１副画素Ｒと、第（ｐ−１，ｑ）番目の画素群の第２の画素における第２副画素Ｇと第４副画素Ｗの３つの副画素を、仮想的に第（ｐ，ｑ）番目の画素群の第２の画素の（第１副画素Ｒ、第２副画素Ｇ、第４副画素Ｗ）とみなしたものと等価である。更には、第（ｐ，ｑ）番目の画素群の第２の画素における第１副画素Ｒと、第１の画素における第２副画素Ｇと第３副画素Ｂの３つの副画素を第（ｐ，ｑ）番目の画素群の第１の画素とみなしたものと等価である。それ故、これらの仮想の画素群を構成する第１の画素と第２の画素に、実施例９を適用すればよい。また、実施例８あるいは実施例９にあっては、第１の方向を、左手から右手に向う方向として説明したが、上述した［（第２の画素），（第１の画素）］のとおり、第１の方向を、右手から左手に向う方向としてもよい。
【実施例１０】
【０２８７】
実施例１０は、本発明の第５の態様に係る駆動方法、並びに、第５の態様に係る画像表示装置組立体の駆動方法に関する。実施例１０の画像表示パネルにおける各画素、画素群の配置は、実施例８と同様であり、模式的に図２０あるいは図２１に示したと同じである。
【０２８８】
実施例１０にあっては、画像表示パネル３０は、画素群が、第１の方向（例えば、水平方向）にＰ個、第２の方向（例えば、垂直方向）にＱ個の合計、Ｐ×Ｑ個、２次元マトリクス状に配列されて成る。尚、画素群を構成する画素の数をｐ0としたとき、ｐ0＝２である。具体的には、図２０あるいは図２１に示すように、実施例１０の画像表示パネル３０においては、各画素群は、第１の方向に沿って、第１の画素Ｐｘ1及び第２の画素Ｐｘ2から構成されている。そして、第１の画素Ｐｘ1は、第１原色（例えば、赤色）を表示する第１副画素Ｒ、第２原色（例えば、緑色）を表示する第２副画素Ｇ、及び、第３原色（例えば、青色）を表示する第３副画素Ｂから成る。一方、第２の画素Ｐｘ2は、第１原色を表示する第１副画素Ｒ、第２原色を表示する第２副画素Ｇ、及び、第４の色（例えば、白色）を表示する第４副画素Ｗから成る。より具体的には、第１の画素Ｐｘ1は、第１の方向に沿って、第１原色を表示する第１副画素Ｒ、第２原色を表示する第２副画素Ｇ、及び、第３原色を表示する第３副画素Ｂが順次配列されて成り、第２の画素Ｐｘ2は、第１の方向に沿って、第１原色を表示する第１副画素Ｒ、第２原色を表示する第２副画素Ｇ、及び、第４の色を表示する第４副画素Ｗが順次配列されて成る。第１の画素Ｐｘ1を構成する第３副画素Ｂと第２の画素Ｐｘ2を構成する第１副画素Ｒとが隣接している。また、第２の画素Ｐｘ2を構成する第４副画素Ｗと、この画素群に隣接した画素群における第１の画素Ｐｘ1を構成する第１副画素Ｒとが隣接している。尚、副画素の形状は長方形であり、この長方形の長辺が第２の方向と平行となり、短辺が第１の方向と平行となるように副画素を配置する。尚、図２０に示した例においては、第２の方向に沿って、第１の画素と第２の画素とが隣接して配置されている。一方、図２１に示した例においては、第２の方向に沿って、第１の画素と第１の画素とが隣接して配置されており、第２の画素と第２の画素とが隣接して配置されている。
【０２８９】
ここで、実施例１０において、
第（ｐ，ｑ）番目の画素群ＰＧ(p,q)（但し、１≦ｐ≦Ｐ，１≦ｑ≦Ｑ）を構成する第１の画素Ｐｘ(p,q)-1に関して、信号処理部２０には、
信号値がｘ1-(p,q)-1の第１副画素・入力信号、
信号値がｘ2-(p,q)-1の第２副画素・入力信号、及び、
信号値がｘ3-(p,q)-1の第３副画素・入力信号、
が入力され、
第（ｐ，ｑ）番目の画素群ＰＧ(p,q)を構成する第２の画素Ｐｘ(p,q)-2に関して、信号処理部２０には、
信号値がｘ1-(p,q)-2の第１副画素・入力信号、
信号値がｘ2-(p,q)-2の第２副画素・入力信号、及び、
信号値がｘ3-(p,q)-2の第３副画素・入力信号、
が入力される。
【０２９０】
また、実施例１０にあっては、信号処理部２０は、
第（ｐ，ｑ）番目の画素群ＰＧ(p,q)を構成する第１の画素Ｐｘ(p,q)-1に関して、
信号値がＸ1-(p,q)-1であり、第１副画素Ｒの表示階調を決定するための第１副画素・出力信号、
信号値がＸ2-(p,q)-1であり、第２副画素Ｇの表示階調を決定するための第２副画素・出力信号、及び、
信号値がＸ3-(p,q)-1であり、第３副画素Ｂの表示階調を決定するための第３副画素・出力信号、
を出力し、
第（ｐ，ｑ）番目の画素群ＰＧ(p,q)を構成する第２の画素Ｐｘ(p,q)-2に関して、
信号値がＸ1-(p,q)-2であり、第１副画素Ｒの表示階調を決定するための第１副画素・出力信号、
信号値がＸ2-(p,q)-2であり、第２副画素Ｇの表示階調を決定するための第２副画素・出力信号、及び、
信号値がＸ4-(p,q)であり、第４副画素Ｗの表示階調を決定するための第４副画素・出力信号、
を出力する。
【０２９１】
また、第（ｐ，ｑ）番目の第２の画素に隣接した隣接画素に関して、信号処理部２０には、
信号値がｘ1-(p,q')の第１副画素・入力信号、
信号値がｘ2-(p,q')の第２副画素・入力信号、及び、
信号値がｘ3-(p,q')の第３副画素・入力信号、
が入力される。
【０２９２】
そして、実施例１０にあっては、信号処理部２０において、
第１の画素Ｐｘ1への第１副画素・出力信号を、少なくとも第１の画素Ｐｘ1への第１副画素・入力信号及び伸長係数α0に基づき求め、第１の画素Ｐｘ1の第１副画素Ｒへ出力し、
第１の画素Ｐｘ1への第２副画素・出力信号を、少なくとも第１の画素Ｐｘ1への第２副画素・入力信号及び伸長係数α0に基づき求め、第１の画素Ｐｘ1の第２副画素Ｇへ出力し、
第２の方向に沿って数えたときの第（ｐ，ｑ）番目［但し、ｐ＝１，２・・・Ｐであり、ｑ＝１，２・・・，Ｑである］の第１の画素Ｐｘ(p,q)-1への第３副画素・入力信号Ｘ3-(p,q)-1並びに第（ｐ，ｑ）番目の第２の画素Ｐｘ(p,q)-2への第３副画素・入力信号Ｘ3-(p,q)-2に基づき第３副画素・出力信号Ｘ3-(p,q)-1を求め、第３副画素Ｂへ出力する。
【０２９３】
また、第２の画素Ｐｘ2への第１副画素・出力信号を、少なくとも第２の画素Ｐｘ2への第１副画素・入力信号及び伸長係数α0に基づき求め、第２の画素Ｐｘ2の第１副画素Ｒへ出力し、第２の画素Ｐｘ2への第２副画素・出力信号を、少なくとも第２の画素Ｐｘ2への第２副画素・入力信号及び伸長係数α0に基づき求め、第２の画素Ｐｘ2の第２副画素Ｇへ出力する。
【０２９４】
そして、信号処理部２０において、実施例１にて説明したと実質的に同様に、
（ａ）第４の色を加えることで拡大されたＨＳＶ色空間における彩度Ｓを変数とした明度の最大値Ｖmax（Ｓ）を求め、
（ｂ）複数の第１の画素及び第２の画素における副画素・入力信号値に基づき、この複数の第１の画素及び第２の画素における彩度Ｓ及び明度Ｖ（Ｓ）を求め、
（ｃ）複数の第１の画素及び第２の画素において求められたＶmax（Ｓ）／Ｖ（Ｓ）の値の内、少なくとも１つの値に基づいて、伸長係数α0を求める。
【０２９５】
更に、信号処理部２０にあっては、第（ｐ，ｑ）番目の画素群において、
第１補正信号値ＣＳ1-(p,q)を、伸長係数α0、第２の画素における第１副画素・入力信号ｘ1-(p,q)-2、第２の方向に沿ってこの第２の画素に隣接する隣接画素における第１副画素・入力信号ｘ1-(p,q')、並びに、第１定数Ｋ1に基づき求め、
第２補正信号値ＣＳ2-(p,q)を、伸長係数α0、第２の画素における第２副画素・入力信号ｘ2-(p,q)-2、この隣接画素における第２副画素・入力信号ｘ2-(p,q')、並びに、第２定数Ｋ2に基づき求め、
第３補正信号値ＣＳ3-(p,q)を、伸長係数α0、第２の画素における第３副画素・入力信号ｘ3-(p,q)-2、この隣接画素における第３副画素・入力信号ｘ3-(p,q')、並びに、第３定数Ｋ3に基づき求める。
【０２９６】
より具体的には、実施例１０にあっては、
第１補正信号値ＣＳ1-(p,q)を、伸長係数α0と隣接画素における第１副画素・入力信号ｘ1-(p,q')の積から第１定数Ｋ1を減じることで求めた値、及び、伸長係数α0と第２の画素における第１副画素・入力信号ｘ1-(p,q)-2の積から第１定数Ｋ1を減じることで求めた値の内の大きい方の値とし、
第２補正信号値ＣＳ2-(p,q)を、伸長係数α0と隣接画素における第２副画素・入力信号ｘ2-(p,q')の積から第２定数Ｋ2を減じることで求めた値、及び、伸長係数α0と第２の画素における第２副画素・入力信号ｘ2-(p,q)-2の積から第２定数Ｋ2を減じることで求めた値の内の大きい方の値とし、
第３補正信号値ＣＳ3-(p,q)を、伸長係数α0と隣接画素における第３副画素・入力信号ｘ3-(p,q')の積から第３定数Ｋ3を減じることで求めた値、及び、伸長係数α0と第２の画素における第３副画素・入力信号ｘ3-(p,q)-2の積から第３定数Ｋ3を減じることで求めた値の内の大きい方の値とする。
【０２９７】
ＣＳ1-(p,q)＝ｍａｘ（ｘ1-(p,q)-2・α0−Ｋ1，ｘ1-(p,q')・α0−Ｋ1）  （１−ａ5）
ＣＳ2-(p,q)＝ｍａｘ（ｘ2-(p,q)-2・α0−Ｋ2，ｘ2-(p,q')・α0−Ｋ2）  （１−ｂ5）
ＣＳ3-(p,q)＝ｍａｘ（ｘ3-(p,q)-2・α0−Ｋ3，ｘ3-(p,q')・α0−Ｋ3）  （１−ｃ5）
【０２９８】
そして、第（ｐ，ｑ）番目の画素群において、第１補正信号値ＣＳ1-(p,q)、第２補正信号値ＣＳ2-(p,q)、及び、第３補正信号値ＣＳ3-(p,q)の内の最も大きい値を有する補正信号値を第４補正信号値ＣＳ4-(p,q)として求め、第５補正信号値を、伸長係数α0、第２の画素における第１副画素・入力信号ｘ1-(p,q)-2、第２副画素・入力信号ｘ2-(p,q)-2及び第３副画素・入力信号ｘ2-(p,q)-3、並びに、この隣接画素における第１副画素・入力信号ｘ1-(p,q')、第２副画素・入力信号ｘ2-(p,q')及び第３副画素・入力信号ｘ3-(p,q')に基づき求め、更には、第（ｐ，ｑ）番目の画素群において、第４補正信号値ＣＳ4-(p,q)及び第５補正信号値ＣＳ5-(p,q)から、第４副画素・出力信号Ｘ4-(p,q)を求め、第４副画素へ出力する。
【０２９９】
ＳＧ3-(p,q)＝ｃ21（Ｍｉｎ(p,q')）・α0                          （２−１−１）
ＳＧ2-(p,q)＝ｃ21（Ｍｉｎ(p,q)-2）・α0                         （２−１−２）
ＣＳ5-(p,q)＝ｍｉｎ（ＳＧ2-(p,q)，ＳＧ3-(p,q)）                 （２−８）
ＣＳ4-(p,q)＝ｃ17・ｍａｘ（ＣＳ1-(p,q)，ＣＳ2-(p,q)，ＣＳ3-(p,q)）
（１−ｄ5）
Ｘ4-(p,q)＝ｍｉｎ（ＣＳ4-(p,q)，ＣＳ5-(p,q)）                   （１−ｅ5）
【０３００】
更には、第２の画素Ｐｘ2に関して、実施例８と同様に、
第１副画素・出力信号Ｘ1-(p,q)-2を、少なくとも、第１副画素・入力信号ｘ1-(p,q)-2及び伸長係数α0に基づき求めるが、第１副画素・出力信号（信号値Ｘ1-(p,q)-2）を、少なくとも、第１副画素・入力信号値ｘ1-(p,q)-2及び伸長係数α0、並びに、第４副画素・出力信号Ｘ4-(p,q)に基づき求め、
第２副画素・出力信号Ｘ2-(p,q)-2を、少なくとも、第２副画素・入力信号ｘ2-(p,q)-2及び伸長係数α0に基づき求めるが、第２副画素・出力信号（信号値Ｘ2-(p,q)-2）を、少なくとも、第２副画素・入力信号値ｘ2-(p,q)-2及び伸長係数α0、並びに、第４副画素・出力信号Ｘ4-(p,q)に基づき求める。
【０３０１】
また、第１の画素Ｐｘ1に関して、
第１副画素・出力信号Ｘ1-(p,q)-1を、少なくとも、第１副画素・入力信号ｘ1-(p,q)-1及び伸長係数α0に基づき求めるが、第１副画素・出力信号（信号値Ｘ1-(p,q)-1）を、少なくとも、第１副画素・入力信号値ｘ1-(p,q)-1及び伸長係数α0、並びに、第４副画素・出力信号Ｘ4-(p,q)に基づき求め、
第２副画素・出力信号Ｘ2-(p,q)-1を、少なくとも、第２副画素・入力信号ｘ2-(p,q)-1及び伸長係数α0に基づき求めるが、第２副画素・出力信号（信号値Ｘ2-(p,q)-1）を、少なくとも、第２副画素・入力信号値ｘ2-(p,q)-1及び伸長係数α0、並びに、第４副画素・出力信号Ｘ4-(p,q)に基づき求め、
第３副画素・出力信号Ｘ3-(p,q)-1を、少なくとも、第３副画素・入力信号ｘ3-(p,q)-1及び伸長係数α0に基づき求めるが、第３副画素・出力信号（信号値Ｘ3-(p,q)-1）を、少なくとも、第３副画素・入力信号値ｘ3-(p,q)-1，ｘ3-(p,q)-2及び伸長係数α0、並びに、第４副画素・出力信号Ｘ4-(p,q)に基づき求める。
【０３０２】
より具体的には、実施例１０の駆動方法にあっては、信号処理部において、出力信号値Ｘ1-(p,q)-2，Ｘ2-(p,q)-2，Ｘ1-(p,q)-1，Ｘ2-(p,q)-1を、以下の式から求めることができる。
【０３０３】
Ｘ1-(p,q)-2＝α0・ｘ1-(p,q)-2−χ・Ｘ4-(p,q)      （３−Ａ）
Ｘ2-(p,q)-2＝α0・ｘ2-(p,q)-2−χ・Ｘ4-(p,q)      （３−Ｂ）
Ｘ1-(p,q)-1＝α0・ｘ1-(p,q)-1−χ・Ｘ4-(p,q)      （３−Ｃ）
Ｘ2-(p,q)-1＝α0・ｘ2-(p,q)-1−χ・Ｘ4-(p,q)      （３−Ｄ）
【０３０４】
更には、第１の画素における第３副画素・出力信号（第３副画素・出力信号値Ｘ3-(p,q)-1）を、Ｃ11及びＣ12を定数（例えば、「１」）としたとき、以下の式から求める。
Ｘ3-(p,q)-1＝（Ｃ11・Ｘ’3-(p,q)-1＋Ｃ12・Ｘ’3-(p,q)-2）／（Ｃ11＋Ｃ12）
（３−ａ）
但し、
Ｘ’3-(p,q)-1＝α0・ｘ3-(p,q)-1−χ・Ｘ4-(p,q)            （３−ｄ）
Ｘ’3-(p,q)-2＝α0・ｘ3-(p,q)-2−χ・Ｘ4-(p,q)            （３−ｅ）
である。
【０３０５】
尚、実施例１０にあっては、第（ｐ，ｑ）番目の画素に隣接した隣接画素を、第（ｐ，ｑ−１）番目の画素とする。但し、これに限定するものではなく、第（ｐ，ｑ＋１）番目の画素とすることもできるし、第（ｐ，ｑ−１）番目の画素及び第（ｐ，ｑ＋１）番目の画素とすることもできる。
【０３０６】
以下、第（ｐ，ｑ）番目の画素群ＰＧ(p,q)における出力信号値Ｘ1-(p,q)-2，Ｘ2-(p,q)-2，Ｘ4-(p,q)，Ｘ1-(p,q)-1，Ｘ2-(p,q)-1，Ｘ3-(p,q)-1の求め方（伸長処理）を説明する。尚、以下の処理では、階調−輝度特性（ガンマ特性，γ特性）を保持（維持）するように行われる。また、以下の処理では、第１の画素及び第２の画素の全体で、即ち、各画素群において、輝度の比を出来る限り保つように行われ、しかも、色調を出来る限り保持（維持）するように行われる。
【０３０７】
［工程−１０００］
先ず、実施例１の［工程−１００］〜［工程−１１０］と同様の工程を実行する。
【０３０８】
［工程−１０１０］
次いで、信号処理部２０において、第（ｐ，ｑ）番目の画素群ＰＧ(p,q)への第４副画素・出力信号値Ｘ4-(p,q)を、上述の式（１−ａ5）、（１−ｂ5）、（１−ｃ5）、（２−１−１）、（２−１−２）、（２−８）、（１−ｄ5）、（１−ｆ5）に基づき求める。そして、更に、式（３−Ａ）、（３−Ｂ）、（３−Ｃ）、（３−Ｄ）、（３−ａ’）、（３−ｄ）、（３−ｅ）に基づき、第（ｐ，ｑ）番目の画素群ＰＧ(p,q)への第１副画素・出力信号値Ｘ1-(p,q)-1，Ｘ1-(p,q)-2、第２副画素・出力信号値Ｘ2-(p,q)-1，Ｘ2-(p,q)-2、第３副画素・出力信号値Ｘ3-(p,q)-1を求める。
【０３０９】
実施例１０の画像表示装置組立体の駆動方法にあっても、第（ｐ，ｑ）番目の画素群ＰＧ(p,q)における出力信号値Ｘ1-(p,q)-2，Ｘ2-(p,q)-2，Ｘ1-(p,q)-1，Ｘ2-(p,q)-1，Ｘ3-(p,q)-1は、α0倍、伸長されている。それ故、伸長されていない状態の画像の輝度と同じ画像の輝度とするためには、面状光源装置５０の輝度を、伸長係数α0に基づき減少させればよい。具体的には、面状光源装置５０の輝度を、（１／α0）倍とすればよい。これによって、面状光源装置の消費電力の低減を図ることができる。
【０３１０】
しかも、第（ｐ，ｑ）番目の第２の画素への第４副画素・出力信号を、第（ｐ，ｑ）番目の第２の画素への入力信号及びこの第２の画素と第２の方向に沿って隣接する画素への入力信号に基づき求める。即ち、或る画素群を構成する第２の画素への第４副画素・出力信号が、この或る画素群を構成する第２の画素への入力信号だけでなく、この第２の画素と隣接する画素への入力信号にも基づき求められるので、第４副画素への出力信号のより一層の最適化が図られている。しかも、第１の画素及び第２の画素によって構成された画素群に対して１つの第４副画素が配置されているので、副画素における開口領域の面積の減少を抑制することができる。その結果、輝度の増加を確実に図ることができるし、表示品位の向上を図ることができる。
【０３１１】
尚、各画素群において、第１画素及び第２画素における出力信号値の比
Ｘ1-(p,q)-2：Ｘ2-(p,q)-2
Ｘ1-(p,q)-1：Ｘ2-(p,q)-1：Ｘ3-(p,q)-1
は、入力信号値の比
ｘ1-(p,q)-2：ｘ2-(p,q)-2
ｘ1-(p,q)-1：ｘ2-(p,q)-1：ｘ3-(p,q)-1
と若干異なり、各画素を単独で眺めたとき、入力信号に対して各画素の色調に若干の差異が生じる場合があるが、画素群として眺めた場合、各画素群の色調に何らの問題は生じない。
【０３１２】
第４副画素・制御第１信号値ＳＧ1-(p,q)と第４副画素・制御第２信号値ＳＧ2-(p,q)との関係が或る条件から逸脱した場合には、隣接する隣接画素を変えてもよい。即ち、隣接画素が第（ｐ，ｑ−１）番目の画素である場合、隣接画素を第（ｐ，ｑ＋１）番目の画素に変更してもよいし、隣接画素を第（ｐ，ｑ−１）番目の画素及び第（ｐ，ｑ＋１）番目の画素に変更してもよい。
【０３１３】
あるいは又、第４副画素・制御第１信号値ＳＧ1-(p,q)と第４副画素・制御第２信号値ＳＧ2-(p,q)との関係が或る条件から逸脱した場合には、即ち、例えば、｜ＳＧ1-(p,q)−ＳＧ2-(p,q)｜の値が所定の値ΔＸ1以上（あるいは、以下）となった場合には、Ｘ4-(p,q)の値として、ＳＧ1-(p,q)にのみ基づいた値を採用し、あるいは又、ＳＧ2-(p,q)にのみ基づいた値を採用し、各実施例を適用することができる。あるいは又、（ＳＧ1-(p,q)−ＳＧ2-(p,q)）の値が所定の値ΔＸ2以上となった場合、（ＳＧ1-(p,q)−ＳＧ2-(p,q)）の値が所定の値ΔＸ3以下となった場合のそれぞれにおいては、実施例１０における処理とは異なる処理を行うといった操作を実行してもよい。
【０３１４】
場合によっては、実施例１０において説明した画素群の配列を以下のとおりに変更して、実質的に実施例１０において説明した画像表示装置の駆動方法、画像表示装置組立体の駆動方法を実行してもよい。即ち、図２３に示すように、
画素が、第１の方向にＰ個、第２の方向にＱ個の合計、Ｐ×Ｑ個、２次元マトリクス状に配列されて成る画像表示パネル、及び、信号処理部を備え、
画像表示パネルは、第１の方向に沿って第１の画素が配列された第１画素列と、第１画素列に隣接して、且つ、第１画素列と交互に、第１の方向に沿って第２の画素が配列された第２画素列から構成されており、
第１の画素は、第１原色を表示する第１副画素Ｒ、第２原色を表示する第２副画素Ｇ、及び、第３原色を表示する第３副画素Ｂから成り、
第２の画素は、第１原色を表示する第１副画素Ｒ、第２原色を表示する第２副画素Ｇ、及び、第４の色を表示する第４副画素Ｗから成り、
信号処理部において、
第１の画素への第１副画素・出力信号を、少なくとも第１の画素への第１副画素・入力信号及び伸長係数α0に基づき求め、第１の画素の第１副画素Ｒへ出力し、
第１の画素への第２副画素・出力信号を、少なくとも第１の画素への第２副画素・入力信号及び伸長係数α0に基づき求め、第１の画素の第２副画素Ｇへ出力し、
第２の画素への第１副画素・出力信号を、少なくとも第２の画素への第１副画素・入力信号及び伸長係数α0に基づき求め、第２の画素の第１副画素Ｒへ出力し、
第２の画素への第２副画素・出力信号を、少なくとも第２の画素への第２副画素・入力信号及び伸長係数α0に基づき求め、第２の画素の第２副画素Ｇへ出力する画像表示装置の駆動方法であって、
信号処理部において、更に、
第２の方向に沿って数えたときの第（ｐ，ｑ）番目［但し、ｐ＝１，２・・・Ｐであり、ｑ＝１，２・・・，Ｑである］の第２の画素への第１副画素・入力信号、第２副画素・入力信号及び第３副画素・入力信号から求められた第４副画素・制御第２信号、並びに、第２の方向に沿って第（ｐ，ｑ）番目の第２の画素に隣接した第１の画素への第１副画素・入力信号、第２副画素・入力信号及び第３副画素・入力信号から求められた第４副画素・制御第１信号に基づき第４副画素・出力信号を求め、求められた第４副画素・出力信号を、第（ｐ，ｑ）番目の第２の画素へ出力し、
少なくとも第（ｐ，ｑ）番目の第２の画素への第３副画素・入力信号並びに第（ｐ，ｑ）番目の第２の画素に隣接した第１の画素への第３副画素・入力信号に基づき第３副画素・出力信号を求め、求められた第３副画素・出力信号を、第（ｐ，ｑ）番目の第１の画素へ出力する画像表示装置の駆動方法を採用してもよい。
【０３１５】
以上、本発明を好ましい実施例に基づき説明したが、本発明はこれらの実施例に限定されるものではない。実施例において説明したカラー液晶表示装置組立体、カラー液晶表示装置や面状光源装置、面状光源ユニット、駆動回路の構成、構造は例示であるし、これらを構成する部材、材料等も例示であり、適宜、変更することができる。
【０３１６】
実施例にあっては、彩度Ｓ及び明度Ｖ（Ｓ）を求めるべき複数の画素（あるいは、第１副画素Ｒ、第２副画素Ｇ及び第３副画素Ｂの組）を、Ｐ×Ｑ個の全画素（あるいは、第１副画素Ｒ、第２副画素Ｇ及び第３副画素Ｂの組）とし、あるいは又、Ｐ0×Ｑ0個の全画素群であるとしたが、これに限定されるものではない。即ち、彩度Ｓ及び明度Ｖ（Ｓ）を求めるべき複数の画素（あるいは、第１副画素Ｒ、第２副画素Ｇ及び第３副画素Ｂの組）、あるいは又、画素群を、例えば、４つ毎に１つ、８つ毎に１つとすることができる。
【０３１７】
実施例１においては、第１副画素・入力信号、第２副画素・入力信号及び第３副画素・入力信号等に基づき伸長係数α0を求めたが、代替的に、第１副画素・入力信号、第２副画素・入力信号及び第３副画素・入力信号の内のいずれか１種類の入力信号（あるいは、第１副画素Ｒ、第２副画素Ｇ及び第３副画素Ｂの組における副画素・入力信号の内のいずれか１種類の入力信号、あるいは又、第１入力信号、第２入力信号及び第３入力信号の内のいずれか１種類の入力信号）に基づき伸長係数α0を求めてもよい。具体的には、係るいずれか１種類の入力信号における入力信号値として、例えば、緑色に対する入力信号値ｘ2-(p,q)を挙げることができる。そして、求められた伸長係数α0から、実施例と同様にして、信号値Ｘ4-(p,q)、更には、信号値Ｘ1-(p,q)，Ｘ2-(p,q)，Ｘ3-(p,q)を求めればよい。尚、この場合には、式（１２−１）、式（１２−２）のＳ(p,q)，Ｖ（Ｓ）(p,q)を用いずに、Ｓ(p,q)の値として「１」を用い（即ち、式（１２−１）におけるＭａｘ(p,q)の値としてｘ2-(p,q)を用い、Ｍｉｎ(p,q)）＝０とする）、Ｖ（Ｓ）(p,q)の値としてｘ2-(p,q)を用いればよい。同様にして、第１副画素・入力信号、第２副画素・入力信号及び第３副画素・入力信号の内のいずれか２種類の入力信号における入力信号値（あるいは、第１副画素Ｒ、第２副画素Ｇ及び第３副画素Ｂの組における副画素・入力信号の内のいずれか２種類の入力信号、あるいは又、第１入力信号、第２入力信号及び第３入力信号の内のいずれか２種類の入力信号）に基づき伸長係数α0を求めてもよい。具体的には、例えば、赤色に対する入力信号値ｘ1-(p,q)、及び、緑色に対する入力信号値ｘ2-(p,q)を挙げることができる。そして、求められた伸長係数α0から、実施例と同様にして、信号値Ｘ4-(p,q)、更には、信号値Ｘ1-(p,q)，Ｘ2-(p,q)，Ｘ3-(p,q)を求めればよい。尚、この場合には、式（１２−１）、式（１２−２）のＳ(p,q)，Ｖ（Ｓ）(p,q)を用いずに、Ｓ(p,q)の値として、ｘ1-(p,q)≧ｘ2-(p,q)の場合、
Ｓ(p,q)＝（ｘ1-(p,q)−ｘ2-(p,q)）／ｘ1-(p,q)
Ｖ（Ｓ）(p,q)＝ｘ1-(p,q)
とすればよいし、ｘ1-(p,q)＜ｘ2-(p,q)の場合、
Ｓ(p,q)＝（ｘ2-(p,q)−ｘ1-(p,q)）／ｘ2-(p,q)
Ｖ（Ｓ）(p,q)＝ｘ2-(p,q)
とすればよい。例えば、単色の画像をカラー画像表示装置にて表示する場合には、このような伸長処理を行えば十分である。他の実施例においても同様である。
【０３１８】
また、工程（ａ）、（ｂ）及び（ｃ）といった一連の工程を実行する代わりに、
［１］第４の色を加えることで拡大されたＨＳＶ色空間における彩度Ｓを変数とした明度の最大値Ｖmax（Ｓ）を、信号処理部において求め、
［２］信号処理部において、複数の画素における副画素・入力信号値に基づき、該複数の画素における彩度Ｓ及び明度Ｖ（Ｓ）を求め、
［３］明度Ｖ（Ｓ）と伸長係数α0の積から求められた伸長された明度の値が最大値Ｖmax（Ｓ）を越える画素の全画素に対する割合が所定の値（β0）以下となるように伸長係数α0を決定する。
といった工程を実行してもよい。尚、所定の値β0として、０．００３乃至０．０５を挙げることができる。即ち、明度Ｖ（Ｓ）と伸長係数α0の積から求められた伸長された明度の値が最大値Ｖmax（Ｓ）を越える画素が、全画素に対して０．３％以上、５％以下となるように、伸長係数α0を決定する形態とすることができる。このように、彩度Ｓを変数とした明度の最大値Ｖmax（Ｓ）が求められ、更には、複数の画素における副画素・入力信号値に基づき、これらの複数の画素における彩度Ｓ及び明度Ｖ（Ｓ）が求められ、明度Ｖ（Ｓ）と伸長係数α0の積から求められた伸長された明度の値が最大値Ｖmax（Ｓ）を越える画素の全画素に対する割合が所定の値（β0）以下となるように伸長係数α0が決定される。従って、各副画素への出力信号の最適化を図ることができ、所謂『階調潰れ』が目立ち、不自然な画像となるといった現象の発生を防止することができる一方、輝度の増加を確実に図ることができ、画像表示装置が組み込まれた画像表示装置組立体全体の消費電力の低減を図ることができる。
【０３１９】
また、工程（ａ）、（ｂ）及び（ｃ）といった一連の工程を実行する代わりに、
第１副画素に第１副画素・出力信号の最大信号値に相当する値を有する信号が入力され、第２副画素に第２副画素・出力信号の最大信号値に相当する値を有する信号が入力され、第３副画素に第３副画素・出力信号の最大信号値に相当する値を有する信号が入力されたときの、画素（本発明の第１の態様、本発明の第２の態様）あるいは画素群（本発明の第３の態様、本発明の第４の態様、本発明の第５の態様）を構成する第１副画素、第２副画素及び第３副画素の集合体の輝度をＢＮ1-3とし、画素（本発明の第１の態様、本発明の第２の態様）あるいは画素群（本発明の第３の態様、本発明の第４の態様、本発明の第５の態様）を構成する第４副画素に第４副画素・出力信号の最大信号値に相当する値を有する信号が入力されたときの第４副画素の輝度ＢＮ4としたとき、
α0＝（ＢＮ4／ＢＮ1-3）＋１
とする形態を採用することもできる。尚、広くは、伸長係数α0を（ＢＮ4／ＢＮ1-3）の関数とする形態とすることができる。このように、伸長係数α0を、
α0＝（ＢＮ4／ＢＮ1-3）＋１
とすることによって、所謂『階調潰れ』が目立ち、不自然な画像となるといった現象の発生を防止することができる一方、輝度の増加を確実に図ることができ、画像表示装置が組み込まれた画像表示装置組立体全体の消費電力の低減を図ることができる。
【０３２０】
また、工程（ａ）、（ｂ）及び（ｃ）といった一連の工程を実行する代わりに、
（Ｒ，Ｇ，Ｂ）で定義された色が画素において表示されるとし、ＨＳＶ色空間における色相Ｈ及び彩度Ｓが以下の式で定義され、
４０≦Ｈ≦６５
０．５≦Ｓ≦１．０
の範囲となる画素の全画素に対する割合が所定の値β’0（例えば、具体的には、２％）を超えるとき、伸長係数α0を所定の値α’0以下（具体的には、例えば１．３以下）とする形態を採用することができる。尚、伸長係数α0の下限値は１．０である。以下の説明においても同様である。ここで、（Ｒ，Ｇ，Ｂ）において、Ｒの値が最大のとき、
Ｈ＝６０（Ｇ−Ｂ）／（Ｍａｘ−Ｍｉｎ）
であり、Ｇの値が最大のとき、
Ｈ＝６０（Ｂ−Ｒ）／（Ｍａｘ−Ｍｉｎ）＋１２０
であり、Ｂの値が最大のとき、
Ｈ＝６０（Ｒ−Ｇ）／（Ｍａｘ−Ｍｉｎ）＋２４０
であり、
Ｓ＝（Ｍａｘ−Ｍｉｎ）／Ｍａｘ
である。このように、ＨＳＶ色空間における色相Ｈ及び彩度Ｓが所定の範囲内となる画素の全画素に対する割合が所定の値β’0（例えば、具体的には、２％）を超えるとき（云い換えれば、画像の色に黄色が多く混在しているとき）、伸長係数α0を所定の値α’0以下（例えば、具体的には、１．３以下）とする。これによって、画像の色に黄色が多く混在している場合であっても、各副画素への出力信号の最適化を図ることができ、不自然な画像となることを防止することができる一方、輝度の増加を確実に図ることができ、画像表示装置が組み込まれた画像表示装置組立体全体の消費電力の低減を図ることができる。
【０３２１】
また、工程（ａ）、（ｂ）及び（ｃ）といった一連の工程を実行する代わりに、
（Ｒ，Ｇ，Ｂ）で定義された色が画素において表示されるとし、（Ｒ，Ｇ，Ｂ）が以下の式を満足する画素の全画素に対する割合が所定の値β’0（例えば、具体的には、２％）を超えるとき、伸長係数α0を所定の値α’0以下（例えば、具体的には、１．３以下）とする形態を採用することができる。ここで、（Ｒ，Ｇ，Ｂ）において、Ｒの値が最高値、Ｂの値が最低値の場合であって、
Ｒ≧０．７８×（２n−１）
Ｇ≧（２Ｒ／３）＋（Ｂ／３）
Ｂ≦０．５０Ｒ
を満足するとき。あるいは又、（Ｒ，Ｇ，Ｂ）において、Ｇの値が最高値、Ｂの値が最低値の場合であって、
Ｒ≧（４Ｂ／６０）＋（５６Ｇ／６０）
Ｇ≧０．７８×（２n−１）
Ｂ≦０．５０Ｒ
を満足するとき。但し、ｎは表示階調ビット数である。このように、（Ｒ，Ｇ，Ｂ）として特定の値を有する画素の全画素に対する割合が所定の値β’0（例えば、具体的には、２％）を超えるとき（云い換えれば、画像の色に黄色が多く混在しているとき）、伸長係数α0を所定の値α’0以下（例えば、具体的には、１．３以下）とする。これによっても、画像の色に黄色が多く混在している場合であっても、各副画素への出力信号の最適化を図ることができ、不自然な画像となることを防止することができる一方、輝度の増加を確実に図ることができ、画像表示装置が組み込まれた画像表示装置組立体全体の消費電力の低減を図ることができる。しかも、画像の色に黄色が多く混在しているか否かを少ない計算量で判定することができ、信号処理部の回路規模を縮小化することができるし、計算時間の短縮化を図ることができる。
【０３２２】
また、工程（ａ）、（ｂ）及び（ｃ）といった一連の工程を実行する代わりに、
黄色を表示する画素の全画素に対する割合が所定の値β’0（例えば、具体的には、２％）を超えるとき、伸長係数α0を所定の値以下（例えば、具体的には、１．３以下）とする形態を採用することができる。このように、黄色を表示する画素の全画素に対する割合が所定の値β’0（例えば、具体的には、２％）を超えるとき、伸長係数α0を所定の値以下（例えば、具体的には、１．３以下）とする。これによっても、各副画素への出力信号の最適化を図ることができ、不自然な画像となることを防止することができる一方、輝度の増加を確実に図ることができ、画像表示装置が組み込まれた画像表示装置組立体全体の消費電力の低減を図ることができる。
【０３２３】
また、工程（ａ）、（ｂ）及び（ｃ）といった一連の工程を実行する代わりに、
［１］第４の色を加えることで拡大されたＨＳＶ色空間における彩度Ｓを変数とした明度の最大値Ｖmaxを信号処理部において求め、更に、最大値Ｖmaxに基づき基準伸長係数α0-stdを信号処理部において求め、
［２］基準伸長係数α0-std、各画素における副画素・入力信号値に基づく入力信号補正係数、及び、外光強度に基づく外光強度補正係数から各画素における伸長係数α0を決定する、
といった工程を実行してもよい。これによって、彩度Ｓを変数とした明度の最大値Ｖmaxが求められ、更には、各画素の明度Ｖ（Ｓ）と基準伸長係数α0-stdの積から求められた伸長された明度の値が最大値Ｖmaxを越える画素の全画素に対する割合が所定の値（β0）以下となるように基準伸長係数α0-stdが決定される。従って、各副画素への出力信号の最適化を図ることができ、所謂『階調潰れ』が目立ち、不自然な画像となるといった現象の発生を防止することができる一方、輝度の増加を確実に図ることができ、画像表示装置が組み込まれた画像表示装置組立体全体の消費電力の低減を図ることができる。
【０３２４】
あるいは又、工程（ａ）、（ｂ）及び（ｃ）といった一連の工程を実行する代わりに、
［１］第１副画素に第１副画素・出力信号の最大信号値に相当する値を有する信号が入力され、第２副画素に第２副画素・出力信号の最大信号値に相当する値を有する信号が入力され、第３副画素に第３副画素・出力信号の最大信号値に相当する値を有する信号が入力されたときの、画素（本発明の第１の態様、本発明の第２の態様）あるいは画素群（本発明の第３の態様、本発明の第４の態様、本発明の第５の態様）を構成する第１副画素、第２副画素及び第３副画素の集合体の輝度をＢＮ1-3とし、画素（本発明の第１の態様、本発明の第２の態様）あるいは画素群（本発明の第３の態様、本発明の第４の態様、本発明の第５の態様）を構成する第４副画素に第４副画素・出力信号の最大信号値に相当する値を有する信号が入力されたときの第４副画素の輝度ＢＮ4としたとき、基準伸長係数α0-stdを以下の式から求め、
α0-std＝（ＢＮ4／ＢＮ1-3）＋１
［２］基準伸長係数α0-std、各画素における副画素・入力信号値に基づく入力信号補正係数、及び、外光強度に基づく外光強度補正係数から各画素における伸長係数α0を決定する、
といった工程を実行してもよい。尚、広くは、基準伸長係数α0-stdを（ＢＮ4／ＢＮ1-3）の関数とする形態とすることができる。このように、基準伸長係数α0-stdを、
α0-std＝（ＢＮ4／ＢＮ1-3）＋１
と規定することによって、所謂『階調潰れ』が目立ち、不自然な画像となるといった現象の発生を防止することができる一方、輝度の増加を確実に図ることができ、画像表示装置が組み込まれた画像表示装置組立体全体の消費電力の低減を図ることができる。
【０３２５】
あるいは又、工程（ａ）、（ｂ）及び（ｃ）といった一連の工程を実行する代わりに、
［１］（Ｒ，Ｇ，Ｂ）で定義された色が画素において表示されるとし、ＨＳＶ色空間における色相Ｈ及び彩度Ｓが以下の式で定義され、
４０≦Ｈ≦６５
０．５≦Ｓ≦１．０
の範囲となる画素の全画素に対する割合が所定の値β’0（例えば、具体的には、２％）を超えるとき、基準伸長係数α0-stdを所定の値α’0-std以下（具体的には、例えば１．３以下）として決定し、
［２］基準伸長係数α0-std、各画素における副画素・入力信号値に基づく入力信号補正係数、及び、外光強度に基づく外光強度補正係数から各画素における伸長係数α0を決定する、
といった工程を実行してもよい。尚、基準伸長係数α0-stdの下限値は１．０である。ここで、（Ｒ，Ｇ，Ｂ）において、Ｒの値が最大のとき、
Ｈ＝６０（Ｇ−Ｂ）／（Ｍａｘ−Ｍｉｎ）
であり、Ｇの値が最大のとき、
Ｈ＝６０（Ｂ−Ｒ）／（Ｍａｘ−Ｍｉｎ）＋１２０
であり、Ｂの値が最大のとき、
Ｈ＝６０（Ｒ−Ｇ）／（Ｍａｘ−Ｍｉｎ）＋２４０
であり、
Ｓ＝（Ｍａｘ−Ｍｉｎ）／Ｍａｘ
であり、
Ｍａｘ：画素への第１副画素・入力信号値、第２副画素・入力信号値及び第３副画素・入力信号値の３つの副画素・入力信号値の最大値
Ｍｉｎ：画素への第１副画素・入力信号値、第２副画素・入力信号値及び第３副画素・入力信号値の３つの副画素・入力信号値の最小値
である。種々の試験により、画像の色に黄色が多く混在している場合、基準伸長係数α0-stdが所定の値α’0-std（例えばα’0-std＝１．３）を越えると、不自然な色の画像となることが判明した。然るに、ＨＳＶ色空間における色相Ｈ及び彩度Ｓが所定の範囲内となる画素の全画素に対する割合が所定の値β’0（例えば、具体的には、２％）を超えるとき（云い換えれば、画像の色に黄色が多く混在しているとき）、基準伸長係数α0-stdを所定の値α’0-std以下（例えば、具体的には、１．３以下）とする。これによって、画像の色に黄色が多く混在している場合であっても、各副画素への出力信号の最適化を図ることができ、不自然な画像となることを防止することができる一方、輝度の増加を確実に図ることができ、画像表示装置が組み込まれた画像表示装置組立体全体の消費電力の低減を図ることができる。
【０３２６】
あるいは又、工程（ａ）、（ｂ）及び（ｃ）といった一連の工程を実行する代わりに、
［１］（Ｒ，Ｇ，Ｂ）で定義された色が画素において表示されるとし、（Ｒ，Ｇ，Ｂ）が以下の式を満足する画素の全画素に対する割合が所定の値β’0（例えば、具体的には、２％）を超えるとき、基準伸長係数α0-stdを所定の値α’0-std以下（例えば、具体的には、１．３以下）として決定し、
［２］基準伸長係数α0-std、各画素における副画素・入力信号値に基づく入力信号補正係数、及び、外光強度に基づく外光強度補正係数から各画素における伸長係数α0を決定する、
といった工程を実行してもよい。ここで、（Ｒ，Ｇ，Ｂ）において、Ｒの値が最高値、Ｂの値が最低値の場合であって、
Ｒ≧０．７８×（２n−１）
Ｇ≧（２Ｒ／３）＋（Ｂ／３）
Ｂ≦０．５０Ｒ
を満足するとき；あるいは又、（Ｒ，Ｇ，Ｂ）において、Ｇの値が最高値、Ｂの値が最低値の場合であって、
Ｒ≧（４Ｂ／６０）＋（５６Ｇ／６０）
Ｇ≧０．７８×（２n−１）
Ｂ≦０．５０Ｒ
を満足するとき；但し、ｎは表示階調ビット数である。このように、（Ｒ，Ｇ，Ｂ）として特定の値を有する画素の全画素に対する割合が所定の値β’0（例えば、具体的には、２％）を超えるとき（云い換えれば、画像の色に黄色が多く混在しているとき）、基準伸長係数α0-stdを所定の値α’0-std以下（例えば、具体的には、１．３以下）とする。これによっても、画像の色に黄色が多く混在している場合であっても、各副画素への出力信号の最適化を図ることができ、不自然な画像となることを防止することができる一方、輝度の増加を確実に図ることができ、画像表示装置が組み込まれた画像表示装置組立体全体の消費電力の低減を図ることができる。しかも、画像の色に黄色が多く混在しているか否かを少ない計算量で判定することができ、信号処理部の回路規模を縮小化することができるし、計算時間の短縮化を図ることができる。
【０３２７】
あるいは又、工程（ａ）、（ｂ）及び（ｃ）といった一連の工程を実行する代わりに、
［１］黄色を表示する画素の全画素に対する割合が所定の値β’0（例えば、具体的には、２％）を超えるとき、基準伸長係数α0-stdを所定の値以下（例えば、具体的には、１．３以下）として決定し、
［２］基準伸長係数α0-std、各画素における副画素・入力信号値に基づく入力信号補正係数、及び、外光強度に基づく外光強度補正係数から各画素における伸長係数α0を決定する、
といった工程を実行してもよい。このように、黄色を表示する画素の全画素に対する割合が所定の値β’0（例えば、具体的には、２％）を超えるとき、基準伸長係数α0-stdを所定の値以下（例えば、具体的には、１．３以下）とする。これによっても、各副画素への出力信号の最適化を図ることができ、不自然な画像となることを防止することができる一方、輝度の増加を確実に図ることができ、画像表示装置が組み込まれた画像表示装置組立体全体の消費電力の低減を図ることができる。
【０３２８】
エッジライト型（サイドライト型）の面状光源装置を採用することもできる。そして、この場合、図２５に概念図を示すように、例えば、ポリカーボネート樹脂から成る導光板５１０は、第１面（底面）５１１、この第１面５１１と対向した第２面（頂面）５１３、第１側面５１４、第２側面５１５、第１側面５１４と対向した第３側面５１６、及び、第２側面５１５と対向した第４側面を有する。導光板のより具体的な形状は、全体として、楔状の切頭四角錐形状であり、切頭四角錐の２つの対向する側面が第１面５１１及び第２面５１３に相当し、切頭四角錐の底面が第１側面５１４に相当する。そして、第１面５１１の表面部には凹凸部５１２が設けられている。導光板５１０への第１原色光入射方向であって第１面５１１と垂直な仮想平面で導光板５１０を切断したときの連続した凸凹部の断面形状は、三角形である。即ち、第１面５１１の表面部に設けられた凹凸部５１２は、プリズム状である。導光板５１０の第２面５１３は、平滑としてもよいし（即ち、鏡面としてもよいし）、光拡散効果のあるブラストシボを設けてもよい（即ち、微細な凹凸面とすることもできる）。導光板５１０の第１面５１１に対向して光反射部材５２０が配置されている。また、導光板５１０の第２面５１３に対向して画像表示パネル（例えば、カラー液晶表示パネル）が配置されている。更には、画像表示パネルと導光板５１０の第２面５１３との間には、光拡散シート５３１及びプリズムシート５３２が配置されている。光源５００から出射された第１原色光は、導光板５１０の第１側面５１４（例えば、切頭四角錐の底面に相当する面）から導光板５１０に入射し、第１面５１１の凹凸部５１２に衝突して散乱され、第１面５１１から出射し、光反射部材５２０にて反射され、第１面５１１に再び入射し、第２面５１３から出射され、光拡散シート５３１及びプリズムシート５３２を通過して、種々の実施例における画像表示パネルを照射する。
【０３２９】
光源として、発光ダイオードの代わりに、第１原色光としての青色の光を出射する蛍光ランプあるいは半導体レーザを採用してもよい。この場合、蛍光ランプあるいは半導体レーザが出射する第１原色（青色）に相当する第１原色光の波長λ1として、４５０ｎｍを例示することができる。また、蛍光ランプあるいは半導体レーザによって励起される第２原色発光粒子に相当する緑色発光粒子は、例えばＳｒＧａ2Ｓ4：Ｅｕから成る緑色発光蛍光体粒子とすればよく、第３原色発光粒子に相当する赤色発光粒子は、例えばＣａＳ：Ｅｕから成る赤色発光蛍光体粒子とすればよい。あるいは又、半導体レーザを用いる場合、半導体レーザが出射する第１原色（青色）に相当する第１原色光の波長λ1として、４５７ｎｍを例示することができ、この場合、半導体レーザによって励起される第２原色発光粒子に相当する緑色発光粒子は、例えばＳｒＧａ2Ｓ4：Ｅｕから成る緑色発光蛍光体粒子とすればよく、第３原色発光粒子に相当する赤色発光粒子は、例えばＣａＳ：Ｅｕから成る赤色発光蛍光体粒子とすればよい。あるいは又、面状光源装置の光源として、冷陰極線型の蛍光ランプ（ＣＣＦＬ）、熱陰極線型の蛍光ランプ（ＨＣＦＬ）あるいは外部電極型の蛍光ランプ（ＥＥＦＬ，External Electrode Fluorescent Lamp）を用いることもできる。
【符号の説明】
【０３３０】
１０・・・画像表示装置、２０・・・信号処理部、３０，１３０・・・画像表示パネル、１３１・・・表示領域、１３２・・・表示領域ユニット、４０・・・画像表示パネル駆動回路、４１・・・信号出力回路、４２・・・走査回路、５０，１５０・・・面状光源装置、１５２・・・面状光源ユニット、１５３・・・発光ダイオード、６０，１６０・・・面状光源装置制御回路、６１・・・演算回路、６２・・・記憶装置（メモリ）、６３・・・ＬＥＤ駆動回路６３、６４・・・フォトダイオード制御回路、６５・・・スイッチング素子、６６・・・発光ダイオード駆動電源（定電流源）、６７・・・フォトダイオード、５１０・・・導光板、５１１・・・第１面（底面）、５１２・・・凹凸部、５１３・・・第２面（頂面）、５１４・・・第１側面、５１５・・・第２側面、５１６・・・第３側面、５２０・・・光反射部材、５３１・・・光拡散シート、５３２・・・プリズムシート、ＵＮ・・・発光素子ユニット、ＤＴＬ，ＳＣＬ・・・配線、ｒ・・・電流検出用の抵抗体
【図１】
0005481323.tif 000003
【図２】
0005481323.tif 000004
【図３】
0005481323.tif 000005
【図４】
0005481323.tif 000006
【図７】
0005481323.tif 000007
【図８】
0005481323.tif 000008
【図９】
0005481323.tif 000009
【図１０】
0005481323.tif 000010
【図１１】
0005481323.tif 000011
【図１２】
0005481323.tif 000012
【図１３】
0005481323.tif 000013
【図１４】
0005481323.tif 000014
【図１５】
0005481323.tif 000015
【図１６】
0005481323.tif 000016
【図１７】
0005481323.tif 000017
【図１８】
0005481323.tif 000018
【図１９】
0005481323.tif 000019
【図２０】
0005481323.tif 000020
【図２１】
0005481323.tif 000021
【図２２】
0005481323.tif 000022
【図２３】
0005481323.tif 000023
【図２４】
0005481323.tif 000024
【図２５】
0005481323.tif 000025
【図５】
0005481323.tif 000026
【図６】
0005481323.tif 000027